(57)【要約】【課題】同じデータから別の方式を用いて生成した複数の信号を、それぞれ別の送信局から送信した場合に、どの端末でも、いずれの送信局あるいは双方の送信局からの信号を受信しても、データを復元できるようにする。【解決手段】  第１の送信局は、元データから第１の方式を用いて生成される信号を第１のアンテナと第２のアンテナとから同一時間、同一周波数に送信し、第２の送信局は、当該元データから第２の方式を用いて生成される信号を第３のアンテナと第４のアンテナとから同一時間、同一周波数に送信する。第１の送信局は、第１の方式を示す制御情報を送信し、第２の送信局は、前記第２の方式を示す制御情報を送信する。【選択図】図１
2015201829.tif 000002
【特許請求の範囲】
【請求項１】
第１の送信局と、第２の送信局とを含む通信システムであって、
前記第１の送信局は、
第１のアンテナと、
第２のアンテナと、
元データから第１の方式を用いて生成される４つの信号のうち、２つの信号を前記第１のアンテナと前記第２のアンテナとから、第１のスロットおよび同一の周波数を用いて送信し、前記２つの信号以外の２つの信号を前記第１のアンテナと前記第２のアンテナとから、第２のスロットおよび同一の周波数を用いて送信する第１送信部とを備え、
前記第２の送信局は、
第３のアンテナと、
第４のアンテナと、
前記元データから第１の方式とは異なる第２の方式を用いて生成される４つの信号のうち、２つの信号を前記第３のアンテナと前記第４のアンテナとから、前記第１のスロットおよび同一の周波数を用いて送信し、前記２つの信号以外の２つの信号を前記第３のアンテナと前記第４のアンテナとから、前記第２のスロットおよび同一の周波数を用いて送信する第２送信部とを備え、
前記第１送信部は、前記第１の方式を示す制御情報を送信し、
前記第２送信部は、前記第２の方式を示す制御情報を送信する
ことを特徴とする通信システム。
【請求項２】
前記元データをｓ０、ｓ１、ｓ２、ｓ３として、
前記第１の方式は、元データｓ０、ｓ１、ｓ２、ｓ３から、４つの信号ｓ０'、ｓ１'、ｓ２'、ｓ３'を生成するものであり、
前記第２の方式は、元データｓ０、ｓ１、ｓ２、ｓ３から、４つの信号ｓ０''、ｓ１''、ｓ２''、ｓ３''を生成するものであり、
前記第１送信部が、前記第１のアンテナから前記信号ｓ０'、ｓ１'の２つの信号を送信し、前記第２のアンテナから前記信号ｓ３'、ｓ４'の２つの信号を送信する場合に、
前記第２送信部は、前記第３のアンテナから前記ｓ０''、ｓ１''の２つの信号を送信し、前記第４のアンテナから前記ｓ３''、ｓ４''の２つの信号を送信する
ことを特徴とする請求項１記載の通信システム。
【請求項３】
前記第１の方式は、第１のアンテナまたは第２のアンテナのうち少なくとも一方から送信される信号に対して、規則的に変更する位相の度合いを変えながら、その位相を変更する位相変更処理を施し、
前記第２の方式は、第３のアンテナまたは第４のアンテナのうち少なくとも一方から送信される信号に対して、規則的に変更する位相の度合いを変えながら、その位相を変更する位相変更処理を施す
ことを特徴とする請求項２記載の通信システム。
【請求項４】
第１の送信局の第１のアンテナから、第１のスロット及び同一の周波数を用いて、元データから第１の方式を用いて生成される４つの信号のうちの２つの信号を送信し、
前記第１の送信局の第２のアンテナから、第２のスロット及び同一の周波数を用いて、前記４つの信号のうちの残りの２つの信号を送信し、
第２の送信局の第３のアンテナから、前記第１のスロット及び同一の周波数を用いて、前記元データから第１の方式とは異なる第２の方式を用いて生成される４つの信号のうちの２つの信号を送信し、
前記第２の送信局の第４のアンテナから、前記第２のスロット及び同一の周波数を用いて、前記４つの信号のうちの残りの２つの信号を送信し、
前記第１の送信局は、前記第１の方式を示す制御情報を送信し、
前記第２の送信局は、前記第２の方式を示す制御情報を送信する
ことを特徴とする送信方法。
【請求項５】
前記元データをｓ０、ｓ１、ｓ２、ｓ３として、
前記第１の方式は、元データｓ０、ｓ１、ｓ２、ｓ３から、４つの信号ｓ０'、ｓ１'、ｓ２'、ｓ３'を生成するものであり、
前記第２の方式は、元データｓ０、ｓ１、ｓ２、ｓ３から、４つの信号ｓ０''、ｓ１''、ｓ２''、ｓ３''を生成するものであり、
前記第１の送信局が、前記第１のアンテナから前記信号ｓ０'、ｓ１'の２つの信号を送信し、前記第２のアンテナから前記信号ｓ３'、ｓ４'の２つの信号を送信する場合に、
前記第２の送信局は、前記第３のアンテナから前記ｓ０''、ｓ１''の２つの信号を送信し、前記第４のアンテナから前記ｓ３''、ｓ４''の２つの信号を送信する
ことを特徴とする請求項４記載の送信方法。
【請求項６】
前記第１の方式は、第１のアンテナまたは第２のアンテナのうち少なくとも一方から送信される信号に対して、規則的に変更する位相の度合いを変えながら、その位相を変更する位相変更処理を施し、
前記第２の方式は、第３のアンテナまたは第４のアンテナのうち少なくとも一方から送信される信号に対して、規則的に変更する位相の度合いを変えながら、その位相を変更する位相変更処理を施す
ことを特徴とする請求項５記載の送信方法。
【発明の詳細な説明】
【技術分野】
【０００１】
本発明は、特にマルチアンテナを用いた通信を行う通信システムに関する。
【背景技術】
【０００２】
図１に示すような送信局＃１と送信局＃２とが放送波を発信し、その周囲に放送波を受信する端末＃１、端末＃２、端末＃３が存在する通信システムを考える。図１に示されるように、端末＃１は送信局＃１からの信号を受信でき、端末＃２は送信局＃２からの信号を受信でき、端末＃３は送信局＃１と送信局＃２双方からの信号を受信できる位置に存在する。
【０００３】
このとき、送信局＃１と送信局＃２とは、図２に示すように同じデータを基にして、時空間ブロック符号（ＭＩＳＯ（Multiple-Input Multiple-Output）方法）を用いて生成される互いに異なる信号を送信するものとする。
この場合、端末＃３は、送信局＃１の第１アンテナ、送信局＃２の第２アンテナにより、ｓ０、ｓ１で時空間ブロック符号化が行われていることにより、信号ｓ０、ｓ１に対して送信ダイバーシチ効果を得ることができる。
【先行技術文献】
【特許文献】
【０００４】
【特許文献１】特願2014-22983
【特許文献２】特願2014-22984
【特許文献３】特願2010-177310
【発明の概要】
【発明が解決しようとする課題】
【０００５】
しかしながら、図２に示す方式は、端末＃１は送信局＃１の送信信号を受信することになり、端末＃２は送信局＃２の送信信号を受信することになるものの、両端末は、「どちらの送信局から送信された信号か」、の識別が困難な場合、データを復調・復号できないという問題がある。
そこで、本発明は、上述のように同じデータを基にして生成された互いに異なるデータを複数の送信局で送信する場合に、一方の送信局からのみ信号を受信したとしても元のデータを復元できる通信システムを提供することを目的とする。
【課題を解決するための手段】
【０００６】
上記課題を解決するため、本発明に係る通信システムは、第１の送信局と、第２の送信局とを含む通信システムであって、前記第１の送信局は、第１のアンテナと、第２のアンテナと、元データから第１の方式を用いて生成される４つの信号のうち、２つの信号を前記第１のアンテナと前記第２のアンテナとから、第１のスロットおよび同一の周波数を用いて送信し、前記２つの信号以外の２つの信号を前記第１のアンテナと前記第２のアンテナとから、第２のスロットおよび同一の周波数を用いて送信する第１送信部とを備え、前記第２の送信局は、第３のアンテナと、第４のアンテナと、前記元データから第１の方式とは異なる第２の方式を用いて生成される４つの信号のうち、２つの信号を前記第３のアンテナと前記第４のアンテナとから、前記第１のスロットおよび同一の周波数を用いて送信し、前記２つの信号以外の２つの信号を前記第３のアンテナと前記第４のアンテナとから、前記第２のスロットおよび同一の周波数を用いて送信する第２送信部とを備え、前記第１送信部は、前記第１の方式を示す制御情報を送信し、前記第２送信部は、前記第２の方式を示す制御情報を送信することを特徴としている。
【発明の効果】
【０００７】
上述のような構成によって、送信局が、どの送信方法で信号を送信しているかを示す制御情報を送信しているので、端末はどの送信局から送信された信号であるかどうかを識別することができ、これにより、送信局が送信したデータを復調・復号することができる。
【図面の簡単な説明】
【０００８】
【図１】通信システムの構成例
【図２】従来の送信局＃１と送信局＃２の送信信号の例
【図３】通信システムの構成例
【図４】送信局の構成例
【図５】フレームの構成例
【図６】信号処理部の構成例
【図７】１６ＱＡＭの信号点配置例
【図８】６４ＱＡＭの信号点配置例
【図９】信号生成方法の例
【図１０】信号生成方法の例
【図１１】信号生成方法の例
【図１２】信号生成方法の例
【図１３】信号生成方法の例
【図１４】信号生成方法の例
【図１５】信号生成方法の例
【図１６】信号生成方法の例
【図１７】信号生成方法の例
【図１８】信号生成方法の例
【図１９】信号生成方法の例
【図２０】信号生成方法の例
【図２１】信号生成方法の例
【図２２】信号生成方法の例
【図２３】信号生成方法の例
【図２４】信号生成方法の例
【図２５】信号生成方法の例
【図２６】信号生成方法の例
【図２７】信号生成方法の例
【図２８】信号生成方法の例
【図２９】信号生成方法の例
【図３０】信号生成方法の例
【図３１】信号生成方法の例
【図３２】信号生成方法の例
【図３３】信号生成方法の例
【図３４】信号生成方法の例
【図３５】信号生成方法の例
【図３６】信号生成方法の例
【図３７】信号生成方法の例
【図３８】信号生成方法の例
【図３９】信号生成方法の例
【図４０】信号生成方法の例
【図４１】信号生成方法の例
【図４２】信号生成方法の例
【図４３】信号生成方法の例
【図４４】信号生成方法の例
【図４５】信号生成方法の例
【図４６】信号生成方法の例
【図４７】信号生成方法の例
【図４８】信号生成方法の例
【図４９】信号生成方法の例
【図５０】端末の構成例
【図５１】候補信号点と受信信号点の関係のイメージ図
【図５２】通信システムの構成例
【図５３】送信部の構成例
【図５４】送信部の構成例
【図５５】信号処理部の構成例
【図５６】送信部の構成例
【図５７】送信部の構成例
【発明を実施するための形態】
【０００９】
＜発明者が得た知見＞
上述したとおり、図２に示す方式では、端末＃１や端末＃２は、信号を受信して元のデータを復号できない可能性があるという問題があることを知見した。
そのため、発明者らは、各送信局が、それぞれの送信方法を端末に通知するための制御情報を送信する手法に至った。
【００１０】
その上で、発明者らは、図２に示す方式では、各送信局がその送信方法に関する制御情報を送信したとしても、端末＃１、端末＃２、端末＃３は、伝搬環境によっては、データシンボルを高い受信品質を得ることが困難であることを知見した。デジタルテレビ放送などにおいては、端末がどの位置にあっても、信号を受信して、放送局から送信された送信信号に含まれるデータを復調・復号す必要があるものの、図２に示す方式を用いた場合は、直接波が支配的な伝搬環境では、放送局から送信されたデータを復調・復号することが難しいという問題が発生することも知見した。
【００１１】
そこで、本発明においては、複数の送信局から同じデータを基として生成された異なるデータの信号をＭＩＭＯ（Multiple-Input Multiple-Output）方式で送信するにあたって、端末は、どの送信局の変調信号を受信しても、高いデータの受信品質を得ることができる通信システムを開示する。
以下、通信システムの一実施例について、図面を参照しながら説明する。
≪実施の形態１≫
＜構成＞
図１は、本発明に係る通信システムの一構成例を示すシステム図である。
【００１２】
通信システムは、送信局＃１と、送信局＃２と、端末＃１と、端末＃２と、端末＃３とを含んで構成されている場合を考える。送信局は、２以上あればよく、端末は１以上あればよい。図１における円（楕円）は、各送信局が送信する変調信号が届く範囲を模式的に示している。
図３は、図１における端末＃３と送信局＃１および送信局＃２から送信された信号の関係を示す図である。
【００１３】
図３に示すように、送信局＃１の第１アンテナから送信された送信信号は、端末＃３の第１アンテナと第２アンテナとで受信される。
同様に、送信局＃１の第２アンテナから送信された送信信号は、端末＃３の第１アンテナと第２アンテナとで受信される。
また、送信局＃２の第２アンテナから送信された送信信号は、端末＃３の第１アンテナと第２アンテナとで受信される。
【００１４】
同様に、送信局＃２の第２アンテナから送信された送信信号は、端末＃３の第１アンテナと第２アンテナとで受信される。
なお、図１の端末＃１の場合は、送信局＃１から送信される送信信号のみを受信する。即ち、送信局＃１の第１アンテナから送信された送信信号は、端末＃１の第１アンテナと第２アンテナとで受信される。同様に、送信局＃１の第２アンテナから送信された送信信号は、端末＃１の第１アンテナと第２アンテナとで受信される。
【００１５】
また、図１の端末＃２の場合は、送信局＃２から送信される送信信号のみを受信する。即ち、送信局＃２の第１アンテナから送信された送信信号は、端末＃２の第１アンテナと第２アンテナとで受信される。同様に、送信局＃２の第２アンテナから送信された送信信号は、端末＃２の第１アンテナと第２アンテナとで受信される。
図４は、送信局の構成例を示している。
【００１６】
送信方法指示部４１０は、送信方法に関する情報４０９を入力とし、送信局が変調信号を送信するにあたって、その送信方法を各部に伝達する。送信方法に関する情報４０９は、誤り訂正符号の方法（符号長や符号化率など）、変調方式、ＳＩＳＯ（Single-Input Single-Output）、ＭＩＳＯ（Multiple-Input Single-Output）またはＭＩＭＯなどの送信方式、ＭＩＭＯで伝送する場合の送信方法などであり、送信方法に関する情報４０９には送信に必要な種々の情報が含まれる。
【００１７】
送信方法指示部４１０は、送信方法に関する情報４０９に基づき、誤り訂正符号化部４０２および制御情報シンボル生成部４１６に、誤り訂正の方式を指示する制御信号４１１（例えば、誤り訂正符号の情報、符号長（ブロック長）、符号化率など）を出力する。また、送信方法指示部４１０は、送信方法に関する情報４０９に基づき、信号処理部４０４および制御情報シンボル生成部４１６に対して、変調方式に関する制御信号４１２（なお、ＭＩＳＯ、ＭＩＭＯの場合、複数の変調信号で異なる変調方式を採ることも可能であり、このときは、複数の変調方式が指定される。また、ＳＩＳO、ＭＩＳＯ、ＭＩＭＯにおいて、変調方式をある間隔で変更可能である場合についても、複数の変調方式が指定される。）と、ＳＩＳＯ、ＭＩＳＯおよびＭＩＭＯのうちいずれの方式を用いて信号を伝送するのかを示す制御信号４１３と、ＭＩＭＯで伝送する場合に「送信方法１および送信方法２」のうちいずれの送信方法を用いて送信局が信号を送信するのかを示す制御信号４１４とを出力する。「送信方法１および送信方法２」の詳細については後述する。
【００１８】
誤り訂正符号化部４０２は、送信対象のデータ４０１、および、誤り訂正の方式を示す制御信号４１１を入力とし、制御信号４１１にしたがって、誤り訂正符号の方式（具体的な誤り訂正符号、符号長（ブロック長）、符号化率）の符号化を行い、誤り訂正符号化後のデータ４０３を出力する。
信号処理部４０４は、誤り訂正符号化後のデータ４０３、変調方式に関する制御信号４１２、送信方式（ＳＩＳＯ、ＭＩＳＯ、ＭＩＭＯ）に関する制御信号４１３、送信局の送信方法に関する制御信号４１４を入力とし、これらの制御信号に従って、無線部４０６Ａ、４０６Ｂ用に生成されたベースバンド信号４０５Ａ、４０６Ｂを、それぞれ、無線部４０６Ａ、４０６Ｂに出力する。生成されるベースバンド信号４０５Ａ、４０６Ｂの詳細については、送信方法１および送信方法２とともに後述する。
【００１９】
制御情報シンボル生成部４１６は、制御信号４１１、４１２、４１３、４１４およびＦＦＴ（Fast Fourier Transfer）（または、フーリエ変換、または、逆フーリエ変換）の方法やＰＡＰＲ（Peak to Average Power Ratio）に関する制御信号４１５を入力とし、これらの制御信号に含まれる制御情報に基づく制御情報シンボルを生成し、無線部４０６Ａおよび無線部４０６Ｂに出力する。
【００２０】
無線部４０６Ａは、ベースバンド信号４０５Ａ、制御情報シンボル４１７、パイロットシンボル４１８、送信フレームに関する制御情報４１９を入力とし、送信フレームを構成し、送信方式（ＳＩＳＯ、ＭＩＳＯ、ＭＩＭＯ）にしたがって、必要に応じてパワー変更処理、プリコーディングなどを行って、送信信号４０７Ａをアンテナ４０８Ａに出力する。
【００２１】
無線部４０６Ｂは、ベースバンド信号４０５Ｂ、制御情報シンボル４１７、パイロットシンボル４１８、送信フレームに関する制御情報４１９を入力とし、送信フレームを構成し、送信方式（ＳＩＳＯ、ＭＩＳＯ、ＭＩＭＯ）にしたがって、必要に応じてパワー変更処理、プリコーディングなどを行って、送信信号４０７Ｂをアンテナ４０８Ｂに出力する。
【００２２】
なお、パイロットシンボル４１８は、送信局のどのアンテナから送信されたものであるかを端末が区別できるように、各アンテナ用のパイロットシンボルが互いに異なる（配置やパワーなどが異なる）ように構成されている。
送信信号４０７Ｂおよび送信信号４０７Ａは、それぞれ、アンテナ４０８Ａおよびアンテナ４０８Ｂから、同一時間に同一周波数を用いて送信される。
【００２３】
図５は、送信局の両アンテナから送信される変調信号のフレーム構成例を示している。図５（ａ）、図５（ｂ）、いずれも縦軸は周波数、横軸は時間である。なお、ＯＦＤＭ（Orthogonal Frequency Division Multiplexing）方式などのマルチキャリア方式の場合、周波数軸方向には複数のキャリアのシンボルが存在することになる。そして、図５（ａ）は、アンテナ＄１から送信される変調信号のフレーム構成、図５（ｂ）は、アンテナ＄２から送信される変調信号のフレーム構成を示している。
【００２４】
送信方法としてＳＩＳＯが選択される場合、一方のアンテナ（図５ではアンテナ＄１）からのみ信号が送信され、そのフレーム構成は、図５（ａ）に示すようにパイロットシンボル５０１と、制御情報シンボル５０２と、データシンボル５０３とを含む。（ただし、アンテナ＄２から、パイロットシンボル５０１と、制御情報シンボル５０２と、データシンボル５０３の変調信号を送信してもよい。）
制御情報シンボル５０２には、誤り訂正符号化方法（具体的な誤り訂正符号の情報、符号（ブロック長）、符号化率）に関する情報、変調方式の情報が含まれている。
【００２５】
また、制御情報シンボル５０２には、ＳＩＳＯ、ＭＩＳＯ、ＭＩＭＯのいずれの送信方法を用いて送信しているかの情報と、ＭＩＭＯの場合に、送信方法１の方法で送信しているか、送信方法２の方法で送信しているかを示す情報とが含まれる。（ただし、データシンボル５０３はＳＩＳＯ方式としているので、その情報を、制御情報シンボル５０２は含んでいることになる。）
データシンボル５０３には、ＳＩＳＯ方式のときのデータシンボルとなる。
【００２６】
次に、送信方法として、ＭＩＳＯまたはＭＩＭＯが選択される場合、双方のアンテナ（図５ではアンテナ＄１およびアンテナ＄２）から信号が同一（共通）時間、同一（共通）周波数から送信されることになる。
パイロットシンボル５０４Ａ、パイロット信号５０４Ｂは、データシンボルをＭＩＳＯまたはＭＩＭＯのいずれかの方式で伝送するために必要となるパイロットシンボルとなる。
【００２７】
制御情報シンボル５０５Ａ、制御情報シンボル５０５Ｂは、ＳＩＳＯ、ＭＩＳＯ、ＭＩＭＯのいずれの送信方法を用いて送信しているかの情報と、ＭＩＭＯの場合に、送信方法１の方法で送信しているか、送信方法２の方法で送信しているかを示す情報とが含まれる。なお、データシンボルがＭＩＭＯ方式の場合、データシンボルが送信方法１または送信方法２で送信されているかを、受信装置が識別可能となる識別情報を含んでいることになる。
【００２８】
例えば、識別情報として、１ビットを割り当てた場合、送信方法１で送信する場合、「０」を送信し、送信方法２で送信する場合、「１」を送信する、とすればよい。
このとき、送信方法１、送信方法２の信号生成方法については、以下の生成方法１〜３２で説明する。なお、送信装置は、生成方法１〜３２のいずれかを選択して送信できるとしてもよい。このとき、いずれの生成方法を選択したか、を受信装置が識別するための制御情報を伝送してもよい。送信装置が、生成方法１〜３２のいずれかの方法で固定的に送信する場合は、「いずれの生成方法を選択したか、を受信装置が識別するための制御情報」を送信装置は送信する必要はなくなる。生成方法１〜３２を固定的に使用するか、選択的に使用するかは、いずれであってもよい。
【００２９】
また、制御情報シンボルは、２つのアンテナから送信しているが、一方のアンテナからのみ送信してもよい。
加えて、データシンボル５０６A、および、データシンボル５０６Ｂはデータシンボルであり、それぞれのシンボルはそれぞれのアンテナから送信されることになる。（データシンボル５０６A、および、データシンボル５０６Ｂにより、ＭＩＳＯ方式またはＭＩＭO方式を実現することなる。）
なお、図５に示すフレーム構成例は一例であり、当然ながら、各シンボルに他のシンボルが含まれていてもよい。例えば、データシンボルとデータシンボルの間にパイロットシンボルなどが挿入されていてもよい。
【００３０】
図６は、信号処理部４０４の構成例である。
マッピング部６０２は、誤り訂正符号化後のデータ６０１（図４の信号４０３）、および、マッピングのための変調方式等を示す制御信号６０６（図４の制御信号４１１−４１４）を入力とし、制御信号６０６に基づく変調方式、例えば、変調方式として１６ＱＡＭが選択されている場合、図７の規則に従って、マッピングを行い、マッピング後のベースバンド信号６０３を出力する。なお、変調方式は１６ＱＡＭに限ったものではなく、他の変調方式（不均一ＱＡＭ、ＰＳＫ（Phase Shift Keying）、ＡＰＳＫ（Amplitude Phase Shift Keying）など、いかなるマッピングを施してもよい。）（例えば、図８に示すように６４ＱＡＭ）の場合も同様に実施することができる。
【００３１】
演算部６０４は、マッピング部６０２から出力された変調信号に対して、制御信号６０６に含まれる送信方法に関する情報に従って、無線部４０６Ａ、４０６Ｂそれぞれのための変調信号６０６Ａ、６０６Ｂ（図４のベースバンド信号４０５Ａ、４０５Ｂに相当）を生成して、出力する。なお、演算部６０４による信号生成の詳細については後述する。
図７および図８を用いて、マッピング部６０２においてなされる変調における変調方式に応じた信号点配置の例を説明する。
【００３２】
図７は、変調方式が１６ＱＡＭ（Quadrature Amplitude Modulation）のときの、同相Ｉ−直交Ｑ平面における信号点の配置の一例を示している。入力ビットをｂ０、ｂ１、ｂ２、ｂ３の４ビットとしたとき、ｂ０  ｂ１  ｂ２  ｂ３は００００から１１１１の値のいずれかとなり、例えば、ｂ０  ｂ１  ｂ２  ｂ３が１０００であらわされるとき、図７の信号点７００を選択し、信号点７００にも基づく同相成分の値（−３×ｇ）をベースバンド信号の同相成分とし、信号点７００に基づく直交成分の値（３×ｇ）をベースバンド信号の直交成分とする。ｂ０  ｂ１  ｂ２  ｂ３が他の値であるときも同様にして、ベースバンド信号の同相成分と直交成分を生成する。
【００３３】
図８は、変調方式が６４ＱＡＭ（Quadrature Amplitude Modulation）のときの、同相Ｉ−直交Ｑ平面における信号点の配置の一例を示している。入力ビットをｂ０、ｂ１、ｂ２、ｂ３、ｂ４、ｂ５の６ビットとしたとき、ｂ０  ｂ１  ｂ２  ｂ３  ｂ４  ｂ５は００００００から１１１１１１の値のいずれかとなり、例えば、ｂ０  ｂ１  ｂ２  ｂ３  ｂ４  ｂ５が１０００００であらわされるとき、図８の信号点８００を選択し、信号点８００にも基づく同相成分の値（−７×ｋ）をベースバンド信号の同相成分とし、信号点８００に基づく直交成分の値（７×ｋ）をベースバンド信号の直交成分とする。ｂ０  ｂ１  ｂ２  ｂ３  ｂ４  ｂ５が他の値であるときも同様にして、ベースバンド信号の同相成分と直交成分を生成する。
（他の変調方式のときも、同様にして、ベースバンド信号の同相成分と直交成分を生成する。）
ここから、送信局＃１および送信局＃２において信号処理部４０４でそれぞれのアンテナの送信用に生成する各スロットの信号の生成方法について説明する。
【００３４】
＜生成方法１＞
図９は、送信局＃１、送信局＃２が生成する各スロットの信号について、演算部６０４により生成されるベースバンド信号の生成方法を示す図である。図９において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【００３５】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図９（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【００３６】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【００３７】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法１」の「送信方法１」における位相変更の例として、位相変更に用いる位相θ（ｉ）は、例えば、以下の式（１）のように算出する。
θ（ｉ）＝（２×π×（ｉ  ｍｏｄ  Ｍ））／Ｍ  ラジアン    …式（１）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【００３８】
ただし、式（１）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【００３９】
したがって、「送信方法１」の場合、図９（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)、・・・を各スロットについてこの順に生成して出力する。
【００４０】
送信方法に関する制御信号４１４が、「送信方法２」を示している場合に、演算部６０４は、各スロットについて、送信局＃２用の信号として、図９（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【００４１】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【００４２】
したがって、アンテナ＄２に対して生成される信号は、スロット２×ｉ（ｉは整数）の場合に、−ｓ３（ｉ）＊×ｅjθ(i)となり、スロット２×ｉ＋１（ｉは整数）の場合に、ｓ２（ｉ）＊×ｅjθ(i)となる。
「生成方法１」の「送信方法２」においては、位相変更に用いる位相θ（ｉ）は、例えば、以下の式（２）のように算出する。
θ（ｉ）＝（２×π×（ｉ  ｍｏｄ  Ｍ））／Ｍ  ラジアン    …式（２）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【００４３】
ただし、式（２）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【００４４】
なお、式（１）と式（２）は同一であり、送信局＃１で与えるθ（ｉ）と送信局＃２で与えるθ（ｉ）は同一の関数である。
したがって、「送信方法２」の場合、図９（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号−ｓ３（０）＊×ｅjθ(0)、ｓ２（０）＊×ｅjθ(0)、−ｓ３（１）＊×ｅjθ(1)、ｓ２（１）＊×ｅjθ(1)、−ｓ３（２）＊×ｅjθ(2)、ｓ２（２）＊×ｅjθ(2)、−ｓ３（３）＊×ｅjθ(3)、ｓ２（３）＊×ｅjθ(3)、−ｓ３（４）＊×ｅjθ(0)、ｓ２（４）＊×ｅjθ(0)、・・・を各スロットについてこの順に生成して出力する。
【００４５】
なお、図９は、あくまでも一例である。
別の例として、例えば、式（１）（式（２））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：−ｓ１（ｉ）＊
送信局＃２、アンテナ＄２：−ｓ３（ｉ）＊×ｅjθ(i)
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：ｓ０（ｉ）＊
送信局＃２、アンテナ＄２：ｓ２（ｉ）＊×ｅjθ(i)
とあらわすことができる。
【００４６】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【００４７】
なお、式（１）、（２）において周期Ｍ（図９では、周期４（８スロット周期））の中で、位相変更値は別の並べ方としてもよい。例えば、図９のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【００４８】
また、図９では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【００４９】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法２＞
図１０は、送信局＃１、送信局＃２が生成する各スロットの信号について、演算部６０４により生成されるベースバンド信号の生成方法を示す図である。図１０において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【００５０】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１０（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【００５１】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【００５２】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）×ｅjθa(i)となる。
「生成方法２」の「送信方法１」における位相変更の例として、位相変更に用いる位相θａ（ｉ）は、例えば、以下の式（３）のように算出する。
θａ（ｉ）＝（２×π×（ｉ  ｍｏｄ  Ｍａ））／Ｍａラジアン    …式（３）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【００５３】
ただし、式（３）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【００５４】
したがって、「送信方法１」の場合、図１０（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθa(0)、ｓ３（０）×ｅjθa(0)、ｓ２（１）×ｅjθa(1)、ｓ３（１）×ｅjθa(1)、ｓ２（２）×ｅjθa(2)、ｓ３（２）×ｅjθa(2)、ｓ２（３）×ｅjθa(3)、ｓ３（３）×ｅjθa(3)、ｓ２（４）×ｅjθa(0)、ｓ３（４）×ｅjθa(0)、・・・を各スロットについてこの順に生成して出力する。
【００５５】
送信方法に関する制御信号４１４が、「送信方法２」を示している場合に、演算部６０４は、各スロットについて、送信局＃２用の信号として、図１０（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【００５６】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【００５７】
したがって、アンテナ＄２に対して生成される信号は、スロット２×ｉ（ｉは整数）の場合に、−ｓ３（ｉ）＊×ｅjθb(i)となり、スロット２×ｉ＋１（ｉは整数）の場合に、ｓ２（ｉ）＊×ｅjθb(i)となる。
「生成方法２」の「送信方法２」においては、位相変更に用いる位相θｂ（ｉ）は、例えば、以下の式（４）のように算出する。
θｂ（ｉ）＝（２×π×（ｉ  ｍｏｄ  Ｍｂ））／Ｍｂラジアン    …式（４）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【００５８】
ただし、式（４）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【００５９】
したがって、「送信方法２」の場合、図１０（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号−ｓ３（０）＊×ｅjθb(0)、ｓ２（０）＊×ｅjθb(0)、−ｓ３（１）＊×ｅjθb(1)、ｓ２（１）＊×ｅjθb(1)、−ｓ３（２）＊×ｅjθb(2)、ｓ２（２）＊×ｅjθb(2)、−ｓ３（３）＊×ｅjθb(3)、ｓ２（３）＊×ｅjθb(3)、−ｓ３（４）＊×ｅjθb(0)、ｓ２（４）＊×ｅjθb(0)、・・・を各スロットについてこの順に生成して出力する。
【００６０】
なお、図１０は、あくまでも一例である。
別の例として、例えば、式（３）および式（４）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：−ｓ１（ｉ）＊
送信局＃２、アンテナ＄２：−ｓ３（ｉ）＊×ｅjθb(i)
スロット２×ｉ＋１において、
送信局＃１、アンテナ＄１：ｓ１（ｉ）
送信局＃１、アンテナ＄２：ｓ３（ｉ）×ｅjθa(i)
送信局＃２、アンテナ＄１：ｓ０（ｉ）＊
送信局＃２、アンテナ＄２：ｓ２（ｉ）＊×ｅjθb(i)
とあらわすことができる。
【００６１】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【００６２】
なお、式（３）、（４）において周期Ｍａ、Ｍｂ（図１０では、周期４（８スロット周期））の中で、位相変更値は別の並べ方としてもよい。例えば、図１０のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【００６３】
また、図１０では、位相変更の周期が４（８スロット周期）の場合を示しているが、これに限ったものではなく、別の周期であってもよい。そして、図１０とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【００６４】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法３＞
図１１は、送信局＃１、送信局＃２が生成する各スロットの信号について、演算部６０４により生成されるベースバンド信号の生成方法を示す図である。図１１において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【００６５】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１１（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【００６６】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【００６７】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法３」の「送信方法１」における位相変更の例として、位相変更に用いる位相θ（ｉ）は、例えば、以下の式（５）のように算出する。
θ（ｉ）＝（２×π×（ｉ  ｍｏｄ  Ｍ））／Ｍラジアン    …式（５）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【００６８】
ただし、式（５）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【００６９】
したがって、「送信方法１」の場合、図１１（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)・・・を各スロットについてこの順に生成して出力する。
【００７０】
送信方法に関する制御信号４１４が、「送信方法２」を示している場合に、演算部６０４は、各スロットについて、送信局＃２用の信号として、図１１（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【００７１】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【００７２】
したがって、アンテナ＄２に対して生成される信号は、スロット２×ｉ（ｉは整数）の場合に、−（ｓ３（ｉ）×ｅjθ(i)）＊となり、スロット２×ｉ＋１（ｉは整数）の場合に、（ｓ２（ｉ）×ｅjθ(i)）＊となる。
「生成方法３」の「送信方法２」においては、位相変更に用いる位相θ（ｉ）は、以下の式（６）のように算出する。
θ（ｉ）＝（２×π×（ｉ  ｍｏｄ  Ｍ））／Ｍラジアン    …式（６）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【００７３】
ただし、式（６）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【００７４】
なお、式（５）と式（６）は同一であり、送信局＃１で与えるθ（ｉ）と送信局＃２で与えるθ（ｉ）は同一の関数である。
したがって、「送信方法２」の場合、図１１（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号−（ｓ３（０）×ｅjθ(0)）＊、（ｓ２（０）×ｅjθ(0)）＊、−（ｓ３（１）×ｅjθ(1)）＊、（ｓ２（１）×ｅjθ(1)）＊、−（ｓ３（２）×ｅjθ(2)）＊、（ｓ２（２）×ｅjθ(2)）＊、−（ｓ３（３）×ｅjθ(3)）＊、（ｓ２（３）×ｅjθ(3)）＊、−（ｓ３（４）×ｅjθ(0)）＊、（ｓ２（４）＊×ｅjθ(0)）＊、・・・を各スロットについてこの順に生成して出力する。
【００７５】
なお、図１１は、あくまでも一例である。
別の例として、例えば、式（５）（式（６））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：−ｓ１（ｉ）＊
送信局＃２、アンテナ＄２：−（ｓ３（ｉ）×ｅjθ(i)）＊
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：ｓ０（ｉ）＊
送信局＃２、アンテナ＄２：（ｓ２（ｉ）×ｅjθ(i)）＊
とあらわすことができる。
【００７６】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【００７７】
なお、式（５）、（６）において周期Ｍ（図１１では、周期４（８スロット周期））の中で、位相変更値は別の並べ方としてもよい。例えば、図１１のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【００７８】
また、図１１では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【００７９】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法４＞
図１２は、送信局＃１、送信局＃２が生成する各スロットの信号について、演算部６０４により生成されるベースバンド信号の生成方法を示す図である。図１２において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【００８０】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１２（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【００８１】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【００８２】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、ｓ３（ｉ）×ｅjθ(k)となる。
「生成方法４」においては、位相変更の周期が２Ｍのときと、２Ｍ＋１のときとで位相変更に用いる位相の算出方法が異なる。
【００８３】
位相変更の周期が２Ｍ、即ち、周期が偶数の場合に、位相変更に用いる位相θ（ｋ）は、例えば、以下の式（７）のように算出する。
θ（ｋ）＝（２×π×（ｋ  ｍｏｄ  ２Ｍ））／２Ｍラジアン    …式（７）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【００８４】
ただし、式（７）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【００８５】
また、位相変更の周期が２Ｍ＋１、即ち、周期が奇数の場合に位相変更に用いる位相θ（ｋ）は、例えば、下記条件の下で式（８）または式（９）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン  …式（８）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））  …式（９）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【００８６】
ただし、式（８）、式（９）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【００８７】
したがって、「送信方法１」の場合、図１２（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(1)、ｓ２（１）×ｅjθ(2)、ｓ３（１）×ｅjθ(3)、ｓ２（２）×ｅjθ(4)、ｓ３（２）×ｅjθ(5)、ｓ２（３）×ｅjθ(6)、ｓ３（３）×ｅjθ(7)、ｓ２（４）×ｅjθ(0)、ｓ３（４）×ｅjθ(1)…を各スロットについてこの順に生成して出力する。
【００８８】
送信方法に関する制御信号４１４が、「送信方法２」を示している場合に、演算部６０４は、各スロットについて、送信局＃２用の信号として、図１２（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【００８９】
したがって、アンテナ＄１に対して生成される信号は、スロットｋ＝２×ｉ（ｉは整数）の場合に、−ｓ１（ｉ）＊となり、スロットｋ＝２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【００９０】
したがって、アンテナ＄２に対して生成される信号は、スロットｋ＝２×ｉ（ｉは整数）の場合に、−（ｓ３（ｉ）×ｅjθ(k+1)）＊となり、スロットｋ＝２×ｉ＋１（ｉは整数）の場合に、（ｓ２（ｉ）×ｅjθ(k-1)）＊となる。
「生成方法４」の「送信方法２」においては、位相変更の周期が２Ｍのときと、２Ｍ＋１のときとで位相変更に用いる位相の算出方法が異なる。
【００９１】
位相変更の周期が２Ｍ、即ち、周期が偶数の場合に、位相変更に用いる位相θ（ｋ）は、例えば、以下の式（１０）のように算出する。
θ（ｋ）＝（２×π×（ｋ  ｍｏｄ  ２Ｍ））／２Ｍラジアン    …式（１０）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【００９２】
ただし、式（１０）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【００９３】
また、位相変更の周期が２Ｍ＋１、即ち、周期が奇数の場合に位相変更に用いる位相θ（ｋ）は、例えば、下記条件の下で式（１１）または式（１２）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（１１）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））  …式（１２）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【００９４】
ただし、式（１１）、式（１２）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【００９５】
したがって、「送信方法２」の場合、図１２（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号−（ｓ３（０）×ｅjθ(1)）＊、（ｓ２（０）×ｅjθ(0)）＊、−（ｓ３（１）×ｅjθ(3)）＊、（ｓ２（１）×ｅjθ(2)）＊、−（ｓ３（２）×ｅjθ(5)）＊、（ｓ２（２）×ｅjθ(4)）＊、−（ｓ３（３）×ｅjθ(7)）＊、（ｓ２（３）×ｅjθ(6)）＊、−（ｓ３（４）×ｅjθ(1)）＊、（ｓ２（４）＊×ｅjθ(0)）＊、・・・を各スロットについてこの順に生成して出力する。
【００９６】
なお、図１２は、あくまでも一例である。
別の例として、例えば、位相変更の周期が２Ｍであり、式（７）、式（８）、式（９）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：−ｓ１（ｉ）＊
送信局＃２、アンテナ＄２：−（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：ｓ０（ｉ）＊
送信局＃２、アンテナ＄２：（ｓ２（ｉ）×ｅjθ(k-1)）＊
とあらわすことができる。
【００９７】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（１０）、式（１１）、式（１２）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：−ｓ１（ｉ）＊
送信局＃２、アンテナ＄２：−（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：ｓ０（ｉ）＊
送信局＃２、アンテナ＄２：（ｓ２（ｉ）×ｅjθ(k-1)）＊
とあらわすことができる。
【００９８】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（７）、（１０）において周期２Ｍ（図１２では、周期８（８スロット周期））の中で、また、式（８）、（９）、（１１）、（１２）において周期２Ｍ＋１の中で、位相変更値は別の並べ方としてもよい。例えば、図１２（ａ）のスロット２では変更する位相の度合いをθ（２）とし、スロット３でθ（３）としているが、スロット２で変更する位相の度合いをθ（３）とし、スロット３でθ（２）としてもよい。
【００９９】
また、図１２では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１００】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０１０１】
＜生成方法５＞
図１３は、送信局＃１、送信局＃２が生成する各スロットの信号について、演算部６０４により生成されるベースバンド信号の生成方法を示す図である。図１３において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１０２】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１３（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１０３】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１０４】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法５」の「送信方法１」における位相変更の例として、位相変更に用いる位相θ（ｉ）は、例えば、以下の式（１３）のように算出する。
θ（ｉ）＝（２×π×（ｉ  ｍｏｄ  Ｍ））／Ｍ  ラジアン    …式（１３）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１０５】
ただし、式（１３）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１０６】
したがって、「送信方法１」の場合、図１３（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)、・・・を各スロットについてこの順に生成して出力する。
【０１０７】
送信方法に関する制御信号４１４が、「送信方法２」を示している場合に、演算部６０４は、各スロットについて、送信局＃２用の信号として、図１３（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０１０８】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０１０９】
したがって、アンテナ＄２に対して生成される信号は、スロット２×ｉ（ｉは整数）の場合に、ｓ３（ｉ）＊×ｅjθ(i)となり、スロット２×ｉ＋１（ｉは整数）の場合に、−ｓ２（ｉ）＊×ｅjθ(i)となる。
「生成方法５」の「送信方法２」においては、位相変更に用いる位相θ（ｉ）は、例えば、以下の式（１４）のように算出する。
θ（ｉ）＝（２×π×（ｉ  ｍｏｄ  Ｍ））／Ｍ  ラジアン    …式（１４）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１１０】
ただし、式（１４）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１１１】
なお、式（１３）と式（１４）は同一であり、送信局＃１で与えるθ（ｉ）と送信局＃２で与えるθ（ｉ）は同一の関数である。
したがって、「送信方法２」の場合、図１３（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号ｓ３（０）＊×ｅjθ(0)、−ｓ２（０）＊×ｅjθ(0)、ｓ３（１）＊×ｅjθ(1)、−ｓ２（１）＊×ｅjθ(1)、ｓ３（２）＊×ｅjθ(2)、−ｓ２（２）＊×ｅjθ(2)、ｓ３（３）＊×ｅjθ(3)、−ｓ２（３）＊×ｅjθ(3)、ｓ３（４）＊×ｅjθ(0)、−ｓ２（４）＊×ｅjθ(0)、・・・を各スロットについてこの順に生成して出力する。
【０１１２】
なお、図１３は、あくまでも一例である。
別の例として、例えば、式（１３）（式（１４））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：−ｓ１（ｉ）＊
送信局＃２、アンテナ＄２：ｓ３（ｉ）＊×ｅjθ(i)
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：ｓ０（ｉ）＊
送信局＃２、アンテナ＄２：−ｓ２（ｉ）＊×ｅjθ(i)
とあらわすことができる。
【０１１３】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０１１４】
なお、式（１３）、（１４）において周期Ｍ（図１３では、周期４（８スロット周期））の中で、位相変更値は別の並べ方としてもよい。例えば、図１３のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０１１５】
また、図１３では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１１６】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法６＞
図１４は、送信局＃１、送信局＃２が生成する各スロットの信号について、演算部６０４により生成されるベースバンド信号の生成方法を示す図である。図１４において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１１７】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１４（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１１８】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１１９】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）×ｅjθa(i)となる。
「生成方法６」の「送信方法１」における位相変更の例として、位相変更に用いる位相θａ（ｉ）は、例えば、以下の式（１５）のように算出する。
θａ（ｉ）＝（２×π×（ｉ  ｍｏｄ  Ｍａ））／Ｍａラジアン…式（１５）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０１２０】
ただし、式（１５）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０１２１】
したがって、「送信方法１」の場合、図１４（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθa(0)、ｓ３（０）×ｅjθa(0)、ｓ２（１）×ｅjθa(1)、ｓ３（１）×ｅjθa(1)、ｓ２（２）×ｅjθa(2)、ｓ３（２）×ｅjθa(2)、ｓ２（３）×ｅjθa(3)、ｓ３（３）×ｅjθa(3)、ｓ２（４）×ｅjθa(0)、ｓ３（４）×ｅjθa(0)、・・・を各スロットについてこの順に生成して出力する。
【０１２２】
送信方法に関する制御信号４１４が、「送信方法２」を示している場合に、演算部６０４は、各スロットについて、送信局＃２用の信号として、図１４（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０１２３】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０１２４】
したがって、アンテナ＄２に対して生成される信号は、スロット２×ｉ（ｉは整数）の場合に、ｓ３（ｉ）＊×ｅjθb(i)となり、スロット２×ｉ＋１（ｉは整数）の場合に、−ｓ２（ｉ）＊×ｅjθb(i)となる。
「生成方法６」の「送信方法２」においては、位相変更に用いる位相θｂ（ｉ）は、例えば、以下の式（１６）のように算出する。
θｂ（ｉ）＝（２×π×（ｉ  ｍｏｄ  Ｍｂ））／Ｍｂラジアン…式（１６）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０１２５】
ただし、式（１６）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０１２６】
したがって、「送信方法２」の場合、図１４（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号ｓ３（０）＊×ｅjθb(0)、−ｓ２（０）＊×ｅjθb(0)、ｓ３（１）＊×ｅjθb(1)、−ｓ２（１）＊×ｅjθb(1)、ｓ３（２）＊×ｅjθb(2)、−ｓ２（２）＊×ｅjθb(2)、ｓ３（３）＊×ｅjθb(3)、−ｓ２（３）＊×ｅjθb(3)、ｓ３（４）＊×ｅjθb(0)、−ｓ２（４）＊×ｅjθb(0)、・・・を各スロットについてこの順に生成して出力する。
【０１２７】
なお、図１４は、あくまでも一例である。
別の例として、例えば、式（１５）および式（１６）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：−ｓ１（ｉ）＊
送信局＃２、アンテナ＄２：ｓ３（ｉ）＊×ｅjθb(i)
スロット２×ｉ＋１において、
送信局＃１、アンテナ＄１：ｓ１（ｉ）
送信局＃１、アンテナ＄２：ｓ３（ｉ）×ｅjθa(i)
送信局＃２、アンテナ＄１：ｓ０（ｉ）＊
送信局＃２、アンテナ＄２：−ｓ２（ｉ）＊×ｅjθb(i)
とあらわすことができる。
【０１２８】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０１２９】
なお、式（１５）、（１６）において周期Ｍａ、Ｍｂ（図１４では、周期４（８スロット周期））の中で、位相変更値は別の並べ方としてもよい。例えば、図１４のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０１３０】
また、図１４では、位相変更の周期が４（８スロット周期）の場合を示しているが、これに限ったものではなく、別の周期であってもよい。そして、図１４とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１３１】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法７＞
図１５は、送信局＃１、送信局＃２が生成する各スロットの信号について、演算部６０４により生成されるベースバンド信号の生成方法を示す図である。図１５において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１３２】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１５（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１３３】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１３４】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法７」の「送信方法１」における位相変更の例として、位相変更に用いる位相θ（ｉ）は、例えば、以下の式（１７）のように算出する。
θ（ｉ）＝（２×π×（ｉ  ｍｏｄ  Ｍ））／Ｍラジアン    …式（１７）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１３５】
ただし、式（１７）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１３６】
したがって、「送信方法１」の場合、図１５（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)・・・を各スロットについてこの順に生成して出力する。
【０１３７】
送信方法に関する制御信号４１４が、「送信方法２」を示している場合に、演算部６０４は、各スロットについて、送信局＃２用の信号として、図１５（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０１３８】
したがって、アンテナ＄１に対して生成される信号は、スロット２×ｉ（ｉは整数）の場合に、−ｓ１（ｉ）＊となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０１３９】
したがって、アンテナ＄２に対して生成される信号は、スロット２×ｉ（ｉは整数）の場合に、（ｓ３（ｉ）×ｅjθ(i)）＊となり、スロット２×ｉ＋１（ｉは整数）の場合に、−（ｓ２（ｉ）×ｅjθ(i)）＊となる。
「生成方法７」の「送信方法２」においては、位相変更に用いる位相θ（ｉ）は、以下の式（１８）のように算出する。
θ（ｉ）＝（２×π×（ｉ  ｍｏｄ  Ｍ））／Ｍラジアン    …式（１８）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１４０】
ただし、式（１８）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１４１】
なお、式（１７）と式（１８）は同一であり、送信局＃１で与えるθ（ｉ）と送信局＃２で与えるθ（ｉ）は同一の関数である。
したがって、「送信方法２」の場合、図１５（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号（ｓ３（０）×ｅjθ(0)）＊、−（ｓ２（０）×ｅjθ(0)）＊、（ｓ３（１）×ｅjθ(1)）＊、−（ｓ２（１）×ｅjθ(1)）＊、（ｓ３（２）×ｅjθ(2)）＊、−（ｓ２（２）×ｅjθ(2)）＊、（ｓ３（３）×ｅjθ(3)）＊、−（ｓ２（３）×ｅjθ(3)）＊、（ｓ３（４）×ｅjθ(0)）＊、−（ｓ２（４）＊×ｅjθ(0)）＊、・・・を各スロットについてこの順に生成して出力する。
【０１４２】
なお、図１５は、あくまでも一例である。
別の例として、例えば、式（１７）（式（１８））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：−ｓ１（ｉ）＊
送信局＃２、アンテナ＄２：（ｓ３（ｉ）×ｅjθ(i)）＊
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：ｓ０（ｉ）＊
送信局＃２、アンテナ＄２：−（ｓ２（ｉ）×ｅjθ(i)）＊
とあらわすことができる。
【０１４３】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０１４４】
なお、式（１７）、（１８）において周期Ｍ（図１５では、周期４（８スロット周期））の中で、位相変更値は別の並べ方としてもよい。例えば、図１５のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０１４５】
また、図１５では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１４６】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法８＞
図１６は、送信局＃１、送信局＃２が生成する各スロットの信号について、演算部６０４により生成されるベースバンド信号の生成方法を示す図である。図１６において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１４７】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１６（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１４８】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１４９】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、ｓ３（ｉ）×ｅjθ(k)となる。
「生成方法８」においては、位相変更の周期が２Ｍのときと、２Ｍ＋１のときとで位相変更に用いる位相の算出方法が異なる。
【０１５０】
位相変更の周期が２Ｍ、即ち、周期が偶数の場合に、位相変更に用いる位相θ（ｋ）は、例えば、以下の式（１９）のように算出する。
θ（ｋ）＝（２×π×（ｋ  ｍｏｄ  ２Ｍ））／２Ｍラジアン    …式（１９）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０１５１】
ただし、式（１９）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０１５２】
また、位相変更の周期が２Ｍ＋１、即ち、周期が奇数の場合に位相変更に用いる位相θ（ｋ）は、例えば、下記条件の下で式（２０）または式（２１）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（２０）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（２１）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０１５３】
ただし、式（２０）、式（２１）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０１５４】
したがって、「送信方法１」の場合、図１６（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(1)、ｓ２（１）×ｅjθ(2)、ｓ３（１）×ｅjθ(3)、ｓ２（２）×ｅjθ(4)、ｓ３（２）×ｅjθ(5)、ｓ２（３）×ｅjθ(6)、ｓ３（３）×ｅjθ(7)、ｓ２（４）×ｅjθ(0)、ｓ３（４）×ｅjθ(1)…を各スロットについてこの順に生成して出力する。
【０１５５】
送信方法に関する制御信号４１４が、「送信方法２」を示している場合に、演算部６０４は、各スロットについて、送信局＃２用の信号として、図１６（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０１５６】
したがって、アンテナ＄１に対して生成される信号は、スロットｋ＝２×ｉ（ｉは整数）の場合に、−ｓ１（ｉ）＊となり、スロットｋ＝２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０１５７】
したがって、アンテナ＄２に対して生成される信号は、スロットｋ＝２×ｉ（ｉは整数）の場合に、（ｓ３（ｉ）×ｅjθ(k+1)）＊となり、スロットｋ＝２×ｉ＋１（ｉは整数）の場合に、−（ｓ２（ｉ）×ｅjθ(k-1)）＊となる。
「生成方法８」の「送信方法２」においては、位相変更の周期が２Ｍのときと、２Ｍ＋１のときとで位相変更に用いる位相の算出方法が異なる。
【０１５８】
位相変更の周期が２Ｍ、即ち、周期が偶数の場合に、位相変更に用いる位相θ（ｋ）は、例えば、以下の式（２２）のように算出する。
θ（ｋ）＝（２×π×（ｋ  ｍｏｄ  ２Ｍ））／２Ｍラジアン    …式（２２）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０１５９】
ただし、式（２２）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０１６０】
また、位相変更の周期が２Ｍ＋１、即ち、周期が奇数の場合に位相変更に用いる位相θ（ｋ）は、例えば、下記条件の下で式（２３）または式（２４）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（２３）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（２４）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０１６１】
ただし、式（２３）、式（２４）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０１６２】
したがって、「送信方法２」の場合、図１６（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号−ｓ１（０）＊、ｓ０（０）＊、−ｓ１（１）＊、ｓ０（１）＊、−ｓ１（２）＊、ｓ０（２）＊、−ｓ１（３）＊、ｓ０（３）＊、−ｓ１（４）＊、ｓ０（４）＊、・・・を各スロットについてこの順に生成して出力し、アンテナ＄２用のベースバンド信号（ｓ３（０）×ｅjθ(1)）＊、−（ｓ２（０）×ｅjθ(0)）＊、（ｓ３（１）×ｅjθ(3)）＊、−（ｓ２（１）×ｅjθ(2)）＊、（ｓ３（２）×ｅjθ(5)）＊、−（ｓ２（２）×ｅjθ(4)）＊、（ｓ３（３）×ｅjθ(7)）＊、−（ｓ２（３）×ｅjθ(6)）＊、（ｓ３（４）×ｅjθ(1)）＊、−（ｓ２（４）＊×ｅjθ(0)）＊、・・・を各スロットについてこの順に生成して出力する。
【０１６３】
なお、図１６は、あくまでも一例である。
別の例として、例えば、位相変更の周期が２Ｍであり、式（１９）、式（２０）、式（２１）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：−ｓ１（ｉ）＊
送信局＃２、アンテナ＄２：（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：ｓ０（ｉ）＊
送信局＃２、アンテナ＄２：−（ｓ２（ｉ）×ｅjθ(k-1)）＊
とあらわすことができる。
【０１６４】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（２２）、式（２３）、式（２４）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：−ｓ１（ｉ）＊
送信局＃２、アンテナ＄２：（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：ｓ０（ｉ）＊
送信局＃２、アンテナ＄２：−（ｓ２（ｉ）×ｅjθ(k-1)）＊
とあらわすことができる。
【０１６５】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（１９）、（２２）において周期２Ｍ（図１６では、周期８（８スロット周期））の中で、また、式（２０）、（２１）、（２３）、（２４）において周期２Ｍ＋１の中で、位相変更値は別の並べ方としてもよい。例えば、図１６（ａ）のスロット２では変更する位相の度合いをθ（２）とし、スロット３でθ（３）としているが、スロット２で変更する位相の度合いをθ（３）とし、スロット３でθ（２）としてもよい。
【０１６６】
また、図１６では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１６７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０１６８】
＜生成方法９＞
図１７は、送信局＃１、送信局＃２が生成する各スロットの信号について、演算部６０４により生成されるベースバンド信号の生成方法を示す図である。図１７において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１６９】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１７（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１７０】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１７１】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法９」の「送信方法１」における位相変更の例として、位相変更に用いる位相θ（ｉ）は、例えば、以下の式（２５）のように算出する。
θ（ｉ）＝（２×π×（ｉ  ｍｏｄ  Ｍ））／Ｍ  ラジアン    …式（２５）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１７２】
ただし、式（２５）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１７３】
したがって、「送信方法１」の場合、図１７（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)、・・・を各スロットについてこの順に生成して出力する。
【０１７４】
送信方法に関する制御信号４１４が、「送信方法２」を示している場合に、演算部６０４は、各スロットについて、送信局＃２用の信号として、図１７（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０１７５】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０１７６】
したがって、アンテナ＄２に対して生成される信号は、スロット２×ｉ（ｉは整数）の場合に、−ｓ３（ｉ）＊×ｅjθ(i)となり、スロット２×ｉ＋１（ｉは整数）の場合に、ｓ２（ｉ）＊×ｅjθ(i)となる。
「生成方法９」の「送信方法２」においては、位相変更に用いる位相θ（ｉ）は、例えば、以下の式（２６）のように算出する。
θ（ｉ）＝（２×π×（ｉ  ｍｏｄ  Ｍ））／Ｍ  ラジアン    …式（２６）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０１７７】
ただし、式（２６）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０１７８】
なお、式（２５）と式（２６）は同一であり、送信局＃１で与えるθ（ｉ）と送信局＃２で与えるθ（ｉ）は同一の関数である。
したがって、「送信方法２」の場合、図１７（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号−ｓ３（０）＊×ｅjθ(0)、ｓ２（０）＊×ｅjθ(0)、−ｓ３（１）＊×ｅjθ(1)、ｓ２（１）＊×ｅjθ(1)、−ｓ３（２）＊×ｅjθ(2)、ｓ２（２）＊×ｅjθ(2)、−ｓ３（３）＊×ｅjθ(3)、ｓ２（３）＊×ｅjθ(3)、−ｓ３（４）＊×ｅjθ(0)、ｓ２（４）＊×ｅjθ(0)、・・・を各スロットについてこの順に生成して出力する。
【０１７９】
なお、図１７は、あくまでも一例である。
別の例として、例えば、式（２５）（式（２６））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）＊
送信局＃２、アンテナ＄２：−ｓ３（ｉ）＊×ｅjθ(i)
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：−ｓ０（ｉ）＊
送信局＃２、アンテナ＄２：ｓ２（ｉ）＊×ｅjθ(i)
とあらわすことができる。
【０１８０】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０１８１】
なお、式（２５）、（２６）において周期Ｍ（図１７では、周期４（８スロット周期））の中で、位相変更値は別の並べ方としてもよい。例えば、図１７のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０１８２】
また、図１７では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１８３】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法１０＞
図１８は、送信局＃１、送信局＃２が生成する各スロットの信号について、演算部６０４により生成されるベースバンド信号の生成方法を示す図である。図１８において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１８４】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１８（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０１８５】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０１８６】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）×ｅjθa(i)となる。
「生成方法１０」の「送信方法１」における位相変更の例として、位相変更に用いる位相θａ（ｉ）は、例えば、以下の式（２７）のように算出する。
θａ（ｉ）＝（２×π×（ｉ  ｍｏｄ  Ｍａ））／Ｍａラジアン…式（２７）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０１８７】
ただし、式（２７）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０１８８】
したがって、「送信方法１」の場合、図１８（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθa(0)、ｓ３（０）×ｅjθa(0)、ｓ２（１）×ｅjθa(1)、ｓ３（１）×ｅjθa(1)、ｓ２（２）×ｅjθa(2)、ｓ３（２）×ｅjθa(2)、ｓ２（３）×ｅjθa(3)、ｓ３（３）×ｅjθa(3)、ｓ２（４）×ｅjθa(0)、ｓ３（４）×ｅjθa(0)、・・・を各スロットについてこの順に生成して出力する。
【０１８９】
送信方法に関する制御信号４１４が、「送信方法２」を示している場合に、演算部６０４は、各スロットについて、送信局＃２用の信号として、図１８（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０１９０】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０１９１】
したがって、アンテナ＄２に対して生成される信号は、スロット２×ｉ（ｉは整数）の場合に、−ｓ３（ｉ）＊×ｅjθb(i)となり、スロット２×ｉ＋１（ｉは整数）の場合に、ｓ２（ｉ）＊×ｅjθb(i)となる。
「生成方法１０」の「送信方法２」においては、位相変更に用いる位相θｂ（ｉ）は、例えば、以下の式（２８）のように算出する。
θｂ（ｉ）＝（２×π×（ｉ  ｍｏｄ  Ｍｂ））／Ｍｂラジアン…式（２８）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０１９２】
ただし、式（２８）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０１９３】
したがって、「送信方法２」の場合、図１８（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号−ｓ３（０）＊×ｅjθb(0)、ｓ２（０）＊×ｅjθb(0)、−ｓ３（１）＊×ｅjθb(1)、ｓ２（１）＊×ｅjθb(1)、−ｓ３（２）＊×ｅjθb(2)、ｓ２（２）＊×ｅjθb(2)、−ｓ３（３）＊×ｅjθb(3)、ｓ２（３）＊×ｅjθb(3)、−ｓ３（４）＊×ｅjθb(0)、ｓ２（４）＊×ｅjθb(0)、・・・を各スロットについてこの順に生成して出力する。
【０１９４】
なお、図１８は、あくまでも一例である。
別の例として、例えば、式（２７）および式（２８）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）＊
送信局＃２、アンテナ＄２：−ｓ３（ｉ）＊×ｅjθb(i)
スロット２×ｉ＋１において、
送信局＃１、アンテナ＄１：ｓ１（ｉ）
送信局＃１、アンテナ＄２：ｓ３（ｉ）×ｅjθa(i)
送信局＃２、アンテナ＄１：−ｓ０（ｉ）＊
送信局＃２、アンテナ＄２：ｓ２（ｉ）＊×ｅjθb(i)
とあらわすことができる。
【０１９５】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０１９６】
なお、式（２７）、（２８）において周期Ｍａ、Ｍｂ（図１８では、周期４（８スロット周期））の中で、位相変更値は別の並べ方としてもよい。例えば、図１８のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０１９７】
また、図１８では、位相変更の周期が４（８スロット周期）の場合を示しているが、これに限ったものではなく、別の周期であってもよい。そして、図１８とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０１９８】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法１１＞
図１９は、送信局＃１、送信局＃２が生成する各スロットの信号について、演算部６０４により生成されるベースバンド信号の生成方法を示す図である。図１９において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０１９９】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図１９（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２００】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２０１】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法１１」の「送信方法１」における位相変更の例として、位相変更に用いる位相θ（ｉ）は、例えば、以下の式（２９）のように算出する。
θ（ｉ）＝（２×π×（ｉ  ｍｏｄ  Ｍ））／Ｍラジアン    …式（２９）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２０２】
ただし、式（２９）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２０３】
したがって、「送信方法１」の場合、図１９（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)・・・を各スロットについてこの順に生成して出力する。
【０２０４】
送信方法に関する制御信号４１４が、「送信方法２」を示している場合に、演算部６０４は、各スロットについて、送信局＃２用の信号として、図１９（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０２０５】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０２０６】
したがって、アンテナ＄２に対して生成される信号は、スロット２×ｉ（ｉは整数）の場合に、−（ｓ３（ｉ）×ｅjθ(i)）＊となり、スロット２×ｉ＋１（ｉは整数）の場合に、（ｓ２（ｉ）×ｅjθ(i)）＊となる。
「生成方法１１」の「送信方法２」においては、位相変更に用いる位相θ（ｉ）は、以下の式（３０）のように算出する。
θ（ｉ）＝（２×π×（ｉ  ｍｏｄ  Ｍ））／Ｍラジアン    …式（３０）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２０７】
ただし、式（３０）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２０８】
なお、式（２９）と式（３０）は同一であり、送信局＃１で与えるθ（ｉ）と送信局＃２で与えるθ（ｉ）は同一の関数である。
したがって、「送信方法２」の場合、図１９（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号−（ｓ３（０）×ｅjθ(0)）＊、（ｓ２（０）×ｅjθ(0)）＊、−（ｓ３（１）×ｅjθ(1)）＊、（ｓ２（１）×ｅjθ(1)）＊、−（ｓ３（２）×ｅjθ(2)）＊、（ｓ２（２）×ｅjθ(2)）＊、−（ｓ３（３）×ｅjθ(3)）＊、（ｓ２（３）×ｅjθ(3)）＊、−（ｓ３（４）×ｅjθ(0)）＊、（ｓ２（４）＊×ｅjθ(0)）＊、・・・を各スロットについてこの順に生成して出力する。
【０２０９】
なお、図１９は、あくまでも一例である。
別の例として、例えば、式（２９）（式（３０））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）＊
送信局＃２、アンテナ＄２：−（ｓ３（ｉ）×ｅjθ(i)）＊
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：−ｓ０（ｉ）＊
送信局＃２、アンテナ＄２：（ｓ２（ｉ）×ｅjθ(i)）＊
とあらわすことができる。
【０２１０】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０２１１】
なお、式（２９）、（３０）において周期Ｍ（図１９では、周期４（８スロット周期））の中で、位相変更値は別の並べ方としてもよい。例えば、図１９のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０２１２】
また、図１９では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０２１３】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法１２＞
図２０は、送信局＃１、送信局＃２が生成する各スロットの信号について、演算部６０４により生成されるベースバンド信号の生成方法を示す図である。図２０において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０２１４】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２０（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２１５】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２１６】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、ｓ３（ｉ）×ｅjθ(k)となる。
「生成方法１２」においては、位相変更の周期が２Ｍのときと、２Ｍ＋１のときとで位相変更に用いる位相の算出方法が異なる。
【０２１７】
位相変更の周期が２Ｍ、即ち、周期が偶数の場合に、位相変更に用いる位相θ（ｋ）は、例えば、以下の式（３１）のように算出する。
θ（ｋ）＝（２×π×（ｋ  ｍｏｄ  ２Ｍ））／２Ｍラジアン    …式（３１）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０２１８】
ただし、式（３１）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０２１９】
また、位相変更の周期が２Ｍ＋１、即ち、周期が奇数の場合に位相変更に用いる位相θ（ｋ）は、例えば、下記条件の下で式（３２）または式（３３）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（３２）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（３３）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０２２０】
ただし、式（３２）、式（３３）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０２２１】
したがって、「送信方法１」の場合、図２０（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(1)、ｓ２（１）×ｅjθ(2)、ｓ３（１）×ｅjθ(3)、ｓ２（２）×ｅjθ(4)、ｓ３（２）×ｅjθ(5)、ｓ２（３）×ｅjθ(6)、ｓ３（３）×ｅjθ(7)、ｓ２（４）×ｅjθ(0)、ｓ３（４）×ｅjθ(1)…を各スロットについてこの順に生成して出力する。
【０２２２】
送信方法に関する制御信号４１４が、「送信方法２」を示している場合に、演算部６０４は、各スロットについて、送信局＃２用の信号として、図２０（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０２２３】
したがって、アンテナ＄１に対して生成される信号は、スロットｋ＝２×ｉ（ｉは整数）の場合に、ｓ１（ｉ）＊となり、スロットｋ＝２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０２２４】
したがって、アンテナ＄２に対して生成される信号は、スロットｋ＝２×ｉ（ｉは整数）の場合に、−（ｓ３（ｉ）×ｅjθ(k+1)）＊となり、スロットｋ＝２×ｉ＋１（ｉは整数）の場合に、（ｓ２（ｉ）×ｅjθ(k-1)）＊となる。
「生成方法１２」の「送信方法２」においては、位相変更の周期が２Ｍのときと、２Ｍ＋１のときとで位相変更に用いる位相の算出方法が異なる。
【０２２５】
位相変更の周期が２Ｍ、即ち、周期が偶数の場合に、位相変更に用いる位相θ（ｋ）は、例えば、以下の式（３４）のように算出する。
θ（ｋ）＝（２×π×（ｋ  ｍｏｄ  ２Ｍ））／２Ｍラジアン    …式（３４）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０２２６】
ただし、式（３４）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０２２７】
また、位相変更の周期が２Ｍ＋１、即ち、周期が奇数の場合に位相変更に用いる位相θ（ｋ）は、例えば、下記条件の下で式（３５）または式（３６）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（３５）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（３６）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０２２８】
ただし、式（３５）、式（３６）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０２２９】
したがって、「送信方法２」の場合、図２０（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号−（ｓ３（０）×ｅjθ(1)）＊、（ｓ２（０）×ｅjθ(0)）＊、−（ｓ３（１）×ｅjθ(3)）＊、（ｓ２（１）×ｅjθ(2)）＊、−（ｓ３（２）×ｅjθ(5)）＊、（ｓ２（２）×ｅjθ(4)）＊、−（ｓ３（３）×ｅjθ(7)）＊、（ｓ２（３）×ｅjθ(6)）＊、−（ｓ３（４）×ｅjθ(1)）＊、（ｓ２（４）＊×ｅjθ(0)）＊、・・・を各スロットについてこの順に生成して出力する。
【０２３０】
なお、図２０は、あくまでも一例である。
別の例として、例えば、位相変更の周期が２Ｍであり、式（３１）、式（３２）、式（３３）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）＊
送信局＃２、アンテナ＄２：−（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：−ｓ０（ｉ）＊
送信局＃２、アンテナ＄２：（ｓ２（ｉ）×ｅjθ(k-1)）＊
とあらわすことができる。
【０２３１】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（３４）、式（３５）、式（３６）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）＊
送信局＃２、アンテナ＄２：−（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：−ｓ０（ｉ）＊
送信局＃２、アンテナ＄２：（ｓ２（ｉ）×ｅjθ(k-1)）＊
とあらわすことができる。
【０２３２】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（３１）、（３４）において周期２Ｍ（図２０では、周期８（８スロット周期））の中で、また、式（３２）、（３３）、（３５）、（３６）において周期２Ｍ＋１の中で、位相変更値は別の並べ方としてもよい。例えば、図２０（ａ）のスロット２では変更する位相の度合いをθ（２）とし、スロット３でθ（３）としているが、スロット２で変更する位相の度合いをθ（３）とし、スロット３でθ（２）としてもよい。
【０２３３】
また、図２０では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０２３４】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０２３５】
＜生成方法１３＞
図２１は、送信局＃１、送信局＃２が生成する各スロットの信号について、演算部６０４により生成されるベースバンド信号の生成方法を示す図である。図２１において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０２３６】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２１（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２３７】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２３８】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法１３」の「送信方法１」における位相変更の例として、位相変更に用いる位相θ（ｉ）は、例えば、以下の式（３７）のように算出する。
θ（ｉ）＝（２×π×（ｉ  ｍｏｄ  Ｍ））／Ｍ  ラジアン    …式（３７）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２３９】
ただし、式（３７）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２４０】
したがって、「送信方法１」の場合、図２１（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)、・・・を各スロットについてこの順に生成して出力する。
【０２４１】
送信方法に関する制御信号４１４が、「送信方法２」を示している場合に、演算部６０４は、各スロットについて、送信局＃２用の信号として、図２１（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０２４２】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０２４３】
したがって、アンテナ＄２に対して生成される信号は、スロット２×ｉ（ｉは整数）の場合に、ｓ３（ｉ）＊×ｅjθ(i)となり、スロット２×ｉ＋１（ｉは整数）の場合に、−ｓ２（ｉ）＊×ｅjθ(i)となる。
「生成方法１３」の「送信方法２」においては、位相変更に用いる位相θ（ｉ）は、例えば、以下の式（３８）のように算出する。
θ（ｉ）＝（２×π×（ｉ  ｍｏｄ  Ｍ））／Ｍ  ラジアン    …式（３８）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２４４】
ただし、式（３８）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２４５】
なお、式（３７）と式（３８）は同一であり、送信局＃１で与えるθ（ｉ）と送信局＃２で与えるθ（ｉ）は同一の関数である。
したがって、「送信方法２」の場合、図２１（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号ｓ３（０）＊×ｅjθ(0)、−ｓ２（０）＊×ｅjθ(0)、ｓ３（１）＊×ｅjθ(1)、−ｓ２（１）＊×ｅjθ(1)、ｓ３（２）＊×ｅjθ(2)、−ｓ２（２）＊×ｅjθ(2)、ｓ３（３）＊×ｅjθ(3)、−ｓ２（３）＊×ｅjθ(3)、ｓ３（４）＊×ｅjθ(0)、−ｓ２（４）＊×ｅjθ(0)、・・・を各スロットについてこの順に生成して出力する。
【０２４６】
なお、図２１は、あくまでも一例である。
別の例として、例えば、式（３７）（式（３８））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）＊
送信局＃２、アンテナ＄２：ｓ３（ｉ）＊×ｅjθ(i)
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：−ｓ０（ｉ）＊
送信局＃２、アンテナ＄２：−ｓ２（ｉ）＊×ｅjθ(i)
とあらわすことができる。
【０２４７】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０２４８】
なお、式（３７）、（３８）において周期Ｍ（図２１では、周期４（８スロット周期））の中で、位相変更値は別の並べ方としてもよい。例えば、図２１のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０２４９】
また、図２１では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０２５０】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法１４＞
図２２は、送信局＃１、送信局＃２が生成する各スロットの信号について、演算部６０４により生成されるベースバンド信号の生成方法を示す図である。図２２において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０２５１】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２２（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２５２】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２５３】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）×ｅjθa(i)となる。
「生成方法１４」の「送信方法１」における位相変更の例として、位相変更に用いる位相θａ（ｉ）は、例えば、以下の式（３９）のように算出する。
θａ（ｉ）＝（２×π×（ｉ  ｍｏｄ  Ｍａ））／Ｍａラジアン…式（３９）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０２５４】
ただし、式（３９）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０２５５】
したがって、「送信方法１」の場合、図２２（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθa(0)、ｓ３（０）×ｅjθa(0)、ｓ２（１）×ｅjθa(1)、ｓ３（１）×ｅjθa(1)、ｓ２（２）×ｅjθa(2)、ｓ３（２）×ｅjθa(2)、ｓ２（３）×ｅjθa(3)、ｓ３（３）×ｅjθa(3)、ｓ２（４）×ｅjθa(0)、ｓ３（４）×ｅjθa(0)、・・・を各スロットについてこの順に生成して出力する。
【０２５６】
送信方法に関する制御信号４１４が、「送信方法２」を示している場合に、演算部６０４は、各スロットについて、送信局＃２用の信号として、図２２（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞その複素共役をとり、＜ＩＩ＞一方のみ、その負をとり、＜ＩＩＩ＞スロットを入れ替える。
【０２５７】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その複素共役をとり、＜ＩＩ＞一方のみ、その負をとり、＜ＩＩＩ＞その位相を変更する位相変更処理を施し、＜ＩＶ＞スロットを入れ替える。この位相変更処理は、規則的に変更する位相の度合いを変えながら行われる。
【０２５８】
したがって、アンテナ＄２に対して生成される信号は、スロット２×ｉ（ｉは整数）の場合に、ｓ３（ｉ）＊×ｅjθb(i)となり、スロット２×ｉ＋１（ｉは整数）の場合に、−ｓ２（ｉ）＊×ｅjθb(i)となる。
「生成方法１４」の「送信方法２」においては、位相変更に用いる位相θｂ（ｉ）は、例えば、以下の式（４０）のように算出する。
θｂ（ｉ）＝（２×π×（ｉ  ｍｏｄ  Ｍｂ））／Ｍｂラジアン…式（４０）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０２５９】
ただし、式（４０）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０２６０】
したがって、「送信方法２」の場合、図２２（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号ｓ３（０）＊×ｅjθb(0)、−ｓ２（０）＊×ｅjθb(0)、ｓ３（１）＊×ｅjθb(1)、−ｓ２（１）＊×ｅjθb(1)、ｓ３（２）＊×ｅjθb(2)、−ｓ２（２）＊×ｅjθb(2)、ｓ３（３）＊×ｅjθb(3)、−ｓ２（３）＊×ｅjθb(3)、ｓ３（４）＊×ｅjθb(0)、−ｓ２（４）＊×ｅjθb(0)、・・・を各スロットについてこの順に生成して出力する。
【０２６１】
なお、図２２は、あくまでも一例である。
別の例として、例えば、式（３９）および式（４０）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）＊
送信局＃２、アンテナ＄２：ｓ３（ｉ）＊×ｅjθb(i)
スロット２×ｉ＋１において、
送信局＃１、アンテナ＄１：ｓ１（ｉ）
送信局＃１、アンテナ＄２：ｓ３（ｉ）×ｅjθa(i)
送信局＃２、アンテナ＄１：−ｓ０（ｉ）＊
送信局＃２、アンテナ＄２：−ｓ２（ｉ）＊×ｅjθb(i)
とあらわすことができる。
【０２６２】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０２６３】
なお、式（３９）、（４０）において周期Ｍａ、Ｍｂ（図２２では、周期４（８スロット周期））の中で、位相変更値は別の並べ方としてもよい。例えば、図２２のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０２６４】
また、図２２では、位相変更の周期が４（８スロット周期）の場合を示しているが、これに限ったものではなく、別の周期であってもよい。そして、図２２とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０２６５】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法１５＞
図２３は、送信局＃１、送信局＃２が生成する各スロットの信号について、演算部６０４により生成されるベースバンド信号の生成方法を示す図である。図２３において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０２６６】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２３（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２６７】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２６８】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）×ｅjθ(i)となる。
「生成方法１５」の「送信方法１」における位相変更の例として、位相変更に用いる位相θ（ｉ）は、例えば、以下の式（４１）のように算出する。
θ（ｉ）＝（２×π×（ｉ  ｍｏｄ  Ｍ））／Ｍラジアン    …式（４１）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２６９】
ただし、式（４１）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２７０】
したがって、「送信方法１」の場合、図２３（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(0)、ｓ２（１）×ｅjθ(1)、ｓ３（１）×ｅjθ(1)、ｓ２（２）×ｅjθ(2)、ｓ３（２）×ｅjθ(2)、ｓ２（３）×ｅjθ(3)、ｓ３（３）×ｅjθ(3)、ｓ２（４）×ｅjθ(0)、ｓ３（４）×ｅjθ(0)・・・を各スロットについてこの順に生成して出力する。
【０２７１】
送信方法に関する制御信号４１４が、「送信方法２」を示している場合に、演算部６０４は、各スロットについて、送信局＃２用の信号として、図２３（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０２７２】
したがって、アンテナ＄１に対して生成される信号は、スロット２×ｉ（ｉは整数）の場合に、ｓ１（ｉ）＊となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０２７３】
したがって、アンテナ＄２に対して生成される信号は、スロット２×ｉ（ｉは整数）の場合に、（ｓ３（ｉ）×ｅjθ(i)）＊となり、スロット２×ｉ＋１（ｉは整数）の場合に、−（ｓ２（ｉ）×ｅjθ(i)）＊となる。
「生成方法１５」の「送信方法２」においては、位相変更に用いる位相θ（ｉ）は、以下の式（４２）のように算出する。
θ（ｉ）＝（２×π×（ｉ  ｍｏｄ  Ｍ））／Ｍラジアン    …式（４２）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０２７４】
ただし、式（４２）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０２７５】
なお、式（４１）と式（４２）は同一であり、送信局＃１で与えるθ（ｉ）と送信局＃２で与えるθ（ｉ）は同一の関数である。
したがって、「送信方法２」の場合、図２３（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号（ｓ３（０）×ｅjθ(0)）＊、−（ｓ２（０）×ｅjθ(0)）＊、（ｓ３（１）×ｅjθ(1)）＊、−（ｓ２（１）×ｅjθ(1)）＊、（ｓ３（２）×ｅjθ(2)）＊、−（ｓ２（２）×ｅjθ(2)）＊、（ｓ３（３）×ｅjθ(3)）＊、−（ｓ２（３）×ｅjθ(3)）＊、（ｓ３（４）×ｅjθ(0)）＊、−（ｓ２（４）＊×ｅjθ(0)）＊、・・・を各スロットについてこの順に生成して出力する。
【０２７６】
なお、図２３は、あくまでも一例である。
別の例として、例えば、式（４１）（式（４２））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）＊
送信局＃２、アンテナ＄２：（ｓ３（ｉ）×ｅjθ(i)）＊
スロット２×ｉ＋１において、
送信局＃１、アンテナ＄１：ｓ１（ｉ）
送信局＃１、アンテナ＄２：ｓ３（ｉ）×ｅjθ(i)
送信局＃２、アンテナ＄１：−ｓ０（ｉ）＊
送信局＃２、アンテナ＄２：−（ｓ２（ｉ）×ｅjθ(i)）＊
とあらわすことができる。
【０２７７】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０２７８】
なお、式（４１）、（４２）において周期Ｍ（図２３では、周期４（８スロット周期））の中で、位相変更値は別の並べ方としてもよい。例えば、図２３のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０２７９】
また、図２３では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０２８０】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法１６＞
図２４は、送信局＃１、送信局＃２が生成する各スロットの信号について、演算部６０４により生成されるベースバンド信号の生成方法を示す図である。図２４において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０２８１】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２４（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に処理を施さずに、アンテナ＄１用のベースバンド信号６０５Ａ（図４の４０５Ａ）を出力する。
【０２８２】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）となる。
そして、アンテナ＄２が送信する信号として、演算部６０４に入力される信号ｓ２（ｔ）、ｓ３（ｔ）には、その位相を変更する位相変更処理を施す。この位相変更処理は、規則的に変更する位相の度合いを変えながら行われる。
【０２８３】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、ｓ３（ｉ）×ｅjθ(k)となる。
「生成方法１６」においては、位相変更の周期が２Ｍのときと、２Ｍ＋１のときとで位相変更に用いる位相の算出方法が異なる。
【０２８４】
位相変更の周期が２Ｍ、即ち、周期が偶数の場合に、位相変更に用いる位相θ（ｋ）は、例えば、以下の式（４３）のように算出する。
θ（ｋ）＝（２×π×（ｋ  ｍｏｄ  ２Ｍ））／２Ｍラジアン    …式（４３）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０２８５】
ただし、式（４３）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０２８６】
また、位相変更の周期が２Ｍ＋１、即ち、周期が奇数の場合に位相変更に用いる位相θ（ｋ）は、例えば、下記条件の下で式（４４）または式（４５）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（４４）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（４５）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０２８７】
ただし、式（４４）、式（４５）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０２８８】
したがって、「送信方法１」の場合、図２４（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）、ｓ０（１）、ｓ１（１）、ｓ０（２）、ｓ１（２）、ｓ０（３）、ｓ１（３）、ｓ０（４）、ｓ１（４）、・・・を各スロットについてこの順に生成して出力し、アンテナ＄２用のベースバンド信号ｓ２（０）×ｅjθ(0)、ｓ３（０）×ｅjθ(1)、ｓ２（１）×ｅjθ(2)、ｓ３（１）×ｅjθ(3)、ｓ２（２）×ｅjθ(4)、ｓ３（２）×ｅjθ(5)、ｓ２（３）×ｅjθ(6)、ｓ３（３）×ｅjθ(7)、ｓ２（４）×ｅjθ(0)、ｓ３（４）×ｅjθ(1)…を各スロットについてこの順に生成して出力する。
【０２８９】
送信方法に関する制御信号４１４が、「送信方法２」を示している場合に、演算部６０４は、各スロットについて、送信局＃２用の信号として、図２４（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞その複素共役をとり、＜ＩＩ＞一方のみ、その負をとり、＜ＩＩＩ＞スロットを入れ替える。
【０２９０】
したがって、アンテナ＄１に対して生成される信号は、スロットｋ＝２×ｉ（ｉは整数）の場合に、ｓ１（ｉ）＊となり、スロットｋ＝２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞その複素共役をとり、＜ＩＩＩ＞一方のみ、その負をとり、＜ＩＶ＞スロットを入れ替える。この位相変更処理は、規則的に変更する位相の度合いを変えながら行われる。
【０２９１】
したがって、アンテナ＄２に対して生成される信号は、スロットｋ＝２×ｉ（ｉは整数）の場合に、（ｓ３（ｉ）×ｅjθ(k+1)）＊となり、スロットｋ＝２×ｉ＋１（ｉは整数）の場合に、−（ｓ２（ｉ）×ｅjθ(k-1)）＊となる。
「生成方法１６」の「送信方法２」においては、位相変更の周期が２Ｍのときと、２Ｍ＋１のときとで位相変更に用いる位相の算出方法が異なる。
【０２９２】
位相変更の周期が２Ｍ、即ち、周期が偶数の場合に、位相変更に用いる位相θ（ｋ）は、例えば、以下の式（４６）のように算出する。
θ（ｋ）＝（２×π×（ｋ  ｍｏｄ  ２Ｍ））／２Ｍラジアン    …式（４６）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０２９３】
ただし、式（４６）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０２９４】
また、位相変更の周期が２Ｍ＋１、即ち、周期が奇数の場合に位相変更に用いる位相θ（ｋ）は、例えば、下記条件の下で式（４７）または式（４８）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（４７）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（４８）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０２９５】
ただし、式（４７）、式（４８）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０２９６】
したがって、「送信方法２」の場合、図２４（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）＊、−ｓ０（０）＊、ｓ１（１）＊、−ｓ０（１）＊、ｓ１（２）＊、−ｓ０（２）＊、ｓ１（３）＊、−ｓ０（３）＊、ｓ１（４）＊、−ｓ０（４）＊、・・・を各スロットについてこの順に生成して出力し、アンテナ＄２用のベースバンド信号（ｓ３（０）×ｅjθ(1)）＊、−（ｓ２（０）×ｅjθ(0)）＊、（ｓ３（１）×ｅjθ(3)）＊、−（ｓ２（１）×ｅjθ(2)）＊、（ｓ３（２）×ｅjθ(5)）＊、−（ｓ２（２）×ｅjθ(4)）＊、（ｓ３（３）×ｅjθ(7)）＊、−（ｓ２（３）×ｅjθ(6)）＊、（ｓ３（４）×ｅjθ(1)）＊、−（ｓ２（４）＊×ｅjθ(0)）＊、・・・を各スロットについてこの順に生成して出力する。
【０２９７】
なお、図２４は、あくまでも一例である。
別の例として、例えば、位相変更の周期が２Ｍであり、式（４３）、式（４４）、式（４５）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）＊
送信局＃２、アンテナ＄２：（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：−ｓ０（ｉ）＊
送信局＃２、アンテナ＄２：−（ｓ２（ｉ）×ｅjθ(k-1)）＊
とあらわすことができる。
【０２９８】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（４６）、式（４７）、式（４８）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）＊
送信局＃２、アンテナ＄２：（ｓ３（ｉ）×ｅjθ(k+1)）＊
スロットｋ＝２×ｉ＋１において、
送信局＃１、アンテナ＄１：ｓ１（ｉ）
送信局＃１、アンテナ＄２：ｓ３（ｉ）×ｅjθ(k)
送信局＃２、アンテナ＄１：−ｓ０（ｉ）＊
送信局＃２、アンテナ＄２：−（ｓ２（ｉ）×ｅjθ(k-1)）＊
とあらわすことができる。
【０２９９】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（４３）、（４６）において周期２Ｍ（図２４では、周期８（８スロット周期））の中で、また、式（４４）、（４５）、（４７）、（４８）において周期２Ｍ＋１の中で、位相変更値は別の並べ方としてもよい。例えば、図２４（ａ）のスロット２では変更する位相の度合いをθ（２）とし、スロット３でθ（３）としているが、スロット２で変更する位相の度合いをθ（３）とし、スロット３でθ（２）としてもよい。
【０３００】
また、図２４では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３０１】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０３０２】
＜生成方法１７＞
図２５は、送信局＃１、送信局＃２が生成する各スロットの信号について、演算部６０４により生成されるベースバンド信号の生成方法を示す図である。図２５において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３０３】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２５（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞その一方の複素共役をとり、＜ＩＩ＞複素共役をとった方の信号の負をとり、アンテナ＄１用のベースバンド信号６０５Ａ
（図４の４０５Ａ）を出力する。
【０３０４】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞一方の信号の複素共役をとり、＜ＩＩ＞複素共役をとった方の信号の負をとり、＜ＩＩＩ＞双方の信号についてその位相を変更する位相変更処理を施す。この位相変更処理は、規則的に変更する位相の度合いを変えながら行われる。
【０３０５】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、−ｓ３（ｉ）＊×ｅjθ(i)となる。
「生成方法１７」の「送信方法１」における位相変更の例として、位相変更に用いる位相θ（ｉ）は、例えば、以下の式（４９）のように算出する。
θ（ｉ）＝（２×π×（ｉ  ｍｏｄ  Ｍ））／Ｍ  ラジアン    …式（４９）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３０６】
ただし、式（４９）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３０７】
したがって、「送信方法１」の場合、図２５（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、−ｓ３（０）＊×ｅjθ(0)、ｓ２（１）×ｅjθ(1)、−ｓ３（１）＊×ｅjθ(1)、ｓ２（２）×ｅjθ(2)、−ｓ３（２）＊×ｅjθ(2)、ｓ２（３）×ｅjθ(3)、−ｓ３（３）＊×ｅjθ(3)、ｓ２（４）×ｅjθ(0)、−ｓ３（４）＊×ｅjθ(0)、・・・を各スロットについてこの順に生成して出力する。
【０３０８】
送信方法に関する制御信号４１４が、「送信方法２」を示している場合に、演算部６０４は、各スロットについて、送信局＃２用の信号として、図２５（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法１７」の「送信方法１」において複素共役をとっていない方の信号の複素共役をとり、＜ＩＩ＞スロットを入れ替える。
【０３０９】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。
また、アンテナ＄２が送信する信号として演算部６０４に入力される信号ｓ２（ｔ）、ｓ３（ｔ）に対して、＜Ｉ＞「生成方法１７」の「送信方法１」において複素共役をとっていない方の信号の複素共役をとり、＜ＩＩ＞その位相を変更する位相変更処理を施し、＜ＩＩＩ＞スロットを入れ替える。この位相変更処理は、規則的に変更する位相の度合いを変えながら行われる。
【０３１０】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、ｓ２（ｉ）＊×ｅjθ(i)となる。
「生成方法１７」の「送信方法２」においては、位相変更に用いる位相θ（ｉ）は、例えば、以下の式（５０）のように算出する。
θ（ｉ）＝（２×π×（ｉ  ｍｏｄ  Ｍ））／Ｍ  ラジアン    …式（５０）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３１１】
ただし、式（５０）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３１２】
なお、式（４９）と式（５０）は同一であり、送信局＃１で与えるθ（ｉ）と送信局＃２で与えるθ（ｉ）は同一の関数である。
したがって、「送信方法２」の場合、図２５（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(0)、ｓ２（０）＊×ｅjθ(0)、ｓ３（１）×ｅjθ(1)、ｓ２（１）＊×ｅjθ(1)、ｓ３（２）×ｅjθ(2)、ｓ２（２）＊×ｅjθ(2)、ｓ３（３）×ｅjθ(3)、ｓ２（３）＊×ｅjθ(3)、ｓ３（４）×ｅjθ(0)、ｓ２（４）＊×ｅjθ(0)、・・・を各スロットについてこの順に生成して出力する。
【０３１３】
なお、図２５は、あくまでも一例である。
別の例として、例えば、式（４９）（式（５０））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：−ｓ１（ｉ）＊
送信局＃１、アンテナ＄２：−ｓ３（ｉ）＊×ｅjθ(i)
送信局＃２、アンテナ＄１：ｓ０（ｉ）＊
送信局＃２、アンテナ＄２：ｓ２（ｉ）＊×ｅjθ(i)
とあらわすことができる。
【０３１４】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０３１５】
なお、式（４９）、（５０）において周期Ｍ（図２５では、周期４（８スロット周期））の中で、位相変更値は別の並べ方としてもよい。例えば、図２５のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０３１６】
また、図２５では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３１７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法１８＞
図２６は、送信局＃１、送信局＃２が生成する各スロットの信号について、演算部６０４により生成されるベースバンド信号の生成方法を示す図である。図２６において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３１８】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２６（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の信号の複素共役をとり、＜ＩＩ＞複素共役をとった方の信号の負をとり、アンテナ＄１用のベースバンド信号６０５Ａ（図４の４０５Ａ）を出力する。
【０３１９】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。
そして、アンテナ＄２が送信する信号として、演算部６０４に入力される信号ｓ２（ｔ）、ｓ３（ｔ）に対して、＜Ｉ＞その一方の複素共役をとり、＜ＩＩ＞複素共役をとった方の信号の負をとり、＜ＩＩＩ＞双方の信号の位相を変更する位相変更処理を施す。この位相変更処理は、規則的に変更する位相の度合いを変えながら行われる。
【０３２０】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、−ｓ３（ｉ）＊×ｅjθa(i)となる。
「生成方法１８」の「送信方法１」における位相変更の例として、位相変更に用いる位相θａ（ｉ）は、例えば、以下の式（５１）のように算出する。
θａ（ｉ）＝（２×π×（ｉ  ｍｏｄ  Ｍａ））／Ｍａラジアン…式（５１）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０３２１】
ただし、式（５１）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０３２２】
したがって、「送信方法１」の場合、図２６（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθa(0)、−ｓ３（０）＊×ｅjθa(0)、ｓ２（１）×ｅjθa(1)、−ｓ３（１）＊×ｅjθa(1)、ｓ２（２）×ｅjθa(2)、−ｓ３（２）＊×ｅjθa(2)、ｓ２（３）×ｅjθa(3)、−ｓ３（３）＊×ｅjθa(3)、ｓ２（４）×ｅjθa(0)、−ｓ３（４）＊×ｅjθa(0)、・・・を各スロットについてこの順に生成して出力する。
【０３２３】
送信方法に関する制御信号４１４が、「送信方法２」を示している場合に、演算部６０４は、各スロットについて、送信局＃２用の信号として、図２６（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法１８」の「送信方法１」において複素共役をとっていない方の信号の複素共役をとり、＜ＩＩ＞スロットを入れ替える。
【０３２４】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。
また、アンテナ＄２が送信する信号として演算部６０４に入力される信号ｓ２（ｔ）、ｓ３（ｔ）に対して、＜Ｉ＞「生成方法１８」の「送信方法１」において複素共役をとっていない方の信号の複素共役をとり、＜ＩＩ＞双方の信号の位相を変更する位相変更処理を施し、＜ＩＩＩ＞スロットを入れ替える。この位相変更処理は、規則的に変更する位相の度合いを変えながら行われる。
【０３２５】
したがって、アンテナ＄２に対して生成される信号は、スロット２×ｉ（ｉは整数）の場合に、ｓ３（ｉ）×ｅjθb(i)となり、スロット２×ｉ＋１（ｉは整数）の場合に、ｓ２（ｉ）＊×ｅjθb(i)となる。
「生成方法１８」の「送信方法２」においては、位相変更に用いる位相θｂ（ｉ）は、例えば、以下の式（５２）のように算出する。
θｂ（ｉ）＝（２×π×（ｉ  ｍｏｄ  Ｍｂ））／Ｍｂラジアン…式（５２）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０３２６】
ただし、式（５２）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０３２７】
したがって、「送信方法２」の場合、図２６（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθb(0)、ｓ２（０）＊×ｅjθb(0)、ｓ３（１）×ｅjθb(1)、ｓ２（１）＊×ｅjθb(1)、ｓ３（２）×ｅjθb(2)、ｓ２（２）＊×ｅjθb(2)、ｓ３（３）×ｅjθb(3)、ｓ２（３）＊×ｅjθb(3)、ｓ３（４）×ｅjθb(0)、ｓ２（４）＊×ｅjθb(0)、・・・を各スロットについてこの順に生成して出力する。
【０３２８】
なお、図２６は、あくまでも一例である。
別の例として、例えば、式（５１）および式（５２）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）
送信局＃２、アンテナ＄２：ｓ３（ｉ）×ｅjθb(i)
スロット２×ｉ＋１において、
送信局＃１、アンテナ＄１：−ｓ１（ｉ）＊
送信局＃１、アンテナ＄２：−ｓ３（ｉ）＊×ｅjθa(i)
送信局＃２、アンテナ＄１：ｓ０（ｉ）＊
送信局＃２、アンテナ＄２：ｓ２（ｉ）＊×ｅjθb(i)
とあらわすことができる。
【０３２９】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０３３０】
なお、式（５１）、（５２）において周期Ｍａ、Ｍｂ（図２６では、周期４（８スロット周期））の中で、位相変更値は別の並べ方としてもよい。例えば、図２６のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０３３１】
また、図２６では、位相変更の周期が４（８スロット周期）の場合を示しているが、これに限ったものではなく、別の周期であってもよい。そして、図２６とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３３２】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法１９＞
図２７は、送信局＃１、送信局＃２が生成する各スロットの信号について、演算部６０４により生成されるベースバンド信号の生成方法を示す図である。図２７において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３３３】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２７（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、＜ＩＩ＞複素共役をとった方の信号の負をとり、アンテナ＄１用のベースバンド信号６０５Ａ（図４の４０５Ａ）を出力する。
【０３３４】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとり、＜ＩＩＩ＞複素共役をとった方の信号の負をとる。この位相変更処理は、規則的に変更する位相の度合いを変えながら行われる。
【０３３５】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、−（ｓ３（ｉ）×ｅjθ(i)）＊となる。
「生成方法１９」の「送信方法１」における位相変更の例として、位相変更に用いる位相θ（ｉ）は、例えば、以下の式（５３）のように算出する。
θ（ｉ）＝（２×π×（ｉ  ｍｏｄ  Ｍ））／Ｍラジアン    …式（５３）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３３６】
ただし、式（５３）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３３７】
したがって、「送信方法１」の場合、図２７（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、−（ｓ３（０）×ｅjθ(0)）＊、ｓ２（１）×ｅjθ(1)、−（ｓ３（１）×ｅjθ(1)）＊、ｓ２（２）×ｅjθ(2)、−（ｓ３（２）×ｅjθ(2)）＊、ｓ２（３）×ｅjθ(3)、−（ｓ３（３）×ｅjθ(3)）＊、ｓ２（４）×ｅjθ(0)、−（ｓ３（４）×ｅjθ(0)）＊、・・・を各スロットについてこの順に生成して出力する。
【０３３８】
送信方法に関する制御信号４１４が、「送信方法２」を示している場合に、演算部６０４は、各スロットについて、送信局＃２用の信号として、図２７（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法１９」の「送信方法１」において複素共役をとっていない方の信号の複素共役をとり、＜ＩＩ＞スロットを入れ替える。
【０３３９】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法１９」の「送信方法１」において複素共役をとっていない方の信号の複素共役をとり、＜ＩＩＩ＞スロットを入れ替える。この位相変更処理は、規則的に変更する位相の度合いを変えながら行われる。
【０３４０】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、（ｓ２（ｉ）×ｅjθ(i)）＊となる。
「生成方法１９」の「送信方法２」においては、位相変更に用いる位相θ（ｉ）は、以下の式（５４）のように算出する。
θ（ｉ）＝（２×π×（ｉ  ｍｏｄ  Ｍ））／Ｍラジアン    …式（５４）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３４１】
ただし、式（５４）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３４２】
なお、式（５３）と式（５４）は同一であり、送信局＃１で与えるθ（ｉ）と送信局＃２で与えるθ（ｉ）は同一の関数である。
したがって、「送信方法２」の場合、図２７（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(0)、（ｓ２（０）×ｅjθ(0)）＊、ｓ３（１）×ｅjθ(1)、（ｓ２（１）×ｅjθ(1)）＊、ｓ３（２）×ｅjθ(2)、（ｓ２（２）×ｅjθ(2)）＊、ｓ３（３）×ｅjθ(3)、（ｓ２（３）×ｅjθ(3)）＊、ｓ３（４）×ｅjθ(0)、（ｓ２（４）＊×ｅjθ(0)）＊、・・・を各スロットについてこの順に生成して出力する。
【０３４３】
なお、図２７は、あくまでも一例である。
別の例として、例えば、式（５３）（式（５４））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：−ｓ１（ｉ）＊
送信局＃１、アンテナ＄２：−（ｓ３（ｉ）×ｅjθ(i)）＊
送信局＃２、アンテナ＄１：ｓ０（ｉ）＊
送信局＃２、アンテナ＄２：（ｓ２（ｉ）×ｅjθ(i)）＊
とあらわすことができる。
【０３４４】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０３４５】
なお、式（５３）、（５４）において周期Ｍ（図２７では、周期４（８スロット周期））の中で、位相変更値は別の並べ方としてもよい。例えば、図２７のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０３４６】
また、図２７では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３４７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法２０＞
図２８は、送信局＃１、送信局＃２が生成する各スロットの信号について、演算部６０４により生成されるベースバンド信号の生成方法を示す図である。図２８において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３４８】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２８（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、＜ＩＩ＞複素共役をとった方の信号の負をとり、アンテナ＄１用のベースバンド信号６０５Ａ（図４の４０５Ａ）を出力する。
【０３４９】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとり、＜ＩＩＩ＞複素共役をとった方の信号の負をとる。この位相変更処理は、規則的に変更する位相の度合いを変えながら行われる。
【０３５０】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、−（ｓ３（ｉ）×ｅjθ(k)）＊となる。
「生成方法２０」においては、位相変更の周期が２Ｍのときと、２Ｍ＋１のときとで位相変更に用いる位相の算出方法が異なる。
位相変更の周期が２Ｍ、即ち、周期が偶数の場合に、位相変更に用いる位相θ（ｋ）は、例えば、以下の式（５５）のように算出する。
θ（ｋ）＝（２×π×（ｋ  ｍｏｄ  ２Ｍ））／２Ｍラジアン    …式（５５）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０３５１】
ただし、式（５５）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０３５２】
また、位相変更の周期が２Ｍ＋１、即ち、周期が奇数の場合に位相変更に用いる位相θ（ｋ）は、例えば、下記条件の下で式（５６）または式（５７）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（５６）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（５７）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０３５３】
ただし、式（５６）、式（５７）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０３５４】
したがって、「送信方法１」の場合、図２８（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、−（ｓ３（０）×ｅjθ(1)）＊、ｓ２（１）×ｅjθ(2)、−（ｓ３（１）×ｅjθ(3)）＊、ｓ２（２）×ｅjθ(4)、−（ｓ３（２）×ｅjθ(5)）＊、ｓ２（３）×ｅjθ(6)、−（ｓ３（３）×ｅjθ(7)）＊、ｓ２（４）×ｅjθ(0)、−（ｓ３（４）×ｅjθ(1)）＊、・・・を各スロットについてこの順に生成して出力する。
【０３５５】
送信方法に関する制御信号４１４が、「送信方法２」を示している場合に、演算部６０４は、各スロットについて、送信局＃２用の信号として、図２８（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞「生成方法２０」の「送信方法１」において複素共役をとっていない方の信号の複素共役をとり、＜ＩＩ＞スロットを入れ替える。
【０３５６】
したがって、アンテナ＄１に対して生成される信号は、スロットｋ＝２×ｉ（ｉは整数）の場合に、ｓ１（ｉ）となり、スロットｋ＝２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法２０」の「送信方法１」において複素共役をとっていない方の信号の複素共役をとり、＜ＩＩＩ＞スロットを入れ替える。この位相変更処理は、規則的に変更する位相の度合いを変えながら行われる。
【０３５７】
したがって、アンテナ＄２に対して生成される信号は、スロットｋ＝２×ｉ（ｉは整数）の場合に、ｓ３（ｉ）×ｅjθ(k+1)となり、スロットｋ＝２×ｉ＋１（ｉは整数）の場合に、（ｓ２（ｉ）×ｅjθ(k-1)）＊となる。
「生成方法２０」の「送信方法２」においては、位相変更の周期が２Ｍのときと、２Ｍ＋１のときとで位相変更に用いる位相の算出方法が異なる。
【０３５８】
位相変更の周期が２Ｍ、即ち、周期が偶数の場合に、位相変更に用いる位相θ（ｋ）は、例えば、以下の式（５８）のように算出する。
θ（ｋ）＝（２×π×（ｋ  ｍｏｄ  ２Ｍ））／２Ｍラジアン    …式（５８）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０３５９】
ただし、式（５８）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０３６０】
また、位相変更の周期が２Ｍ＋１、即ち、周期が奇数の場合に位相変更に用いる位相θ（ｋ）は、例えば、下記条件の下で式（５９）または式（６０）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（５９）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（６０）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０３６１】
ただし、式（５９）、式（６０）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０３６２】
したがって、「送信方法２」の場合、図２８（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(1)、（ｓ２（０）×ｅjθ(0)）＊、ｓ３（１）×ｅjθ(3)、（ｓ２（１）×ｅjθ(2)）＊、ｓ３（２）×ｅjθ(5)、（ｓ２（２）×ｅjθ(4)）＊、ｓ３（３）×ｅjθ(7)、（ｓ２（３）×ｅjθ(6)）＊、ｓ３（４）×ｅjθ(1)、（ｓ２（４）＊×ｅjθ(0)）＊、・・・を各スロットについてこの順に生成して出力する。
【０３６３】
なお、図２８は、あくまでも一例である。
別の例として、例えば、位相変更の周期が２Ｍであり、式（５５）、式（５６）、式（５７）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：−ｓ１（ｉ）＊
送信局＃１、アンテナ＄２：−（ｓ３（ｉ）×ｅjθ(k)）＊
送信局＃２、アンテナ＄１：ｓ０（ｉ）＊
送信局＃２、アンテナ＄２：（ｓ２（ｉ）×ｅjθ(k-1)）＊
とあらわすことができる。
【０３６４】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（５８）、式（５９）、式（６０）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：−ｓ１（ｉ）＊
送信局＃１、アンテナ＄２：−（ｓ３（ｉ）×ｅjθ(k)）＊
送信局＃２、アンテナ＄１：ｓ０（ｉ）＊
送信局＃２、アンテナ＄２：（ｓ２（ｉ）×ｅjθ(k-1)）＊
とあらわすことができる。
【０３６５】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（５５）、（５８）において周期２Ｍ（図２８では、周期８（８スロット周期））の中で、また、式（５６）、（５７）、（５９）、（６０）において周期２Ｍ＋１の中で、位相変更値は別の並べ方としてもよい。例えば、図２８（ａ）のスロット２では変更する位相の度合いをθ（２）とし、スロット３でθ（３）としているが、スロット２で変更する位相の度合いをθ（３）とし、スロット３でθ（２）としてもよい。
【０３６６】
また、図２８では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３６７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０３６８】
＜生成方法２１＞
図２９は、送信局＃１、送信局＃２が生成する各スロットの信号について、演算部６０４により生成されるベースバンド信号の生成方法を示す図である。図２９において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３６９】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図２９（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞その一方の複素共役をとり、アンテナ＄１用のベースバンド信号６０５Ａ（図４の４０５Ａ）を出力する。
【０３７０】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞一方の信号の複素共役をとり、＜ＩＩ＞複素共役をとった方の信号の負をとり、＜ＩＩＩ＞双方の信号についてその位相を変更する位相変更処理を施す。この位相変更処理は、規則的に変更する位相の度合いを変えながら行われる。
【０３７１】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、−ｓ３（ｉ）＊×ｅjθ(i)となる。
「生成方法２１」の「送信方法１」における位相変更の例として、位相変更に用いる位相θ（ｉ）は、例えば、以下の式（６１）のように算出する。
θ（ｉ）＝（２×π×（ｉ  ｍｏｄ  Ｍ））／Ｍ  ラジアン    …式（６１）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３７２】
ただし、式（６１）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３７３】
したがって、「送信方法１」の場合、図２９（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、−ｓ３（０）＊×ｅjθ(0)、ｓ２（１）×ｅjθ(1)、−ｓ３（１）＊×ｅjθ(1)、ｓ２（２）×ｅjθ(2)、−ｓ３（２）＊×ｅjθ(2)、ｓ２（３）×ｅjθ(3)、−ｓ３（３）＊×ｅjθ(3)、ｓ２（４）×ｅjθ(0)、−ｓ３（４）＊×ｅjθ(0)、・・・を各スロットについてこの順に生成して出力する。
【０３７４】
送信方法に関する制御信号４１４が、「送信方法２」を示している場合に、演算部６０４は、各スロットについて、送信局＃２用の信号として、図２９（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２１」の「送信方法１」において複素共役をとっていない方の信号の複素共役をとり、＜ＩＩ＞複素共役をとった方の信号の負をとり、＜ＩＩＩ＞スロットを入れ替える。
【０３７５】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。
また、アンテナ＄２が送信する信号として演算部６０４に入力される信号ｓ２（ｔ）、ｓ３（ｔ）に対して、＜Ｉ＞「生成方法２１」の「送信方法１」において複素共役をとっていない方の信号の複素共役をとり、＜ＩＩ＞その位相を変更する位相変更処理を施し、＜ＩＩＩ＞スロットを入れ替える。この位相変更処理は、規則的に変更する位相の度合いを変えながら行われる。
【０３７６】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、ｓ２（ｉ）＊×ｅjθ(i)となる。
「生成方法２１」の「送信方法２」においては、位相変更に用いる位相θ（ｉ）は、例えば、以下の式（６２）のように算出する。
θ（ｉ）＝（２×π×（ｉ  ｍｏｄ  Ｍ））／Ｍ  ラジアン    …式（６２）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０３７７】
ただし、式（６２）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０３７８】
なお、式（６１）と式（６２）は同一であり、送信局＃１で与えるθ（ｉ）と送信局＃２で与えるθ（ｉ）は同一の関数である。
したがって、「送信方法２」の場合、図２９（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(0)、ｓ２（０）＊×ｅjθ(0)、ｓ３（１）×ｅjθ(1)、ｓ２（１）＊×ｅjθ(1)、ｓ３（２）×ｅjθ(2)、ｓ２（２）＊×ｅjθ(2)、ｓ３（３）×ｅjθ(3)、ｓ２（３）＊×ｅjθ(3)、ｓ３（４）×ｅjθ(0)、ｓ２（４）＊×ｅjθ(0)、・・・を各スロットについてこの順に生成して出力する。
【０３７９】
なお、図２９は、あくまでも一例である。
別の例として、例えば、式（６１）（式（６２））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：ｓ１（ｉ）＊
送信局＃１、アンテナ＄２：−ｓ３（ｉ）＊×ｅjθ(i)
送信局＃２、アンテナ＄１：−ｓ０（ｉ）＊
送信局＃２、アンテナ＄２：ｓ２（ｉ）＊×ｅjθ(i)
とあらわすことができる。
【０３８０】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０３８１】
なお、式（６１）、（６２）において周期Ｍ（図２９では、周期４（８スロット周期））の中で、位相変更値は別の並べ方としてもよい。例えば、図２９のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０３８２】
また、図２９では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３８３】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法２２＞
図３０は、送信局＃１、送信局＃２が生成する各スロットの信号について、演算部６０４により生成されるベースバンド信号の生成方法を示す図である。図３０において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３８４】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３０（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の信号の複素共役をとり、アンテナ＄１用のベースバンド信号６０５Ａ（図４の４０５Ａ）を出力する。
【０３８５】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。
そして、アンテナ＄２が送信する信号として、演算部６０４に入力される信号ｓ２（ｔ）、ｓ３（ｔ）に対して、＜Ｉ＞その一方の複素共役をとり、＜ＩＩ＞複素共役をとった方の信号の負をとり、＜ＩＩＩ＞双方の信号の位相を変更する位相変更処理を施す。この位相変更処理は、規則的に変更する位相の度合いを変えながら行われる。
【０３８６】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、−ｓ３（ｉ）＊×ｅjθa(i)となる。
「生成方法２２」の「送信方法１」における位相変更の例として、位相変更に用いる位相θａ（ｉ）は、例えば、以下の式（６３）のように算出する。
θａ（ｉ）＝（２×π×（ｉ  ｍｏｄ  Ｍａ））／Ｍａラジアン…式（６３）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０３８７】
ただし、式（６３）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０３８８】
したがって、「送信方法１」の場合、図３０（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθa(0)、−ｓ３（０）＊×ｅjθa(0)、ｓ２（１）×ｅjθa(1)、−ｓ３（１）＊×ｅjθa(1)、ｓ２（２）×ｅjθa(2)、−ｓ３（２）＊×ｅjθa(2)、ｓ２（３）×ｅjθa(3)、−ｓ３（３）＊×ｅjθa(3)、ｓ２（４）×ｅjθa(0)、−ｓ３（４）＊×ｅjθa(0)、・・・を各スロットについてこの順に生成して出力する。
【０３８９】
送信方法に関する制御信号４１４が、「送信方法２」を示している場合に、演算部６０４は、各スロットについて、送信局＃２用の信号として、図３０（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２２」の「送信方法１」において複素共役をとっていない方の信号の複素共役をとり、＜ＩＩ＞複素共役をとった方の信号の負をとり、＜ＩＩＩ＞スロットを入れ替える。
【０３９０】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。
また、アンテナ＄２が送信する信号として演算部６０４に入力される信号ｓ２（ｔ）、ｓ３（ｔ）に対して、＜Ｉ＞「生成方法２２」の「送信方法１」において複素共役をとっていない方の信号の複素共役をとり、＜ＩＩ＞双方の信号の位相を変更する位相変更処理を施し、＜ＩＩＩ＞スロットを入れ替える。この位相変更処理は、規則的に変更する位相の度合いを変えながら行われる。
【０３９１】
したがって、アンテナ＄２に対して生成される信号は、スロット２×ｉ（ｉは整数）の場合に、ｓ３（ｉ）×ｅjθb(i)となり、スロット２×ｉ＋１（ｉは整数）の場合に、ｓ２（ｉ）＊×ｅjθb(i)となる。
「生成方法２２」の「送信方法２」においては、位相変更に用いる位相θｂ（ｉ）は、例えば、以下の式（６４）のように算出する。
θｂ（ｉ）＝（２×π×（ｉ  ｍｏｄ  Ｍｂ））／Ｍｂラジアン…式（６４）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０３９２】
ただし、式（６４）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０３９３】
したがって、「送信方法２」の場合、図３０（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθb(0)、ｓ２（０）＊×ｅjθb(0)、ｓ３（１）×ｅjθb(1)、ｓ２（１）＊×ｅjθb(1)、ｓ３（２）×ｅjθb(2)、ｓ２（２）＊×ｅjθb(2)、ｓ３（３）×ｅjθb(3)、ｓ２（３）＊×ｅjθb(3)、ｓ３（４）×ｅjθb(0)、ｓ２（４）＊×ｅjθb(0)、・・・を各スロットについてこの順に生成して出力する。
【０３９４】
なお、図３０は、あくまでも一例である。
別の例として、例えば、式（６３）および式（６４）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）
送信局＃２、アンテナ＄２：ｓ３（ｉ）×ｅjθb(i)
スロット２×ｉ＋１において、
送信局＃１、アンテナ＄１：ｓ１（ｉ）＊
送信局＃１、アンテナ＄２：−ｓ３（ｉ）＊×ｅjθa(i)
送信局＃２、アンテナ＄１：−ｓ０（ｉ）＊
送信局＃２、アンテナ＄２：ｓ２（ｉ）＊×ｅjθb(i)
とあらわすことができる。
【０３９５】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０３９６】
なお、式（６３）、（６４）において周期Ｍａ、Ｍｂ（図３０では、周期４（８スロット周期））の中で、位相変更値は別の並べ方としてもよい。例えば、図３０のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０３９７】
また、図３０では、位相変更の周期が４（８スロット周期）の場合を示しているが、これに限ったものではなく、別の周期であってもよい。そして、図３０とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０３９８】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法２３＞
図３１は、送信局＃１、送信局＃２が生成する各スロットの信号について、演算部６０４により生成されるベースバンド信号の生成方法を示す図である。図３１において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０３９９】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３１（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、アンテナ＄１用のベースバンド信号６０５Ａ（図４の４０５Ａ）を出力する。
【０４００】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとり、＜ＩＩＩ＞複素共役をとった方の信号の負をとる。この位相変更処理は、規則的に変更する位相の度合いを変えながら行われる。
【０４０１】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、−（ｓ３（ｉ）×ｅjθ(i)）＊となる。
「生成方法２３」の「送信方法１」における位相変更の例として、位相変更に用いる位相θ（ｉ）は、例えば、以下の式（６５）のように算出する。
θ（ｉ）＝（２×π×（ｉ  ｍｏｄ  Ｍ））／Ｍラジアン    …式（６５）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４０２】
ただし、式（６５）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４０３】
したがって、「送信方法１」の場合、図３１（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、−（ｓ３（０）×ｅjθ(0)）＊、ｓ２（１）×ｅjθ(1)、−（ｓ３（１）×ｅjθ(1)）＊、ｓ２（２）×ｅjθ(2)、−（ｓ３（２）×ｅjθ(2)）＊、ｓ２（３）×ｅjθ(3)、−（ｓ３（３）×ｅjθ(3)）＊、ｓ２（４）×ｅjθ(0)、−（ｓ３（４）×ｅjθ(0)）＊、・・・を各スロットについてこの順に生成して出力する。
【０４０４】
送信方法に関する制御信号４１４が、「送信方法２」を示している場合に、演算部６０４は、各スロットについて、送信局＃２用の信号として、図３１（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２３」の「送信方法１」において複素共役をとっていない方の信号の複素共役をとり、＜ＩＩ＞複素共役をとった方の信号の負をとり、＜ＩＩＩ＞スロットを入れ替える。
【０４０５】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法２３」の「送信方法１」において複素共役をとっていない方の信号の複素共役をとり、＜ＩＩＩ＞スロットを入れ替える。この位相変更処理は、規則的に変更する位相の度合いを変えながら行われる。
【０４０６】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、（ｓ２（ｉ）×ｅjθ(i)）＊となる。
「生成方法２３」の「送信方法２」においては、位相変更に用いる位相θ（ｉ）は、以下の式（６６）のように算出する。
θ（ｉ）＝（２×π×（ｉ  ｍｏｄ  Ｍ））／Ｍラジアン    …式（６６）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４０７】
ただし、式（６６）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４０８】
なお、式（６５）と式（６６）は同一であり、送信局＃１で与えるθ（ｉ）と送信局＃２で与えるθ（ｉ）は同一の関数である。
したがって、「送信方法２」の場合、図３１（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(0)、（ｓ２（０）×ｅjθ(0)）＊、ｓ３（１）×ｅjθ(1)、（ｓ２（１）×ｅjθ(1)）＊、ｓ３（２）×ｅjθ(2)、（ｓ２（２）×ｅjθ(2)）＊、ｓ３（３）×ｅjθ(3)、（ｓ２（３）×ｅjθ(3)）＊、ｓ３（４）×ｅjθ(0)、（ｓ２（４）＊×ｅjθ(0)）＊、・・・を各スロットについてこの順に生成して出力する。
【０４０９】
なお、図３１は、あくまでも一例である。
別の例として、例えば、式（６５）（式（６６））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：ｓ１（ｉ）＊
送信局＃１、アンテナ＄２：−（ｓ３（ｉ）×ｅjθ(i)）＊
送信局＃２、アンテナ＄１：−ｓ０（ｉ）＊
送信局＃２、アンテナ＄２：（ｓ２（ｉ）×ｅjθ(i)）＊
とあらわすことができる。
【０４１０】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０４１１】
なお、式（６５）、（６６）において周期Ｍ（図３１では、周期４（８スロット周期））の中で、位相変更値は別の並べ方としてもよい。例えば、図３１のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０４１２】
また、図３１では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０４１３】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法２４＞
図３２は、送信局＃１、送信局＃２が生成する各スロットの信号について、演算部６０４により生成されるベースバンド信号の生成方法を示す図である。図３２において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０４１４】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３２（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、アンテナ＄１用のベースバンド信号６０５Ａ（図４の４０５Ａ）を出力する。
【０４１５】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとり、＜ＩＩＩ＞複素共役をとった方の信号の負をとる。この位相変更処理は、規則的に変更する位相の度合いを変えながら行われる。
【０４１６】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、−（ｓ３（ｉ）×ｅjθ(k)）＊となる。
「生成方法２４」においては、位相変更の周期が２Ｍのときと、２Ｍ＋１のときとで位相変更に用いる位相の算出方法が異なる。
【０４１７】
位相変更の周期が２Ｍ、即ち、周期が偶数の場合に、位相変更に用いる位相θ（ｋ）は、例えば、以下の式（６７）のように算出する。
θ（ｋ）＝（２×π×（ｋ  ｍｏｄ  ２Ｍ））／２Ｍラジアン    …式（６７）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０４１８】
ただし、式（６７）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０４１９】
また、位相変更の周期が２Ｍ＋１、即ち、周期が奇数の場合に位相変更に用いる位相θ（ｋ）は、例えば、下記条件の下で式（６８）または式（６９）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（６８）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（６９）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０４２０】
ただし、式（６８）、式（６９）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０４２１】
したがって、「送信方法１」の場合、図３２（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、−（ｓ３（０）×ｅjθ(1)）＊、ｓ２（１）×ｅjθ(2)、−（ｓ３（１）×ｅjθ(3)）＊、ｓ２（２）×ｅjθ(4)、−（ｓ３（２）×ｅjθ(5)）＊、ｓ２（３）×ｅjθ(6)、−（ｓ３（３）×ｅjθ(7)）＊、ｓ２（４）×ｅjθ(0)、−（ｓ３（４）×ｅjθ(1)）＊、・・・を各スロットについてこの順に生成して出力する。
【０４２２】
送信方法に関する制御信号４１４が、「送信方法２」を示している場合に、演算部６０４は、各スロットについて、送信局＃２用の信号として、図３２（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞「生成方法２４」の「送信方法１」において複素共役をとっていない方の信号の複素共役をとり、＜ＩＩ＞複素共役をとった方の信号の負をとり、＜ＩＩＩ＞スロットを入れ替える。
【０４２３】
したがって、アンテナ＄１に対して生成される信号は、スロットｋ＝２×ｉ（ｉは整数）の場合に、ｓ１（ｉ）となり、スロットｋ＝２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法２４」の「送信方法１」において複素共役をとっていない方の信号の複素共役をとり、＜ＩＩＩ＞スロットを入れ替える。この位相変更処理は、規則的に変更する位相の度合いを変えながら行われる。
【０４２４】
したがって、アンテナ＄２に対して生成される信号は、スロットｋ＝２×ｉ（ｉは整数）の場合に、ｓ３（ｉ）×ｅjθ(k+1)となり、スロットｋ＝２×ｉ＋１（ｉは整数）の場合に、（ｓ２（ｉ）×ｅjθ(k-1)）＊となる。
「生成方法２４」の「送信方法２」においては、位相変更の周期が２Ｍのときと、２Ｍ＋１のときとで位相変更に用いる位相の算出方法が異なる。
【０４２５】
位相変更の周期が２Ｍ、即ち、周期が偶数の場合に、位相変更に用いる位相θ（ｋ）は、例えば、以下の式（７０）のように算出する。
θ（ｋ）＝（２×π×（ｋ  ｍｏｄ  ２Ｍ））／２Ｍラジアン    …式（７０）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０４２６】
ただし、式（７０）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０４２７】
また、位相変更の周期が２Ｍ＋１、即ち、周期が奇数の場合に位相変更に用いる位相θ（ｋ）は、例えば、下記条件の下で式（７１）または式（７２）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（７１）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（７２）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０４２８】
ただし、式（７１）、式（７２）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０４２９】
したがって、「送信方法２」の場合、図３２（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(1)、（ｓ２（０）×ｅjθ(0)）＊、ｓ３（１）×ｅjθ(3)、（ｓ２（１）×ｅjθ(2)）＊、ｓ３（２）×ｅjθ(5)、（ｓ２（２）×ｅjθ(4)）＊、ｓ３（３）×ｅjθ(7)、（ｓ２（３）×ｅjθ(6)）＊、ｓ３（４）×ｅjθ(1)、（ｓ２（４）＊×ｅjθ(0)）＊、・・・を各スロットについてこの順に生成して出力する。
【０４３０】
なお、図３２は、あくまでも一例である。
別の例として、例えば、位相変更の周期が２Ｍであり、式（６７）、式（６８）、式（６９）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：ｓ１（ｉ）＊
送信局＃１、アンテナ＄２：−（ｓ３（ｉ）×ｅjθ(k)）＊
送信局＃２、アンテナ＄１：−ｓ０（ｉ）＊
送信局＃２、アンテナ＄２：（ｓ２（ｉ）×ｅjθ(k-1)）＊
とあらわすことができる。
【０４３１】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（７０）、式（７１）、式（７２）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：ｓ１（ｉ）＊
送信局＃１、アンテナ＄２：−（ｓ３（ｉ）×ｅjθ(k)）＊
送信局＃２、アンテナ＄１：−ｓ０（ｉ）＊
送信局＃２、アンテナ＄２：（ｓ２（ｉ）×ｅjθ(k-1)）＊
とあらわすことができる。
【０４３２】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（６７）、（７０）において周期２Ｍ（図３２では、周期８（８スロット周期））の中で、また、式（６８）、（６９）、（７１）、（７２）において周期２Ｍ＋１の中で、位相変更値は別の並べ方としてもよい。例えば、図３２（ａ）のスロット２では変更する位相の度合いをθ（２）とし、スロット３でθ（３）としているが、スロット２で変更する位相の度合いをθ（３）とし、スロット３でθ（２）としてもよい。
【０４３３】
また、図３２では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０４３４】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０４３５】
＜生成方法２５＞
図３３は、送信局＃１、送信局＃２が生成する各スロットの信号について、演算部６０４により生成されるベースバンド信号の生成方法を示す図である。図３３において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０４３６】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３３（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞その一方の複素共役をとり、＜ＩＩ＞複素共役をとった方の信号の負をとり、アンテナ＄１用のベースバンド信号６０５Ａ（図４の４０５Ａ）を出力する。
【０４３７】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞一方の信号の複素共役をとり、＜ＩＩ＞双方の信号についてその位相を変更する位相変更処理を施す。この位相変更処理は、規則的に変更する位相の度合いを変えながら行われる。
【０４３８】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）＊×ｅjθ(i)となる。
「生成方法２５」の「送信方法１」における位相変更の例として、位相変更に用いる位相θ（ｉ）は、例えば、以下の式（７３）のように算出する。
θ（ｉ）＝（２×π×（ｉ  ｍｏｄ  Ｍ））／Ｍ  ラジアン    …式（７３）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４３９】
ただし、式（７３）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４４０】
したがって、「送信方法１」の場合、図３３（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、ｓ３（０）＊×ｅjθ(0)、ｓ２（１）×ｅjθ(1)、ｓ３（１）＊×ｅjθ(1)、ｓ２（２）×ｅjθ(2)、ｓ３（２）＊×ｅjθ(2)、ｓ２（３）×ｅjθ(3)、ｓ３（３）＊×ｅjθ(3)、ｓ２（４）×ｅjθ(0)、ｓ３（４）＊×ｅjθ(0)、・・・を各スロットについてこの順に生成して出力する。
【０４４１】
送信方法に関する制御信号４１４が、「送信方法２」を示している場合に、演算部６０４は、各スロットについて、送信局＃２用の信号として、図３３（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２５」の「送信方法１」において複素共役をとっていない方の信号の複素共役をとり、＜ＩＩ＞スロットを入れ替える。
【０４４２】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。
また、アンテナ＄２が送信する信号として演算部６０４に入力される信号ｓ２（ｔ）、ｓ３（ｔ）に対して、＜Ｉ＞「生成方法２５」の「送信方法１」において複素共役をとっていない方の信号の複素共役をとり、＜ＩＩ＞複素共役をとった方の信号の負をとり、＜ＩＩＩ＞その位相を変更する位相変更処理を施し、＜ＩＶ＞スロットを入れ替える。この位相変更処理は、規則的に変更する位相の度合いを変えながら行われる。
【０４４３】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、−ｓ２（ｉ）＊×ｅjθ(i)となる。
「生成方法２５」の「送信方法２」においては、位相変更に用いる位相θ（ｉ）は、例えば、以下の式（７４）のように算出する。
θ（ｉ）＝（２×π×（ｉ  ｍｏｄ  Ｍ））／Ｍ  ラジアン    …式（７４）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４４４】
ただし、式（７４）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４４５】
なお、式（７３）と式（７４）は同一であり、送信局＃１で与えるθ（ｉ）と送信局＃２で与えるθ（ｉ）は同一の関数である。
したがって、「送信方法２」の場合、図３３（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(0)、−ｓ２（０）＊×ｅjθ(0)、ｓ３（１）×ｅjθ(1)、−ｓ２（１）＊×ｅjθ(1)、ｓ３（２）×ｅjθ(2)、−ｓ２（２）＊×ｅjθ(2)、ｓ３（３）×ｅjθ(3)、−ｓ２（３）＊×ｅjθ(3)、ｓ３（４）×ｅjθ(0)、−ｓ２（４）＊×ｅjθ(0)、・・・を各スロットについてこの順に生成して出力する。
【０４４６】
なお、図３３は、あくまでも一例である。
別の例として、例えば、式（７３）（式（７４））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：−ｓ１（ｉ）＊
送信局＃１、アンテナ＄２：ｓ３（ｉ）＊×ｅjθ(i)
送信局＃２、アンテナ＄１：ｓ０（ｉ）＊
送信局＃２、アンテナ＄２：−ｓ２（ｉ）＊×ｅjθ(i)
とあらわすことができる。
【０４４７】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０４４８】
なお、式（７３）、（７４）において周期Ｍ（図３３では、周期４（８スロット周期））の中で、位相変更値は別の並べ方としてもよい。例えば、図３３のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０４４９】
また、図３３では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０４５０】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法２６＞
図３４は、送信局＃１、送信局＃２が生成する各スロットの信号について、演算部６０４により生成されるベースバンド信号の生成方法を示す図である。図３４において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０４５１】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３４（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の信号の複素共役をとり、＜ＩＩ＞複素共役をとった方の信号の負をとり、アンテナ＄１用のベースバンド信号６０５Ａ（図４の４０５Ａ）を出力する。
【０４５２】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。
そして、アンテナ＄２が送信する信号として、演算部６０４に入力される信号ｓ２（ｔ）、ｓ３（ｔ）に対して、＜Ｉ＞その一方の複素共役をとり、＜ＩＩ＞双方の信号の位相を変更する位相変更処理を施す。この位相変更処理は、規則的に変更する位相の度合いを変えながら行われる。
【０４５３】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）＊×ｅjθa(i)となる。
「生成方法２６」の「送信方法１」における位相変更の例として、位相変更に用いる位相θａ（ｉ）は、例えば、以下の式（７５）のように算出する。
θａ（ｉ）＝（２×π×（ｉ  ｍｏｄ  Ｍａ））／Ｍａラジアン…式（７５）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０４５４】
ただし、式（７５）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０４５５】
したがって、「送信方法１」の場合、図３４（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθa(0)、ｓ３（０）＊×ｅjθa(0)、ｓ２（１）×ｅjθa(1)、ｓ３（１）＊×ｅjθa(1)、ｓ２（２）×ｅjθa(2)、ｓ３（２）＊×ｅjθa(2)、ｓ２（３）×ｅjθa(3)、ｓ３（３）＊×ｅjθa(3)、ｓ２（４）×ｅjθa(0)、ｓ３（４）＊×ｅjθa(0)、・・・を各スロットについてこの順に生成して出力する。
【０４５６】
送信方法に関する制御信号４１４が、「送信方法２」を示している場合に、演算部６０４は、各スロットについて、送信局＃２用の信号として、図３４（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２６」の「送信方法１」において複素共役をとっていない方の信号の複素共役をとり、＜ＩＩ＞スロットを入れ替える。
【０４５７】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。
また、アンテナ＄２が送信する信号として演算部６０４に入力される信号ｓ２（ｔ）、ｓ３（ｔ）に対して、＜Ｉ＞「生成方法２６」の「送信方法１」において複素共役をとっていない方の信号の複素共役をとり、＜ＩＩ＞複素共役をとった方の信号の負をとり、＜ＩＩＩ＞双方の信号の位相を変更する位相変更処理を施し、＜ＩＶ＞スロットを入れ替える。この位相変更処理は、規則的に変更する位相の度合いを変えながら行われる。
【０４５８】
したがって、アンテナ＄２に対して生成される信号は、スロット２×ｉ（ｉは整数）の場合に、ｓ３（ｉ）×ｅjθb(i)となり、スロット２×ｉ＋１（ｉは整数）の場合に、−ｓ２（ｉ）＊×ｅjθb(i)となる。
「生成方法２６」の「送信方法２」においては、位相変更に用いる位相θｂ（ｉ）は、例えば、以下の式（７６）のように算出する。
θｂ（ｉ）＝（２×π×（ｉ  ｍｏｄ  Ｍｂ））／Ｍｂラジアン…式（７６）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０４５９】
ただし、式（７６）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０４６０】
したがって、「送信方法２」の場合、図３４（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθb(0)、−ｓ２（０）＊×ｅjθb(0)、ｓ３（１）×ｅjθb(1)、−ｓ２（１）＊×ｅjθb(1)、ｓ３（２）×ｅjθb(2)、−ｓ２（２）＊×ｅjθb(2)、ｓ３（３）×ｅjθb(3)、−ｓ２（３）＊×ｅjθb(3)、ｓ３（４）×ｅjθb(0)、−ｓ２（４）＊×ｅjθb(0)、・・・を各スロットについてこの順に生成して出力する。
【０４６１】
なお、図３４は、あくまでも一例である。
別の例として、例えば、式（７５）および式（７６）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）
送信局＃２、アンテナ＄２：ｓ３（ｉ）×ｅjθb(i)
スロット２×ｉ＋１において、
送信局＃１、アンテナ＄１：−ｓ１（ｉ）＊
送信局＃１、アンテナ＄２：ｓ３（ｉ）＊×ｅjθa(i)
送信局＃２、アンテナ＄１：ｓ０（ｉ）＊
送信局＃２、アンテナ＄２：−ｓ２（ｉ）＊×ｅjθb(i)
とあらわすことができる。
【０４６２】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０４６３】
なお、式（７５）、（７６）において周期Ｍａ、Ｍｂ（図３４では、周期４（８スロット周期））の中で、位相変更値は別の並べ方としてもよい。例えば、図３４のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０４６４】
また、図３４では、位相変更の周期が４（８スロット周期）の場合を示しているが、これに限ったものではなく、別の周期であってもよい。そして、図２６とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０４６５】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法２７＞
図３５は、送信局＃１、送信局＃２が生成する各スロットの信号について、演算部６０４により生成されるベースバンド信号の生成方法を示す図である。図３５において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０４６６】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３５（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、＜ＩＩ＞複素共役をとった方の信号の負をとり、アンテナ＄１用のベースバンド信号６０５Ａ（図４の４０５Ａ）を出力する。
【０４６７】
したがって、アンテナ＄１に対して生成される信号は、スロット２×ｉ（ｉは整数）の場合に、ｓ０（ｉ）となり、スロット２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとる。この位相変更処理は、規則的に変更する位相の度合いを変えながら行われる。
【０４６８】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、（ｓ３（ｉ）×ｅjθ(i)）＊となる。
「生成方法２７」の「送信方法１」における位相変更の例として、位相変更に用いる位相θ（ｉ）は、例えば、以下の式（７７）のように算出する。
θ（ｉ）＝（２×π×（ｉ  ｍｏｄ  Ｍ））／Ｍラジアン    …式（７７）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４６９】
ただし、式（７７）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４７０】
したがって、「送信方法１」の場合、図３５（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、（ｓ３（０）×ｅjθ(0)）＊、ｓ２（１）×ｅjθ(1)、（ｓ３（１）×ｅjθ(1)）＊、ｓ２（２）×ｅjθ(2)、（ｓ３（２）×ｅjθ(2)）＊、ｓ２（３）×ｅjθ(3)、（ｓ３（３）×ｅjθ(3)）＊、ｓ２（４）×ｅjθ(0)、（ｓ３（４）×ｅjθ(0)）＊、・・・を各スロットについてこの順に生成して出力する。
【０４７１】
送信方法に関する制御信号４１４が、「送信方法２」を示している場合に、演算部６０４は、各スロットについて、送信局＃２用の信号として、図３５（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２７」の「送信方法１」において複素共役をとっていない方の信号の複素共役をとり、＜ＩＩ＞スロットを入れ替える。
【０４７２】
したがって、アンテナ＄１に対して生成される信号は、スロット２×ｉ（ｉは整数）の場合に、ｓ１（ｉ）となり、スロット２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法２７」の「送信方法１」において複素共役をとっていない方の信号の複素共役をとり、＜ＩＩＩ＞複素共役をとった方の信号の負をとり、＜ＩＶ＞スロットを入れ替える。この位相変更処理は、規則的に変更する位相の度合いを変えながら行われる。
【０４７３】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、−（ｓ２（ｉ）×ｅjθ(i)）＊となる。
「生成方法２７」の「送信方法２」においては、位相変更に用いる位相θ（ｉ）は、以下の式（７８）のように算出する。
θ（ｉ）＝（２×π×（ｉ  ｍｏｄ  Ｍ））／Ｍラジアン    …式（７８）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０４７４】
ただし、式（７８）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０４７５】
なお、式（７７）と式（７８）は同一であり、送信局＃１で与えるθ（ｉ）と送信局＃２で与えるθ（ｉ）は同一の関数である。
したがって、「送信方法２」の場合、図３５（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(0)、−（ｓ２（０）×ｅjθ(0)）＊、ｓ３（１）×ｅjθ(1)、−（ｓ２（１）×ｅjθ(1)）＊、ｓ３（２）×ｅjθ(2)、−（ｓ２（２）×ｅjθ(2)）＊、ｓ３（３）×ｅjθ(3)、−（ｓ２（３）×ｅjθ(3)）＊、ｓ３（４）×ｅjθ(0)、−（ｓ２（４）＊×ｅjθ(0)）＊、・・・を各スロットについてこの順に生成して出力する。
【０４７６】
なお、図３５は、あくまでも一例である。
別の例として、例えば、式（７７）（式（７８））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：−ｓ１（ｉ）＊
送信局＃１、アンテナ＄２：（ｓ３（ｉ）×ｅjθ(i)）＊
送信局＃２、アンテナ＄１：ｓ０（ｉ）＊
送信局＃２、アンテナ＄２：−（ｓ２（ｉ）×ｅjθ(i)）＊
とあらわすことができる。
【０４７７】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０４７８】
なお、式（７７）、（７８）において周期Ｍ（図３５では、周期４（８スロット周期））の中で、位相変更値は別の並べ方としてもよい。例えば、図３５のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０４７９】
また、図３５では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０４８０】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法２８＞
図３６は、送信局＃１、送信局＃２が生成する各スロットの信号について、演算部６０４により生成されるベースバンド信号の生成方法を示す図である。図３６において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０４８１】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３６（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、＜ＩＩ＞複素共役をとった方の信号の負をとり、アンテナ＄１用のベースバンド信号６０５Ａ（図４の４０５Ａ）を出力する。
【０４８２】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、−ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとる。この位相変更処理は、規則的に変更する位相の度合いを変えながら行われる。
【０４８３】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、（ｓ３（ｉ）×ｅjθ(k)）＊となる。
「生成方法２８」においては、位相変更の周期が２Ｍのときと、２Ｍ＋１のときとで位相変更に用いる位相の算出方法が異なる。
【０４８４】
位相変更の周期が２Ｍ、即ち、周期が偶数の場合に、位相変更に用いる位相θ（ｋ）は、例えば、以下の式（７９）のように算出する。
θ（ｋ）＝（２×π×（ｋ  ｍｏｄ  ２Ｍ））／２Ｍラジアン    …式（７９）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０４８５】
ただし、式（７９）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０４８６】
また、位相変更の周期が２Ｍ＋１、即ち、周期が奇数の場合に位相変更に用いる位相θ（ｋ）は、例えば、下記条件の下で式（８０）または式（８１）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（８０）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（８１）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０４８７】
ただし、式（８０）、式（８１）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０４８８】
したがって、「送信方法１」の場合、図３６（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、−ｓ１（０）＊、ｓ０（１）、−ｓ１（１）＊、ｓ０（２）、−ｓ１（２）＊、ｓ０（３）、−ｓ１（３）＊、ｓ０（４）、−ｓ１（４）＊、・・・を各スロットについてこの順に生成して出力し、アンテナ＄２用のベースバンド信号ｓ２（０）×ｅjθ(0)、（ｓ３（０）×ｅjθ(1)）＊、ｓ２（１）×ｅjθ(2)、（ｓ３（１）×ｅjθ(3)）＊、ｓ２（２）×ｅjθ(4)、（ｓ３（２）×ｅjθ(5)）＊、ｓ２（３）×ｅjθ(6)、（ｓ３（３）×ｅjθ(7)）＊、ｓ２（４）×ｅjθ(0)、（ｓ３（４）×ｅjθ(1)）＊、・・・を各スロットについてこの順に生成して出力する。
【０４８９】
送信方法に関する制御信号４１４が、「送信方法２」を示している場合に、演算部６０４は、各スロットについて、送信局＃２用の信号として、図３６（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞「生成方法２８」の「送信方法１」において複素共役をとっていない方の信号の複素共役をとり、＜ＩＩ＞スロットを入れ替える。
【０４９０】
したがって、アンテナ＄１に対して生成される信号は、スロットｋ＝２×ｉ（ｉは整数）の場合に、ｓ１（ｉ）となり、スロットｋ＝２×ｉ＋１（ｉは整数）の場合に、ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法２８」の「送信方法１」において複素共役をとっていない方の信号の複素共役をとり、＜ＩＩＩ＞複素共役をとった方の信号の負をとり、＜ＩＶ＞スロットを入れ替える。この位相変更処理は、規則的に変更する位相の度合いを変えながら行われる。
【０４９１】
したがって、アンテナ＄２に対して生成される信号は、スロットｋ＝２×ｉ（ｉは整数）の場合に、ｓ３（ｉ）×ｅjθ(k+1)となり、スロットｋ＝２×ｉ＋１（ｉは整数）の場合に、−（ｓ２（ｉ）×ｅjθ(k-1)）＊となる。
「生成方法２８」の「送信方法２」においては、位相変更の周期が２Ｍのときと、２Ｍ＋１のときとで位相変更に用いる位相の算出方法が異なる。
【０４９２】
位相変更の周期が２Ｍ、即ち、周期が偶数の場合に、位相変更に用いる位相θ（ｋ）は、例えば、以下の式（８２）のように算出する。
θ（ｋ）＝（２×π×（ｋ  ｍｏｄ  ２Ｍ））／２Ｍラジアン    …式（８２）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０４９３】
ただし、式（８２）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０４９４】
また、位相変更の周期が２Ｍ＋１、即ち、周期が奇数の場合に位相変更に用いる位相θ（ｋ）は、例えば、下記条件の下で式（８３）または式（８４）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（８３）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（８４）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０４９５】
ただし、式（８３）、式（８４）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０４９６】
したがって、「送信方法２」の場合、図３６（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、ｓ０（０）＊、ｓ１（１）、ｓ０（１）＊、ｓ１（２）、ｓ０（２）＊、ｓ１（３）、ｓ０（３）＊、ｓ１（４）、ｓ０（４）＊、・・・を各スロットについてこの順に生成して出力し、アンテナ＄２用のベースバンド信号ｓ３（０）×ｅjθ(1)、−（ｓ２（０）×ｅjθ(0)）＊、ｓ３（１）×ｅjθ(3)、−（ｓ２（１）×ｅjθ(2)）＊、ｓ３（２）×ｅjθ(5)、−（ｓ２（２）×ｅjθ(4)）＊、ｓ３（３）×ｅjθ(7)、−（ｓ２（３）×ｅjθ(6)）＊、ｓ３（４）×ｅjθ(1)、−（ｓ２（４）＊×ｅjθ(0)）＊、・・・を各スロットについてこの順に生成して出力する。
【０４９７】
なお、図３６は、あくまでも一例である。
別の例として、例えば、位相変更の周期が２Ｍであり、式（７９）、式（８０）、式（８１）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：−ｓ１（ｉ）＊
送信局＃１、アンテナ＄２：（ｓ３（ｉ）×ｅjθ(k)）＊
送信局＃２、アンテナ＄１：ｓ０（ｉ）＊
送信局＃２、アンテナ＄２：−（ｓ２（ｉ）×ｅjθ(k-1)）＊
とあらわすことができる。
【０４９８】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（８２）、式（８３）、式（８４）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：−ｓ１（ｉ）＊
送信局＃１、アンテナ＄２：（ｓ３（ｉ）×ｅjθ(k)）＊
送信局＃２、アンテナ＄１：ｓ０（ｉ）＊
送信局＃２、アンテナ＄２：−（ｓ２（ｉ）×ｅjθ(k-1)）＊
とあらわすことができる。
【０４９９】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（７９）、（８２）において周期２Ｍ（図３６では、周期８（８スロット周期））の中で、また、式（８０）、（８１）、（８３）、（８４）において周期２Ｍ＋１の中で、位相変更値は別の並べ方としてもよい。例えば、図３６（ａ）のスロット２では変更する位相の度合いをθ（２）とし、スロット３でθ（３）としているが、スロット２で変更する位相の度合いをθ（３）とし、スロット３でθ（２）としてもよい。
【０５００】
また、図３６では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０５０１】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０５０２】
＜生成方法２９＞
図３７は、送信局＃１、送信局＃２が生成する各スロットの信号について、演算部６０４により生成されるベースバンド信号の生成方法を示す図である。図３７において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０５０３】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３７（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞その一方の複素共役をとり、アンテナ＄１用のベースバンド信号６０５Ａ（図４の４０５Ａ）を出力する。
【０５０４】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞一方の信号の複素共役をとり、＜ＩＩ＞双方の信号についてその位相を変更する位相変更処理を施す。この位相変更処理は、規則的に変更する位相の度合いを変えながら行われる。
【０５０５】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、ｓ３（ｉ）＊×ｅjθ(i)となる。
「生成方法２９」の「送信方法１」における位相変更の例として、位相変更に用いる位相θ（ｉ）は、例えば、以下の式（８５）のように算出する。
θ（ｉ）＝（２×π×（ｉ  ｍｏｄ  Ｍ））／Ｍ  ラジアン    …式（８５）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０５０６】
ただし、式（８５）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０５０７】
したがって、「送信方法１」の場合、図３７（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、ｓ３（０）＊×ｅjθ(0)、ｓ２（１）×ｅjθ(1)、ｓ３（１）＊×ｅjθ(1)、ｓ２（２）×ｅjθ(2)、ｓ３（２）＊×ｅjθ(2)、ｓ２（３）×ｅjθ(3)、ｓ３（３）＊×ｅjθ(3)、ｓ２（４）×ｅjθ(0)、ｓ３（４）＊×ｅjθ(0)、・・・を各スロットについてこの順に生成して出力する。
【０５０８】
送信方法に関する制御信号４１４が、「送信方法２」を示している場合に、演算部６０４は、各スロットについて、送信局＃２用の信号として、図３７（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法２９」の「送信方法１」において複素共役をとっていない方の信号の複素共役をとり、＜ＩＩ＞複素共役をとった方の信号の負をとり、＜ＩＩＩ＞スロットを入れ替える。
【０５０９】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。
また、アンテナ＄２が送信する信号として演算部６０４に入力される信号ｓ２（ｔ）、ｓ３（ｔ）に対して、＜Ｉ＞「生成方法２９」の「送信方法１」において複素共役をとっていない方の信号の複素共役をとり、＜ＩＩ＞複素共役をとった方の信号の負をとり、＜ＩＩＩ＞その位相を変更する位相変更処理を施し、＜ＩＶ＞スロットを入れ替える。この位相変更処理は、規則的に変更する位相の度合いを変えながら行われる。
【０５１０】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、−ｓ２（ｉ）＊×ｅjθ(i)となる。
「生成方法２９」の「送信方法２」においては、位相変更に用いる位相θ（ｉ）は、例えば、以下の式（８６）のように算出する。
θ（ｉ）＝（２×π×（ｉ  ｍｏｄ  Ｍ））／Ｍ  ラジアン    …式（８６）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０５１１】
ただし、式（８６）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０５１２】
なお、式（８５）と式（８６）は同一であり、送信局＃１で与えるθ（ｉ）と送信局＃２で与えるθ（ｉ）は同一の関数である。
したがって、「送信方法２」の場合、図３７（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(0)、−ｓ２（０）＊×ｅjθ(0)、ｓ３（１）×ｅjθ(1)、−ｓ２（１）＊×ｅjθ(1)、ｓ３（２）×ｅjθ(2)、−ｓ２（２）＊×ｅjθ(2)、ｓ３（３）×ｅjθ(3)、−ｓ２（３）＊×ｅjθ(3)、ｓ３（４）×ｅjθ(0)、−ｓ２（４）＊×ｅjθ(0)、・・・を各スロットについてこの順に生成して出力する。
【０５１３】
なお、図３７は、あくまでも一例である。
別の例として、例えば、式（８５）（式（８６））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：ｓ１（ｉ）＊
送信局＃１、アンテナ＄２：ｓ３（ｉ）＊×ｅjθ(i)
送信局＃２、アンテナ＄１：−ｓ０（ｉ）＊
送信局＃２、アンテナ＄２：−ｓ２（ｉ）＊×ｅjθ(i)
とあらわすことができる。
【０５１４】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０５１５】
なお、式（８５）、（８６）において周期Ｍ（図３７では、周期４（８スロット周期））の中で、位相変更値は別の並べ方としてもよい。例えば、図３７のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０５１６】
また、図３７では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０５１７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、図２の場合に比して、データの受信品質が向上する。
＜生成方法３０＞
図３８は、送信局＃１、送信局＃２が生成する各スロットの信号について、演算部６０４により生成されるベースバンド信号の生成方法を示す図である。図３８において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０５１８】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３８（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の信号の複素共役をとり、アンテナ＄１用のベースバンド信号６０５Ａ（図４の４０５Ａ）を出力する。
【０５１９】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。
そして、アンテナ＄２が送信する信号として、演算部６０４に入力される信号ｓ２（ｔ）、ｓ３（ｔ）に対して、＜Ｉ＞その一方の複素共役をとり、＜ＩＩ＞双方の信号の位相を変更する位相変更処理を施す。この位相変更処理は、規則的に変更する位相の度合いを変えながら行われる。
【０５２０】
したがって、アンテナ＄２に対して生成される信号は、スロット２×ｉ（ｉは整数）の場合に、ｓ２（ｉ）×ｅjθa(i)となり、スロット２×ｉ＋１（ｉは整数）の場合に、ｓ３（ｉ）＊×ｅjθa(i)となる。
「生成方法３０」の「送信方法１」における位相変更の例として、位相変更に用いる位相θａ（ｉ）は、例えば、以下の式（８７）のように算出する。
θａ（ｉ）＝（２×π×（ｉ  ｍｏｄ  Ｍａ））／Ｍａラジアン…式（８７）
ここで、ｉは例えば０以上の任意の整数とし、Ｍａは位相変更の周期であり、Ｍａは２以上の整数であるとする。また、ｉ  ｍｏｄ  Ｍａは、ｉをＭａで割ったときの余りを示す。
【０５２１】
ただし、式（８７）はあくまでもデータの受信品質を向上させるための好適な一例であり、位相変更の方法はこれに限ったものではない。
例えば、０ラジアン以上２πラジアン以下のＭａ種類のそれぞれが異なる値を用意し、これらＭａ種類の値を用いて、周期Ｍａを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍａ−３］、Ｇ［Ｍａ−２］、Ｇ［Ｍａ−１］の順に位相変更値を変更しなくてもよい。
【０５２２】
したがって、「送信方法１」の場合、図３８（ａ）に示すように、Ｍａ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθa(0)、ｓ３（０）＊×ｅjθa(0)、ｓ２（１）×ｅjθa(1)、ｓ３（１）＊×ｅjθa(1)、ｓ２（２）×ｅjθa(2)、ｓ３（２）＊×ｅjθa(2)、ｓ２（３）×ｅjθa(3)、ｓ３（３）＊×ｅjθa(3)、ｓ２（４）×ｅjθa(0)、ｓ３（４）＊×ｅjθa(0)、・・・を各スロットについてこの順に生成して出力する。
【０５２３】
送信方法に関する制御信号４１４が、「送信方法２」を示している場合に、演算部６０４は、各スロットについて、送信局＃２用の信号として、図３８（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法３０」の「送信方法１」において複素共役をとっていない方の信号の複素共役をとり、＜ＩＩ＞複素共役をとった方の信号の負をとり、＜ＩＩＩ＞スロットを入れ替える。
【０５２４】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。
また、アンテナ＄２が送信する信号として演算部６０４に入力される信号ｓ２（ｔ）、ｓ３（ｔ）に対して、＜Ｉ＞「生成方法３０」の「送信方法１」において複素共役をとっていない方の信号の複素共役をとり、＜ＩＩ＞複素共役をとった方の信号の負をとり、＜ＩＩＩ＞双方の信号の位相を変更する位相変更処理を施し、＜ＩＶ＞スロットを入れ替える。この位相変更処理は、規則的に変更する位相の度合いを変えながら行われる。
【０５２５】
したがって、アンテナ＄２に対して生成される信号は、スロット２×ｉ（ｉは整数）の場合に、ｓ３（ｉ）×ｅjθb(i)となり、スロット２×ｉ＋１（ｉは整数）の場合に、−ｓ２（ｉ）＊×ｅjθb(i)となる。
「生成方法３０」の「送信方法２」においては、位相変更に用いる位相θｂ（ｉ）は、例えば、以下の式（８８）のように算出する。
θｂ（ｉ）＝（２×π×（ｉ  ｍｏｄ  Ｍｂ））／Ｍｂラジアン…式（８８）
ここで、ｉは例えば０以上の任意の整数とし、Ｍｂは位相変更の周期であり、Ｍｂは２以上の整数であるとする。また、ｉ  ｍｏｄ  Ｍｂは、ｉをＭｂで割ったときの余りを示す。
【０５２６】
ただし、式（８８）はあくまでもデータの受信品質を向上させるための好適な一例であり、位相変更の方法はこれに限ったものではない。
例えば、０ラジアン以上２πラジアン以下のＭｂ種類のそれぞれが異なる値を用意し、これらＭｂ種類の値を用いて、周期Ｍｂを形成してもよい。
また、Ｍｂ種類の位相変更値をＧ［ｊ］（ｊは０以上Ｍｂ−１以下の整数）としたとき、位相変更値をＧ［０］、Ｇ［１］、Ｇ［２］、・・・、Ｇ［Ｍｂ−３］、Ｇ［Ｍｂ−２］、Ｇ［Ｍｂ−１］の順に位相変更値を変更しなくてもよい。
【０５２７】
したがって、「送信方法２」の場合、図３８（ｂ）に示すように、Ｍｂ＝４として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθb(0)、−ｓ２（０）＊×ｅjθb(0)、ｓ３（１）×ｅjθb(1)、−ｓ２（１）＊×ｅjθb(1)、ｓ３（２）×ｅjθb(2)、−ｓ２（２）＊×ｅjθb(2)、ｓ３（３）×ｅjθb(3)、−ｓ２（３）＊×ｅjθb(3)、ｓ３（４）×ｅjθb(0)、−ｓ２（４）＊×ｅjθb(0)、・・・を各スロットについてこの順に生成して出力する。
【０５２８】
なお、図３８は、あくまでも一例である。
別の例として、例えば、式（８７）および式（８８）のようにθａ（ｉ）、θｂ（ｉ）を与えた場合：
スロット２×ｉにおいて、
送信局＃１、アンテナ＄１：ｓ０（ｉ）
送信局＃１、アンテナ＄２：ｓ２（ｉ）×ｅjθa(i)
送信局＃２、アンテナ＄１：ｓ１（ｉ）
送信局＃２、アンテナ＄２：ｓ３（ｉ）×ｅjθb(i)
スロット２×ｉ＋１において、
送信局＃１、アンテナ＄１：ｓ１（ｉ）＊
送信局＃１、アンテナ＄２：ｓ３（ｉ）＊×ｅjθa(i)
送信局＃２、アンテナ＄１：−ｓ０（ｉ）＊
送信局＃２、アンテナ＄２：−ｓ２（ｉ）＊×ｅjθb(i)
とあらわすことができる。
【０５２９】
なお、θａ（ｉ）、θｂ（ｉ）は、上記の条件に限ったものではない。位相変更値θａ（ｉ）、θｂ（ｉ）が、時間や周波数（キャリア番号）の関数であればよい。（位相変更値θａ（ｉ）、θｂ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθａ（ｉ）とスロット２×ｉ＋１の送信局＃１、アンテナ＄２のθａ（ｉ）は同一の値であり、スロット２×ｉの送信局＃２、アンテナ＄２のθｂ（ｉ）とスロット２×ｉ＋１の送信局＃２、アンテナ＄２のθｂ（ｉ）は同一の値である」
ということである。
【０５３０】
なお、式（８７）、（８８）において周期Ｍａ、Ｍｂ（図３８では、周期４（８スロット周期））の中で、位相変更値は別の並べ方としてもよい。例えば、図３８のスロット２とスロット３では変更する位相の度合いをθａ（１）（θｂ（１））とし、スロット４とスロット５でθａ（２）（θｂ（２））としているが、スロット２とスロット３で変更する位相の度合いをθａ（２）（θｂ（２））とし、スロット４とスロット５でθａ（１）（θｂ（１））としてもよい。また、周期Ｍａ、Ｍｂは、同一の値であってもよいし、異なる値であってもよい。
【０５３１】
また、図３８では、位相変更の周期が４（８スロット周期）の場合を示しているが、これに限ったものではなく、別の周期であってもよい。そして、図２６とは異なり、周期Ｍａと周期Ｍｂは異なる値であってもよい。周期Ｍａ、Ｍｂとなるように、θａ（ｉ）、θｂ（ｉ）を設定することになる。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０５３２】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法３１＞
図３９は、送信局＃１、送信局＃２が生成する各スロットの信号について、演算部６０４により生成されるベースバンド信号の生成方法を示す図である。図３９において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０５３３】
ここで、マッピング後の信号（ベースバンド信号）（図６の６０３に相当）をｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図３９（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、アンテナ＄１用のベースバンド信号６０５Ａ（図４の４０５Ａ）を出力する。
【０５３４】
したがって、アンテナ＄１に対して生成される信号は、スロット２×ｉ（ｉは整数）の場合に、ｓ０（ｉ）となり、スロット２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとる。この位相変更処理は、規則的に変更する位相の度合いを変えながら行われる。
【０５３５】
したがって、アンテナ＄２に対して生成される信号は、スロット２×ｉ（ｉは整数）の場合に、ｓ２（ｉ）×ｅjθ(i)となり、スロット２×ｉ＋１（ｉは整数）の場合に、（ｓ３（ｉ）×ｅjθ(i)）＊となる。
「生成方法３１」の「送信方法１」における位相変更の例として、位相変更に用いる位相θ（ｉ）は、例えば、以下の式（８９）のように算出する。
θ（ｉ）＝（２×π×（ｉ  ｍｏｄ  Ｍ））／Ｍラジアン    …式（８９）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０５３６】
ただし、式（８９）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０５３７】
したがって、「送信方法１」の場合、図３９（ａ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、（ｓ３（０）×ｅjθ(0)）＊、ｓ２（１）×ｅjθ(1)、（ｓ３（１）×ｅjθ(1)）＊、ｓ２（２）×ｅjθ(2)、（ｓ３（２）×ｅjθ(2)）＊、ｓ２（３）×ｅjθ(3)、（ｓ３（３）×ｅjθ(3)）＊、ｓ２（４）×ｅjθ(0)、（ｓ３（４）×ｅjθ(0)）＊、・・・を各スロットについてこの順に生成して出力する。
【０５３８】
送信方法に関する制御信号４１４が、「送信方法２」を示している場合に、演算部６０４は、各スロットについて、送信局＃２用の信号として、図３９（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して、＜Ｉ＞「生成方法３１」の「送信方法１」において複素共役をとっていない方の信号の複素共役をとり、＜ＩＩ＞複素共役をとった方の信号の負をとり、＜ＩＩＩ＞スロットを入れ替える。
【０５３９】
したがって、アンテナ＄１に対して生成される信号は、スロット２×ｉ（ｉは整数）の場合に、ｓ１（ｉ）となり、スロット２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法３１」の「送信方法１」において複素共役をとっていない方の信号の複素共役をとり、＜ＩＩＩ＞複素共役をとった方の信号の負をとり、＜ＩＶ＞スロットを入れ替える。この位相変更処理は、規則的に変更する位相の度合いを変えながら行われる。
【０５４０】
したがって、アンテナ＄２に対して生成される信号は、スロット２×ｉ（ｉは整数）の場合に、ｓ３（ｉ）×ｅjθ(i)となり、スロット２×ｉ＋１（ｉは整数）の場合に、−（ｓ２（ｉ）×ｅjθ(i)）＊となる。
「生成方法３１」の「送信方法２」においては、位相変更に用いる位相θ（ｉ）は、以下の式（９０）のように算出する。
θ（ｉ）＝（２×π×（ｉ  ｍｏｄ  Ｍ））／Ｍラジアン    …式（９０）
ここで、ｉは例えば０以上の任意の整数とし、Ｍは位相変更の周期であり、Ｍは２以上の整数であるとする。また、ｉ  ｍｏｄ  Ｍは、ｉをＭで割ったときの余りを示す。
【０５４１】
ただし、式（９０）はあくまでもデータの受信品質を向上させるための好適な一例であり、位相変更の方法はこれに限ったものではない。
例えば、０ラジアン以上２πラジアン以下のＭ種類のそれぞれが異なる値を用意し、これらＭ種類の値を用いて、周期Ｍを形成してもよい。
また、Ｍ種類の位相変更値をＧ［ｊ］（ｊは０以上Ｍ−１以下の整数）としたとき、位相変更値をＧ［０］、Ｇ［１］、Ｇ［２］、・・・、Ｇ［Ｍ−３］、Ｇ［Ｍ−２］、Ｇ［Ｍ−１］の順に位相変更値を変更しなくてもよい。
【０５４２】
なお、式（８９）と式（９０）は同一であり、送信局＃１で与えるθ（ｉ）と送信局＃２で与えるθ（ｉ）は同一の関数である。
したがって、「送信方法２」の場合、図３９（ｂ）に示すように、Ｍ＝４としたとき、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(0)、−（ｓ２（０）×ｅjθ(0)）＊、ｓ３（１）×ｅjθ(1)、−（ｓ２（１）×ｅjθ(1)）＊、ｓ３（２）×ｅjθ(2)、−（ｓ２（２）×ｅjθ(2)）＊、ｓ３（３）×ｅjθ(3)、−（ｓ２（３）×ｅjθ(3)）＊、ｓ３（４）×ｅjθ(0)、−（ｓ２（４）＊×ｅjθ(0)）＊、・・・を各スロットについてこの順に生成して出力する。
【０５４３】
なお、図３９は、あくまでも一例である。
別の例として、例えば、式（８９）（式（９０））のようにθ（ｉ）を与えた場合（θの周期はＭ）：
スロット２×ｉにおいて、
送信局＃１、アンテナ＄１：ｓ０（ｉ）
送信局＃１、アンテナ＄２：ｓ２（ｉ）×ｅjθ(i)
送信局＃２、アンテナ＄１：ｓ１（ｉ）
送信局＃２、アンテナ＄２：ｓ３（ｉ）×ｅjθ(i)
スロット２×ｉ＋１において、
送信局＃１、アンテナ＄１：ｓ１（ｉ）＊
送信局＃１、アンテナ＄２：（ｓ３（ｉ）×ｅjθ(i)）＊
送信局＃２、アンテナ＄１：−ｓ０（ｉ）＊
送信局＃２、アンテナ＄２：−（ｓ２（ｉ）×ｅjθ(i)）＊
とあらわすことができる。
【０５４４】
なお、θ（ｉ）は、上記の条件に限ったものではない。位相変更値θ（ｉ）が、時間や周波数（キャリア番号）の関数であればよい。（位相変更値θ（ｉ）が、時間や周波数により、変更されるとデータの受信品質向上に好適であり、また、周期をもつと、送受信機で、位相変更値の共有が容易となる可能性がある。）
一つの重要なことは、
「スロット２×ｉの送信局＃１、アンテナ＄２のθ（ｉ）、スロット２×ｉの送信局＃２、アンテナ＄２のθ（ｉ）、スロット２×ｉ＋１の送信局＃１、アンテナ＄２のθ（ｉ）、スロット２×ｉ＋１の送信局＃２、アンテナ＄２のθ（ｉ）は同一の値である」
ということである。
【０５４５】
なお、式（８９）、（９０）において周期Ｍ（図３９では、周期４（８スロット周期））の中で、位相変更値は別の並べ方としてもよい。例えば、図３９のスロット２とスロット３では変更する位相の度合いをθ（１）とし、スロット４とスロット５でθ（２）としているが、スロット２とスロット３で変更する位相の度合いをθ（２）とし、スロット４とスロット５でθ（１）としてもよい。
【０５４６】
また、図３９では、位相変更の周期が４（８スロット周期）の場合を示しているが、これに限ったものではなく、別の周期であってもよい。例えば、この周期は３（６スロット周期）であってもよいし、５（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０５４７】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
＜生成方法３２＞
図４０は、送信局＃１、送信局＃２が生成する各スロットの信号について、演算部６０４により生成されるベースバンド信号の生成方法を示す図である。図４０において、送信局＃１のベースバンド信号生成に示す信号生成方法を用いて信号を送信することを「送信方法１」とし、送信局＃２のベースバンド信号生成に示す信号の信号生成方法を用いて信号を送信することを「送信方法２」とする。
【０５４８】
ここで、マッピング後の信号（ベースバンド信号）（図６の６０３に相当）ｓ０（ｔ）、ｓ１（ｔ）、ｓ２（ｔ）、ｓ３（ｔ）とする。そして、各送信局のアンテナ＄１は、ｓ０（ｔ）、ｓ１（ｔ）に基づく信号を、アンテナ＄２は、ｓ２（ｔ）、ｓ３（ｔ）に基づく信号を、同一（共通）時間、同一（共通）周波数で送信することとする。
送信方法に関する制御信号４１４が、「送信方法１」を示している場合に、演算部６０４は、各スロットについて、送信局＃１用の信号として、図４０（ａ）に示す信号を生成する。（送信局＃１では、送信方法に関する制御信号４１４が、「送信方法１」を示していることになる。）
即ち、送信局の演算部６０４は、アンテナ＄１が送信する信号として、演算部６０４に入力される信号ｓ０（ｔ）、ｓ１（ｔ）に対して、＜Ｉ＞一方の複素共役をとり、アンテナ＄１用のベースバンド信号６０５Ａ（図４の４０５Ａ）を出力する。
【０５４９】
したがって、アンテナ＄１に対して生成される信号は、スロットｋ＝２×ｉ（ｉは整数）の場合に、ｓ０（ｉ）となり、スロットｋ＝２×ｉ＋１（ｉは整数）の場合に、ｓ１（ｉ）＊となる。ここで＊は複素共役を意味し、ａ＊はａの複素共役を意味し、以下においても同様とする。
そして、アンテナ＄２が送信する信号として、演算部６０４に入力される信号ｓ２（ｔ）、ｓ３（ｔ）に対して、＜Ｉ＞その位相を変更する位相変更処理を施し、＜ＩＩ＞一方の信号の複素共役をとる。この位相変更処理は、規則的に変更する位相の度合いを変えながら行われる。
【０５５０】
したがって、アンテナ＄２に対して生成される信号は、スロットｋ＝２×ｉ（ｉ、ｋは整数）の場合に、ｓ２（ｉ）×ｅjθ(k)となり、スロットｋ＝２×ｉ＋１（ｉ、ｋは整数）の場合に、（ｓ３（ｉ）×ｅjθ(k)）＊となる。
「生成方法３２」においては、位相変更の周期が２Ｍのときと、２Ｍ＋１のときとで位相変更に用いる位相の算出方法が異なる。
【０５５１】
位相変更の周期が２Ｍ、即ち、周期が偶数の場合に、位相変更に用いる位相θ（ｋ）は、例えば、以下の式（９１）のように算出する。
θ（ｋ）＝（２×π×（ｋ  ｍｏｄ  ２Ｍ））／２Ｍラジアン    …式（９１）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０５５２】
ただし、式（９１）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０５５３】
また、位相変更の周期が２Ｍ＋１、即ち、周期が奇数の場合に位相変更に用いる位相θ（ｋ）は、例えば、下記条件の下で式（９２）または式（９３）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（９２）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（９３）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０５５４】
ただし、式（９２）、式（９３）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０５５５】
したがって、「送信方法１」の場合、図４０（ａ）に示すように、Ｍ＝４（位相変更の周期が偶数で８の場合）として、演算部６０４はｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ０（０）、ｓ１（０）＊、ｓ０（１）、ｓ１（１）＊、ｓ０（２）、ｓ１（２）＊、ｓ０（３）、ｓ１（３）＊、ｓ０（４）、ｓ１（４）＊、・・・を各スロットについてこの順に生成して出力し、アンテナ＄２用のベースバンド信号ｓ２（０）×ｅjθ(0)、（ｓ３（０）×ｅjθ(1)）＊、ｓ２（１）×ｅjθ(2)、（ｓ３（１）×ｅjθ(3)）＊、ｓ２（２）×ｅjθ(4)、（ｓ３（２）×ｅjθ(5)）＊、ｓ２（３）×ｅjθ(6)、（ｓ３（３）×ｅjθ(7)）＊、ｓ２（４）×ｅjθ(0)、（ｓ３（４）×ｅjθ(1)）＊、・・・を各スロットについてこの順に生成して出力する。
【０５５６】
送信方法に関する制御信号４１４が、「送信方法２」を示している場合に、演算部６０４は、各スロットについて、送信局＃２用の信号として、図４０（ｂ）に示す信号を生成する。（送信局＃２では、送信方法に関する制御信号４１４が、「送信方法２」を示していることになる。）
即ち、送信局の演算部６０４は、アンテナ＄１が送信する信号として演算部６０４に入力される信号ｓ０（ｔ）、ｓ１（ｔ）に対して＜Ｉ＞「生成方法３２」の「送信方法１」において複素共役をとっていない方の信号の複素共役をとり、＜ＩＩ＞複素共役をとった方の信号の負をとり、＜ＩＩＩ＞スロットを入れ替える。
【０５５７】
したがって、アンテナ＄１に対して生成される信号は、スロットｋ＝２×ｉ（ｉは整数）の場合に、ｓ１（ｉ）となり、スロットｋ＝２×ｉ＋１（ｉは整数）の場合に、−ｓ０（ｉ）＊となる。ここで＊は複素共役を意味し、ａ＊はａの複素共役を意味し、以下においても同様とする。
また、アンテナ＄２が送信する信号として演算部６０４に入力される信号ｓ２（ｔ）、ｓ３（ｔ）に対して、＜Ｉ＞その位相を変更する位相変更処理を施し、＜ＩＩ＞「生成方法３２」の「送信方法１」において複素共役をとっていない方の信号の複素共役をとり、＜ＩＩＩ＞複素共役をとった方の信号の負をとり、＜ＩＶ＞スロットを入れ替える。この位相変更処理は、規則的に変更する位相の度合いを変えながら行われる。
【０５５８】
したがって、アンテナ＄２に対して生成される信号は、スロットｋ＝２×ｉ（ｉは整数）の場合に、ｓ３（ｉ）×ｅjθ(k+1)となり、スロットｋ＝２×ｉ＋１（ｉは整数）の場合に、−（ｓ２（ｉ）×ｅjθ(k-1)）＊となる。
「生成方法３２」の「送信方法２」においては、位相変更の周期が２Ｍのときと、２Ｍ＋１のときとで位相変更に用いる位相の算出方法が異なる。
【０５５９】
位相変更の周期が２Ｍ、即ち、周期が偶数の場合に、位相変更に用いる位相θ（ｋ）は、例えば、以下の式（９４）のように算出する。
θ（ｋ）＝（２×π×（ｋ  ｍｏｄ  ２Ｍ））／２Ｍラジアン    …式（９４）
ここで、ｋは０以上の整数とし、２Ｍ（＝２×Ｍ）は位相変更の周期であり、Ｍは１以上の整数であるとする。また、ｋ  ｍｏｄ  ２Ｍは、ｋを２Ｍ（＝２×Ｍ）で割ったときの余りを示す。
【０５６０】
ただし、式（９４）はあくまでもデータの受信品質を向上させるための好適な一例であり、位相変更の方法はこれに限ったものではない。
例えば、０ラジアン以上２πラジアン以下の２Ｍ種類のそれぞれが異なる値を用意し、これら２Ｍ種類の値を用いて、周期２Ｍを形成してもよい。
また、２Ｍ種類の位相変更値をＧ［ｊ］（ｊは０以上２Ｍ−１以下の整数）としたとき、位相変更値をＧ［０］、Ｇ［１］、Ｇ［２］、・・・、Ｇ［２Ｍ−３］、Ｇ［２Ｍ−２］、Ｇ［２Ｍ−１］の順に位相変更値を変更しなくてもよい。
【０５６１】
また、位相変更の周期が２Ｍ＋１、即ち、周期が奇数の場合に位相変更に用いる位相θ（ｋ）は、例えば、下記条件の下で式（９５）または式（９６）のように算出する。
ｋ  ｍｏｄ  （４Ｍ＋２）≦２Ｍ−１、または、
ｋ  ｍｏｄ  （４Ｍ＋２）＝２Ｍのとき：
θ（ｋ）＝（２×π×（ｋ  ｍｏｄ  （２Ｍ＋１）））／（２Ｍ＋１）ラジアン
…式（９５）
ｋ  ｍｏｄ  （４Ｍ＋２）＝２Ｍ＋１、または、
２Ｍ＋２≦ｋ  ｍｏｄ  （４Ｍ＋２）≦４Ｍ＋１のとき：
θ（ｋ）＝θ（ｋ−（２Ｍ＋１））ラジアン  …式（９６）
ここで、ｋは０以上の整数とし、２Ｍ＋１は位相変更の周期であり、Ｍは１以上の整数であるとする。また  ｋ  ｍｏｄ  （２Ｍ＋１）は、ｋを２Ｍ＋１で割ったときの余りであり、ｋ  ｍｏｄ  （４Ｍ＋２）は、ｋを４Ｍ＋２で割ったときの余りを示す。
【０５６２】
ただし、式（９５）、式（９６）はあくまでもデータの受信品質を向上させるための好適な一例であり、位相変更の方法はこれに限ったものではない。
例えば、０ラジアン以上２πラジアン以下の２Ｍ＋１種類のそれぞれが異なる値を用意し、これら２Ｍ＋１種類の値を用いて、周期２Ｍ＋１を形成してもよい。
また、２Ｍ＋１種類の位相変更値をＧ［ｊ］（ｊは０以上２Ｍ＋１−１以下の整数）としたとき、位相変更値をＧ［０］、Ｇ［１］、Ｇ［２］、・・・、Ｇ［２Ｍ＋１−３］、Ｇ［２Ｍ＋１−２］、Ｇ［２Ｍ＋１−１］の順に位相変更値を変更しなくてもよい。
【０５６３】
したがって、「送信方法２」の場合、図４０（ｂ）に示すように、Ｍ＝４（位相変更の周期が偶数で８の場合）として、演算部６０４は、ｓ０（０）、ｓ１（０）、ｓ２（０）、ｓ３（０）、ｓ０（１）、ｓ１（１）、ｓ２（１）、ｓ３（１）、ｓ０（２）、ｓ１（２）、ｓ２（２）、ｓ３（２）、ｓ０（３）、ｓ１（３）、ｓ２（３）、ｓ３（３）、ｓ０（４）、ｓ１（４）、ｓ２（４）、ｓ３（４）、・・・の順に入力すると、アンテナ＄１用のベースバンド信号ｓ１（０）、−ｓ０（０）＊、ｓ１（１）、−ｓ０（１）＊、ｓ１（２）、−ｓ０（２）＊、ｓ１（３）、−ｓ０（３）＊、ｓ１（４）、−ｓ０（４）＊、・・・を各スロットについてこの順に生成して出力し、アンテナ＄２用のベースバンド信号ｓ３（０）×ｅjθ(1)、−（ｓ２（０）×ｅjθ(0)）＊、ｓ３（１）×ｅjθ(3)、−（ｓ２（１）×ｅjθ(2)）＊、ｓ３（２）×ｅjθ(5)、−（ｓ２（２）×ｅjθ(4)）＊、ｓ３（３）×ｅjθ(7)、−（ｓ２（３）×ｅjθ(6)）＊、ｓ３（４）×ｅjθ(1)、−（ｓ２（４）＊×ｅjθ(0)）＊、・・・を各スロットについてこの順に生成して出力する。
【０５６４】
なお、図４０は、あくまでも一例である。
別の例として、例えば、位相変更の周期が２Ｍであり、式（９１）、式（９２）、式（９３）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：ｓ１（ｉ）＊
送信局＃１、アンテナ＄２：（ｓ３（ｉ）×ｅjθ(k)）＊
送信局＃２、アンテナ＄１：−ｓ０（ｉ）＊
送信局＃２、アンテナ＄２：−（ｓ２（ｉ）×ｅjθ(k-1)）＊
とあらわすことができる。
【０５６５】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
別の例として、例えば、位相変更の周期が２Ｍ＋１であり、式（９４）、式（９５）、式（９６）のようにθ（ｋ）を与えた場合：
スロットｋ＝２×ｉにおいて、
送信局＃１、アンテナ＄１：ｓ０（ｉ）
送信局＃１、アンテナ＄２：ｓ２（ｉ）×ｅjθ(k)
送信局＃２、アンテナ＄１：ｓ１（ｉ）
送信局＃２、アンテナ＄２：ｓ３（ｉ）×ｅjθ(k+1)
スロットｋ＝２×ｉ＋１において、
送信局＃１、アンテナ＄１：ｓ１（ｉ）＊
送信局＃１、アンテナ＄２：（ｓ３（ｉ）×ｅjθ(k)）＊
送信局＃２、アンテナ＄１：−ｓ０（ｉ）＊
送信局＃２、アンテナ＄２：−（ｓ２（ｉ）×ｅjθ(k-1)）＊
とあらわすことができる。
【０５６６】
なお、θ（ｋ）は、上記の条件に限ったものではない。位相変更値θ（ｋ）が、時間や周波数（キャリア番号）の関数であればよい。（位相変更値θ（ｋ）が、時間や周波数により、変更されるとデータの受信品質向上に好適であり、また、周期をもつと、送受信機で、位相変更値の共有が容易となる可能性がある。）
なお、式（９１）、（９４）において周期２Ｍ（図４０では、周期８（８スロット周期））の中で、また、式（９２）、（９３）、（９５）、（９６）において周期２Ｍ＋１の中で、位相変更値は別の並べ方としてもよい。例えば、図４０（ａ）のスロット２では変更する位相の度合いをθ（２）とし、スロット３でθ（３）としているが、スロット２で変更する位相の度合いをθ（３）とし、スロット３でθ（２）としてもよい。
【０５６７】
また、図４０では、位相変更の周期が８（８スロット周期）の場合を示しているが、これに限ったものではなく、別の周期であってもよい。例えば、この周期は５（５スロット周期）であってもよいし、１０（１０スロット周期）であってもよい。
これによって、送信局＃１のアンテナ＄１と、送信局＃２のアンテナ＄２とにおいて、ｓ０（ｔ）、ｓ１（ｔ）に対して、時空間ブロック符号化が行われることになる。したがって、端末＃３は、ｓ０（ｔ）、ｓ１（ｔ）に対して、送信ダイバーシチ効果を得ることができる。
【０５６８】
同様に、送信局＃１のアンテナ＄１と、送信局＃２のアンテナ＄２とにおいて、ｓ２（ｔ）、ｓ３（ｔ）に対して、時空間ブロック符号化が行われることになる。したがって、端末＃３は、ｓ２（ｔ）、ｓ３（ｔ）に対しても、送信ダイバーシチ効果を得ることができる。
また、図１の例でいえば、端末＃１は送信局＃１の送信信号のみを受信することになるが、位相変更の効果により、直接波が支配的な環境において、従来方式に比して、データの受信品質が向上する。同様に、端末＃２は送信局＃２の送信信号のみを受信することになるが、位相変更の効果により、直接波が支配的な環境において、従来方式に比して、データの受信品質が向上する。
【０５６９】
図４１および図４２は、送信局毎の制御情報シンボルの送信方法例を示している。なお、縦軸は周波数（キャリア）、横軸は時間である。
制御情報シンボルは、図４１に示すように、送信局＃１と送信局＃２は互いに異なる時間、同一周波数で送信してもよいし、図４２に示すように同一時間、同一周波数で送信してもよい。
【０５７０】
図４１では、送信局＃１がキャリア＄１〜＄Ｌ（Ｌは１以上の任意の整数）を用いて時間＄１で制御情報シンボルを送信している。（なお、送信局＃１は、キャリア＄１〜＄Ｌ以外のキャリアのキャリアが存在いてもよい。）そして、送信局＃２はキャリア＄１〜＄Ｌ（Ｌは１以上の任意の整数）（なお、送信局＃１は、キャリア＄１〜＄Ｌ以外のキャリアのキャリアが存在いてもよい。）を用いて時間＄２で制御情報シンボルを送信している。（なお、図４１では、送信局＃１、送信局＃２いずれも、キャリア＄１〜＄Ｌを用いて、制御情報シンボル群を送信しているが、送信局＃１、送信局＃２が異なるキャリアを用いて制御情報シンボル群を送信してもよい。このとき、送信局＃１が制御情報シンボル群を送信しているキャリアおよび時間では、送信局＃２はシンボルを送信していない、そして、送信局＃２が制御情報シンボル群を送信しているキャリアおよび時間では、送信局＃１はシンボルを送信していないことを特徴としている。また、送信局＃１、送信局＃２いずれも、制御情報シンボルを送信する際、複数の時間にまたがって送信してもよい。このとき、送信局＃１は、制御情報シンボルを送信する際、第１の時間と第２の時間で、異なるキャリアを用いて送信してもよい。同様に、送信局＃２は、制御情報シンボルを送信する際、第３の時間と第４の時間で、異なるキャリアを用いて送信してもよい。このときも、送信局＃１が制御情報シンボル群を送信しているキャリアおよび時間では、送信局＃２はシンボルを送信していない、そして、送信局＃２が制御情報シンボル群を送信しているキャリアおよび時間では、送信局＃１はシンボルを送信していないことを特徴とする。）
このとき、送信局＃１と送信局＃２とは、別々の制御情報を送信することができる。そして、端末＃１は送信局＃１からの制御情報を得、端末＃２は送信局＃２からの制御情報を得て、それぞれ、データシンボルの復調が可能となる。
【０５７１】
一方、端末＃３は、送信局＃１と送信局＃２との双方からの制御情報を得て、送信局＃１が送信したデータシンボルの送信方法、送信局＃２が送信したデータシンボルの送信方法を認識して、受信信号を復調し、元のデータを得ることができる。
図４１の場合、送信局＃１が送信する制御情報シンボル群は、放送局＃１がどの生成方法を用いてデータシンボルを送信しているかの情報（識別子）（上述の説明において、送信方法１を用いたという情報）を含んでもよい。同様に、送信局＃２が送信する制御情報シンボル群は、放送局＃２がどの生成方法を用いてデータシンボルを送信しているかの情報（識別子）（上述の説明において、送信方法２を用いたという情報）を含んでもよい。
【０５７２】
このようにすることで、端末＃１、端末＃２、端末＃３いずれも「放送局＃１がどの生成方法を用いてデータシンボルを送信しているか、放送局＃２がどの生成方法を用いてデータシンボルを送信しているか」を知ることができ、データの受信品質を向上させることができるという利点がある。
他方、図４２では、送信局＃１および送信局＃２はともに、キャリア＄１〜＄Ｌ（Ｌは１以上の任意の整数）を用いて時間＄１で制御情報シンボルを送信していることがあってもよい。
（なお、図４２では、送信局＃１、送信局＃２いずれも、キャリア＄１〜＄Ｌを用いて、制御情報シンボル群を送信しているが、送信局＃１、送信局＃２が異なるキャリアを用いて制御情報シンボル群を送信してもよい。また、送信局＃１、送信局＃２いずれも、制御情報シンボルを送信する際、複数の時間にまたがって送信してもよい。このとき、送信局＃１は、制御情報シンボルを送信する際、第１の時間と第２の時間で、異なるキャリアを用いて送信してもよい。同様に、送信局＃２は、制御情報シンボルを送信する際、第３の時間と第４の時間で、異なるキャリアを用いて送信してもよい。）
図４３〜図４８は、各スロットの信号を時間軸および周波数軸上にマッピング（配置）する際のマッピング方法を示している。図４３〜図４８は、送信局＃１、送信局＃２、それぞれの送信信号のフレーム構成例を示しており、上記生成方法１〜３２に示すように生成された各スロットの信号の時間−周波数軸上への並べ方の例を示している。なお、図４３〜図４８に示す配置例は一例にすぎず、その他の並べ方をしてもよいのは言うまでもない。
【０５７３】
また、図４３〜図４８において、送信局＃１のアンテナ＃１、送信局＃１のアンテナ＃２、送信局＃２のアンテナ＃１、送信局＃２のアンテナ＃２の同一番号のキャリア、同一番号の時刻のスロット（シンボル、または、信号）は、同一周波数、同一時刻に送信されることになる。
図４３のフレームで、送信局＃１が変調信号を送信した場合、送信局＃２は、図４４のフレームで変調信号を送信することになる。
【０５７４】
図４３は、時間単位で、周波数軸方向に各スロットの信号を並べる例を示している。つまり、図４３に示すように、時刻＄１のキャリア方向に、順にキャリア３にスロット０の信号、キャリア４にスロット１の信号、キャリア５にスロット２の信号、・・・、キャリア１０にスロット５の信号、キャリア１１にスロット６の信号・・・というように、ある一つの時間において、予め定められたキャリアまで（あるいはスロット数（図４３の場合、スロット９９）まで）信号を並べた後に、時刻＄２のキャリア方向に、順にキャリア３にスロット１００の信号、キャリア４にスロット１０１の信号・・・というように並べていく。
【０５７５】
図４４は、図４３と同様に、周波数軸方向に各スロットの信号を並べる例を示している。つまり、図４４に示すように、時刻＄１のキャリア方向に、順にキャリア３にスロット０の信号、キャリア４にスロット１の信号、キャリア５にスロット２の信号、・・・、キャリア１０にスロット５の信号、キャリア１１にスロット６の信号・・・というように、ある一つの時間において、予め定められたキャリアまで（あるいはスロット数（図４４の場合、スロット９９）まで）信号を並べた後に、時刻＄２のキャリア方向に、順にキャリア３にスロット１００の信号、キャリア４にスロット１０１の信号・・・というように並べていく。
【０５７６】
図４３、図４４では、一例として、受信装置において、各アンテナにより送信される変調信号におけるチャネル推定（伝搬路変動の推定）を可能とするため、パイロットシンボルとヌルシンボル（同相成分ゼロ、直交成分ゼロのシンボル）を配置している。ただし、図４３、図４４のパイロットシンボルの配置は一例であり、配置方法、構成方法はこれに限ったものではない。例えば、パイロットシンボルとヌルシンボルによる構成でなく、パイロットシンボルのみで構成してもよい。
【０５７７】
図４５のフレームで、送信局＃１が変調信号を送信した場合、送信局＃２は、図４６のフレームで変調信号を送信することになる。
図４５は、周波数単位で、時間軸方向に各スロットの信号を並べる例を示している。つまり、図４５に示すように、キャリア３の時間軸方向に、順に、時刻＄１にスロット０の信号、時刻＄２にスロット１の信号、時刻＄３にスロット２の信号、・・・、時刻＄６にスロット５の信号、・・・というように、あるキャリアについて、予め定められた時刻まで（あるいはスロット数（図４５の場合、スロット９９）まで）信号を並べた後に、キャリア２の時間軸方向に、順に時刻＄１にスロット１００の信号、時刻＄２にスロット１０１の信号・・・というように並べていく。
【０５７８】
図４６は、図４５と同様に、周波数単位で、時間軸方向に各スロットの信号を並べる例を示している。つまり、図４６に示すように、キャリア３の時間軸方向に、順に、時刻＄１にスロット０の信号、時刻＄２にスロット１の信号、時刻＄３にスロット２の信号、・・・、時刻＄６にスロット５の信号、・・・というように、あるキャリアについて、予め定められた時刻まで（あるいはスロット数（図４６の場合、スロット９９）まで）信号を並べた後に、キャリア２の時間軸方向に、順に時刻＄１にスロット１００の信号、時刻＄２にスロット１０１の信号・・・というように並べていく。
【０５７９】
図４５、図４６では、一例として、受信装置において、各アンテナにより送信される変調信号におけるチャネル推定（伝搬路変動の推定）を可能とするため、パイロットシンボルとヌルシンボル（同相成分ゼロ、直交成分ゼロのシンボル）を配置している。ただし、図４３、図４４のパイロットシンボルの配置は一例であり、配置方法、構成方法はこれに限ったものではない。例えば、パイロットシンボルとヌルシンボルによる構成でなく、パイロットシンボルのみで構成してもよい。
【０５８０】
図４７のフレームで、送信局＃１が変調信号を送信した場合、送信局＃２は、図４８のフレームで変調信号を送信することになる。
図４７は、ブロック単位で各スロットの信号を並べる例を示している。つまり、複数の時刻および複数のキャリアを範囲とするブロックを一単位とし、このブロックに並べることを繰り返すことにより、フレームを構成する。図４７では、４つの時刻２つのキャリアを１ブロックとし、このブロックにおいて、時間単位で、周波数軸方向に各スロットの信号を並べる例を示している。即ち、図４７では、キャリア３〜４、時刻＄１〜＄２が１つのブロックであり、このブロックにおいて、時刻＄１において、キャリア３にスロット０の信号を、キャリア４にスロット１の信号を、時刻＄２において、キャリア３にスロット２の信号を、キャリア４にスロット３の信号を並べる。同様に、キャリア３〜４、時刻＄３〜＄４を１ブロックとし、時刻＄３において、キャリア３にスロット４の信号を、キャリア４にスロット５の信号を、時刻＄４において、キャリア３にスロット６の信号を、キャリア４にスロット７の信号を並べる。
【０５８１】
この２×２のブロック単位で、キャリア３〜４の時刻＄５０までで、スロット４９の信号を並べ、キャリア５〜６の時刻＄１〜＄５０までで、スロット５０〜スロット９９までの信号をブロック単位で並べる。
一方、キャリア９以降でも同様にブロック単位で、各スロットの信号を並べる。但し、図４７では、キャリア９〜１０、時刻＄１〜＄２にかけて、ブロック内で、周波数単位で時間軸方向に並べた例を示している。即ち、キャリア９の時刻＄１にスロット１００の信号を、キャリア９の時刻＄２にスロット１０１の信号を並べ、その次に、キャリア１０の時刻＄１にスロット１０２の信号を、キャリア１０の時刻＄２にスロット１０３の信号を並べる。
【０５８２】
このように、１フレーム内で、ブロック間で信号の並べ方を異ならせてもよい。
なお、このブロックは、ここでは、２×２を一ブロックとしているが、ブロックのサイズはどのようなものであってもよく、例えば、４×４、２×８、２×１０など、どのような単位のブロックで各スロットの信号を並べてもよい。
図４８は、図４７と同様に、ブロック単位で各スロットの信号を並べる例を示している。つまり、複数の時刻および複数のキャリアを範囲とするブロックを一単位とし、このブロックに並べることを繰り返すことにより、フレームを構成する。図４８では、４つの時刻２つのキャリアを１ブロックとし、このブロックにおいて、時間単位で、周波数軸方向に各スロットの信号を並べる例を示している。即ち、図４８では、キャリア３〜４、時刻＄１〜＄２が１つのブロックであり、このブロックにおいて、時刻＄１において、キャリア３にスロット０の信号を、キャリア４にスロット１の信号を、時刻＄２において、キャリア３にスロット２の信号を、キャリア４にスロット３の信号を並べる。同様に、キャリア３〜４、時刻＄３〜＄４を１ブロックとし、時刻＄３において、キャリア３にスロット４の信号を、キャリア４にスロット５の信号を、時刻＄４において、キャリア３にスロット６の信号を、キャリア４にスロット７の信号を並べる。
【０５８３】
この２×２のブロック単位で、キャリア３〜４の時刻＄５０までで、スロット４９の信号を並べ、キャリア５〜６の時刻＄１〜＄５０までで、スロット５０〜スロット９９までの信号をブロック単位で並べる。
一方、キャリア９以降でも同様にブロック単位で、各スロットの信号を並べる。但し、図４８では、キャリア９〜１０、時刻＄１〜＄２にかけて、ブロック内で、周波数単位で時間軸方向に並べた例を示している。即ち、キャリア９の時刻＄１にスロット１００の信号を、キャリア９の時刻＄２にスロット１０１の信号を並べ、その次に、キャリア１０の時刻＄１にスロット１０２の信号を、キャリア１０の時刻＄２にスロット１０３の信号を並べる。
【０５８４】
このように、１フレーム内で、ブロック間で信号の並べ方を異ならせてもよい。
なお、このブロックは、ここでは、２×２を一ブロックとしているが、ブロックのサイズはどのようなものであってもよく、例えば、４×４、２×８、２×１０など、どのような単位のブロックで各スロットの信号を並べてもよい。
図４７、図４８では、一例として、受信装置において、各アンテナにより送信される変調信号におけるチャネル推定（伝搬路変動の推定）を可能とするため、パイロットシンボルとヌルシンボル（同相成分ゼロ、直交成分ゼロのシンボル）を配置している。ただし、図４３、図４４のパイロットシンボルの配置は一例であり、配置方法、構成方法はこれに限ったものではない。例えば、パイロットシンボルとヌルシンボルによる構成でなく、パイロットシンボルのみで構成してもよい。
【０５８５】
ここから、送信局＃１が（送信局＃１の）アンテナ＃１から送信する変調信号ｚ１＿１と（送信局＃１の）アンテナ＃２から送信する変調信号ｚ２＿１、送信局＃２が（送信局＃２の）アンテナ＃１から送信する変調信号ｚ１＿２と（送信局＃２の）アンテナ＃２から送信する変調信号ｚ２＿２、及び、端末における受信信号ｒ１、ｒ２の関係について図４９を用いて説明する。
【０５８６】
図４９において、送信局＃１は、アンテナ＃１＿１から変調信号ｚ１＿１を、アンテナ＃２＿１から変調信号ｚ２＿１を送信する。このとき、変調信号ｚ１＿１および変調信号ｚ２＿１は、同一（共通の）周波数（帯域）を占有しているものとする。
また、送信局＃２は、アンテナ＃１＿２から変調信号ｚ１＿２を、アンテナ＃２＿２から変調信号ｚ２＿２を送信する。このとき、変調信号ｚ１＿２および変調信号ｚ２＿２は、同一（共通の）周波数（帯域）を占有しているものとする。
【０５８７】
送信局＃１の各アンテナおよび送信局＃２の各アンテナと、端末の各アンテナのチャネル変動をそれぞれｈ１１、ｈ１２、ｈ２１、ｈ２２、ｈ３１、ｈ３２、ｈ４１、ｈ４２とし、端末の受信アンテナ＃１が受信した受信信号をｒ１、端末の受信アンテナ＃２が受信した受信信号をｒ２とする。このとき、以下の関係式が成立する。
【０５８８】
【数１】
2015201829.tif 000003
図５０は、端末の構成例を示している。
無線部５００３＿Ｘは、アンテナ５００１＿Ｘで受信された受信信号５００２＿Ｘを入力とし、周波数変換、直交復調等の処理を施し、ベースバンド信号５００４＿Ｘを出力する。
【０５８９】
送信局＃１で送信された変調信号ｚ１＿１におけるチャネル変動推定部５００５＿１は、ベースバンド信号５００４＿Ｘを入力とし、図４９におけるチャネル推定用のリファレンスシンボルを抽出し、式（１）のｈ１１に相当する値を推定し、チャネル推定信号５００６＿１を出力する。
送信局＃１で送信された変調信号ｚ２＿１におけるチャネル変動推定部５００５＿１は、ベースバンド信号５００４＿Ｘを入力とし、図４９におけるチャネル推定用のリファレンスシンボルを抽出し、式（１）のｈ２１に相当する値を推定し、チャネル推定信号５００６＿１を出力する。
【０５９０】
送信局＃２で送信された変調信号ｚ１＿２におけるチャネル変動推定部５００５＿１は、ベースバンド信号５００４＿Ｘを入力とし、図４９におけるチャネル推定用のリファレンスシンボルを抽出し、式（１）のｈ３１に相当する値を推定し、チャネル推定信号５００６＿１を出力する。
送信局＃２で送信された変調信号ｚ２＿２におけるチャネル変動推定部５００５＿１は、ベースバンド信号５００４＿Ｘを入力とし、図４９におけるチャネル推定用のリファレンスシンボルを抽出し、式（１）のｈ４１に相当する値を推定し、チャネル推定信号５００６＿１を出力する。
【０５９１】
無線部５００３＿Ｙは、アンテナ５００１＿Ｙで受信された受信信号５００２＿Ｙを入力とし、周波数変換、直交復調等の処理を施し、ベースバンド信号５００４＿Ｙを出力する。
送信局＃１で送信された変調信号ｚ１＿１におけるチャネル変動推定部５００７＿１は、ベースバンド信号５００４＿Ｙを入力とし、図５におけるチャネル推定用のリファレンスシンボルを抽出し、式（１）のｈ１２に相当する値を推定し、チャネル推定信号５００８＿１を出力する。
【０５９２】
送信局＃１で送信された変調信号ｚ２＿１におけるチャネル変動推定部５００７＿２は、ベースバンド信号５００４＿Ｙを入力とし、図５におけるチャネル推定用のリファレンスシンボルを抽出し、式（１）のｈ２２に相当する値を推定し、チャネル推定信号５００８＿２を出力する。
送信局＃２で送信された変調信号ｚ１＿２におけるチャネル変動推定部５００７＿１は、ベースバンド信号５００４＿Ｙを入力とし、図５におけるチャネル推定用のリファレンスシンボルを抽出し、式（１）のｈ３２に相当する値を推定し、チャネル推定信号５００８＿３を出力する。
【０５９３】
送信局＃２で送信された変調信号ｚ２＿２におけるチャネル変動推定部５００７＿２は、ベースバンド信号５００４＿Ｙを入力とし、図５におけるチャネル推定用のリファレンスシンボルを抽出し、式（１）のｈ４２に相当する値を推定し、チャネル推定信号５００８＿４を出力する。
制御情報復号部５００９は、ベースバンド信号５００４＿Ｘおよび５００４＿Ｙを入力とし、図５の制御情報シンボルに含まれる「送信方法を通知するためのシンボル」を検出し、送信局が通知した送信方法の情報に関する信号５０１０を出力する。
制御情報復号部５００９は、送信局＃１の信号を受信しているのか、送信局＃２の信号を受信しているのか、送信局＃１および送信局＃２の信号を受けているのかを判断する。また、制御情報復号部５００９は、「送信局」が送信した信号を受けている場合に「送信局」が上述の送信方法１で信号を送信しているのか、あるいは、送信方法２で「送信局」が信号を送信しているのかを判断する。
【０５９４】
信号処理部５０１１は、ベースバンド信号５００４＿Ｘ、５００４＿Ｙ、チャネル推定信号５００６＿１、５００６＿２、５００６＿３、５００６＿４、５００８＿１、５００８＿２、５００８＿３、５００８＿４及び、送信装置が通知した送信方法の情報に関する信号５０１０を入力とし、検波、復号を行い、受信データ５０１２＿１および５０１２＿２を出力する。
【０５９５】
端末で行う検波について、図５１を用いて説明する。図５１は、上述の全ての信号ｓ０〜ｓ４の変調方式がＱＰＳＫの場合の候補信号点と受信信号点の関係のイメージ図である。
信号処理部５０１１は、まず、チャネル推定信号５００６＿１、５００６＿２、５００６＿３、５００６＿４、５００８＿１、５００８＿２、５００８＿３、５００８＿４から、ベースバンド信号５００４＿Ｘに対応する候補信号点を求める。そのときの様子を図５１に示す。図５１において、●（黒丸）は、同相Ｉ−直交Ｑ平面における候補信号点であり、図５１は、ｓ０（ｔ）、ｓ１（ｔ）、ｓ２（ｔ）、ｓ３（ｔ）全ての変調方式がＱＰＳＫの場合の候補信号点と受信信号点の関係のイメージ図である。ここで、変調信号ｓ０で伝送する２ビットをｂ０、ｂ１、変調信号ｓ１で伝送する２ビットをｂ２、ｂ３、変調信号ｓ２で伝送する２ビットをｂ４、ｂ５、変調信号ｓ３で伝送する２ビットをｂ６、ｂ７とすると、図５１において（ｂ０、ｂ１、ｂ２、ｂ３、ｂ４、ｂ５、ｂ６、ｂ７）に対応する候補信号点が存在することになる。
【０５９６】
そして、受信信号点５１０１（ベースバンド信号５００４＿Ｘに相当する。）と候補信号点それぞれとの２乗ユークリッド距離を求める。そして、それぞれの２乗ユークリッド距離をノイズの分散σ2で除算する。したがって、（ｂ０、ｂ１、ｂ２、ｂ３、ｂ４、ｂ５、ｂ６、ｂ７）に対応する候補信号点と受信信号点２乗ユークリッド距離をノイズの分散で除算した値をＥX（ｂ０、ｂ１、ｂ２、ｂ３、ｂ４、ｂ５、ｂ６、ｂ７）が求まることになる。
【０５９７】
同様に、チャネル推定信号５００６＿１、５００６＿２、５００６＿３、５００６＿４、５００８＿１、５００８＿２、５００８＿３、５００８＿４から、ベースバンド信号５００４＿Ｙに対応する候補信号点をもとめ、受信信号点（ベースバンド信号５００４＿Ｙに相当する。）との２乗ユークリッド距離を求め、この２乗ユークリッド距離をノイズの分散σ2で除算する。したがって、（ｂ０、ｂ１、ｂ２、ｂ３、ｂ４、ｂ５、ｂ６、ｂ７）に対応する候補信号点と受信信号点２乗ユークリッド距離をノイズの分散で除算した値をＥY（ｂ０、ｂ１、ｂ２、ｂ３、ｂ４、ｂ５、ｂ６、ｂ７）が求まることになる。
【０５９８】
そして、ＥX（ｂ０、ｂ１、ｂ２、ｂ３、ｂ４、ｂ５、ｂ６、ｂ７）＋ＥY（ｂ０、ｂ１、ｂ２、ｂ３、ｂ４、ｂ５、ｂ６、ｂ７）＝Ｅ（ｂ０、ｂ１、ｂ２、ｂ３、ｂ４、ｂ５、ｂ６、ｂ７）を求める。
なお、生成方法＃１〜＃３２により、候補信号点の位置関係は異なることになる。そして、８ビットの各ビットの対数尤度比に基づき、端末は、送信局が送信したデータを推定することになる。なお、これらの８ビットの各ビットの対数尤度比は、２スロットを用いて算出される。
【０５９９】
これによって、送信局＃１の送信信号のみを受信することになる端末は、位相変更の効果により、直接波が支配的な環境において、従来方式に比して、データの受信品質が向上する。同様に、送信局＃２の送信信号のみを受信することになる端末は、位相変更の効果により、直接波が支配的な環境において、図２の場合に比して、データの受信品質が向上する。そして、送信局＃１が送信した信号と送信局＃２が送信した信号の両者を受信する端末についても、位相変更の効果により、直接波が支配的な環境において、従来方式に比して、データの受信品質が向上するとともに、ｓ０（ｔ）、ｓ１（ｔ）、ｓ２（ｔ）、ｓ３（ｔ）に対し、送信ダイバーシチ効果を得ることができるという効果を得ることができる。
≪実施の形態２≫
上記実施の形態においては、各送信局それぞれが、上記実施の形態１における方法１〜３２に示す各スロットの信号を生成し、２つの送信局がそれぞれの２つのアンテナから送信する例を示した。しかし、各送信局が上記実施の形態１における方法１〜３２に示す各スロットの信号に基づく送信信号を送信できるのであれば、送信局以外で送信する変調信号を生成してもよい。即ち、各送信局が、事前に上記生成方法１〜３２のいずれかにしたがって生成された信号を変調して送信することとしてもよい。
【０６００】
本実施の形態２においては、送信局以外で送信信号を生成する例を説明する。
図５２は、実施の形態２に係る通信システムの構成例である。
図５２に示すように通信システムでは、送信部５２０２により、基地局５２５０Ａおよび基地局５２５０Ｂが送信すべき信号が生成され、ネットワークを経由して各基地局に伝達され、それぞれの基地局で上記実施の形態１と同様に送信される。
【０６０１】
送信部５２０２は、送信対象のデータを受け付ける。例えば、送信部５２０２は、上記生成方法の１〜３２のいずれかの手法を用いて、基地局５２５０Ａ（上記実施の形態１の送信局＃１に相当するものとする）の第１アンテナ５２１０Ａ、第２アンテナ５２１０Ｂ用のベースバンド信号および基地局５２５０Ｂ（上記実施の形態１の送信局＃２に相当するものとする）の第１アンテナ５２１３Ａ、第２アンテナ５２１３Ｂ用のベースバンド信号を生成する。
【０６０２】
送信部５２０２により上記実施の形態１の方法１〜３２のいずれかの手法を用いて生成された各ベースバンド信号を含む信号５２０３は、無線・有線などのネットワークを経由して、基地局５２５０Ａおよび基地局５２５０Ｂに送信される。
受信部５２０５Ａは、信号５２０４（５２０３）を受信し、第１アンテナ５２１０Ａおよび第２アンテナ５２１０Ｂ用のベースバンド信号に相当する信号を信号処理部５２０７Ａに伝達する。
【０６０３】
受信部５２０５Ｂは、信号５２０４（５２０３）を受信し、第１アンテナ５２１３Ａおよび第２アンテナ５２１３Ｂ用のベースバンド信号に相当する信号を信号処理部５２０７Ｂに伝達する。
信号処理部５２０７Ａは、第１アンテナ５２１０Ａおよび第２アンテナ５２１０Ｂ用のベースバンド信号に相当する信号に対して、信号送信のための処理（例えば、マルチキャリアのための処理、帯域制限、パワー変更など）を施し、送信部５２０９に、第１アンテナ５２１０Ａ用の変調信号５２０８Ａ、第２アンテナ５２１０Ｂ用の変調信号５２０８Ｂを出力する。
【０６０４】
信号処理部５２０７Ｂは、第１アンテナ５２１３Ａおよび第２アンテナ５２１３Ｂ用のベースバンド信号に相当する信号に対して、信号送信のための処理（例えば、マルチキャリアのための処理、帯域制限、パワー変更など）を施し、送信部５２１２に、第１アンテナ５２１３Ａ用の変調信号５２１１Ａ、第２アンテナ５２１３Ｂ用の変調信号５２１１Ｂを出力する。
【０６０５】
送信部５２０９は、第１アンテナ５２１０Ａ用の変調信号５２０８Ａ、第２アンテナ５２１０Ｂ用の変調信号５２０８Ｂをそれぞれ、アンテナ５２１０Ａ、５２１０Ｂから同一時間、同一周波数で送信する。
送信部５２１２は、第１アンテナ５２１３Ａ用の変調信号５２１１Ａ、第２アンテナ５２１３Ｂ用の変調信号５２１１Ｂをそれぞれ、アンテナ５２１３Ａ、５２１３Ｂから同一時間、同一周波数で送信する。
【０６０６】
基地局５２５０Ａ、５２５０Ｂそれぞれから送信される信号には、当然、上記実施の形態１に示した場合と同様に、それぞれの基地局が送信する信号が送信方法１および送信方法２のいずれの方法を用いて生成されたかを示す情報を送信している。
なお、上述の説明では、送信部５２０２が、第１アンテナ５２１０Ａ、第２アンテナ５２１０Ｂ用のベースバンド信号および基地局５２５０Ｂ（上記実施の形態１の送信局＃２に相当するものとする）の第１アンテナ５２１３Ａ、第２アンテナ５２１３Ｂ用のベースバンド信号を生成する場合について説明したが、これは、あくまでも一例であり、送信部５２０２が、第１アンテナ５２１０Ａ、第２アンテナ５２１０Ｂ用のデータと第１アンテナ５２１３Ａ、第２アンテナ５２１３Ｂ用のデータを生成し、無線・有線などのネットワークを経由して、基地局５２５０Ａおよび基地局５２５０Ｂに送信してもよいし、送信部５２０２が、第１アンテナ５２１０Ａ、第２アンテナ５２１０Ｂ用の変調信号と第１アンテナ５２１３Ａ、第２アンテナ５２１３Ｂ用の変調信号を生成し、無線・有線などのネットワークを経由して、基地局５２５０Ａおよび基地局５２５０Ｂに送信してもよい。また、その他の信号の形式で、送信部５２０２が信号を送信してもよい。
【０６０７】
実施の形態１および実施の形態２において、生成方法１〜３２について説明したが、生成方法１〜３２を実現する際、送信部５２０２の構成は、図５３または図５４の構成により実現することができる。以下では、この点について説明する。
図５３は、送信部５２０２の構成例である。図５３において、誤り訂正符号化部５３０２以降の構成は、上記実施の形態１の信号処理部４０４に相当する。
【０６０８】
誤り訂正符号化部５３０２は、送信対象のデータ５３０１を入力とし、所定の誤り訂正符号化方式に従って、誤り訂正符号化を実行し、誤り訂正符号化後のデータ５３０３を出力する。
マッピング部５３０４は、誤り訂正符号化後のデータ５３０３を入力とし、所定の変調方式に従がって変調して生成される変調信号５３０５を出力する。
【０６０９】
ＭＩＳＯ処理部５３０６は、変調信号５３０５を入力とし、変調信号５３０５に対して時空間ブロック符号化を施し、送信局＃１のアンテナ＄１用のベースバンド信号５３０７Ａ、送信局＃１のアンテナ＄２用のベースバンド信号５３０７Ｂ、送信局＃２のアンテナ＄１用のベースバンド信号５３０７Ｃ、送信局＃２のアンテナ＄２用のベースバンド信号５３０７Ｄを出力する。
【０６１０】
なお、送信局＃１のアンテナ＄１用のベースバンド信号５３０７Ａと送信局＃２のアンテナ＄１用のベースバンド信号５３０７Ｃが、時空間ブロック符号が施されている信号のペアとなる。そして、送信局＃１のアンテナ＄２用のベースバンド信号５３０７Ｂと送信局＃２のアンテナ＄２用のベースバンド信号５３０７Ｄも、時空間ブロック符号が施されている信号のペアとなる。
【０６１１】
位相変更部５３０８Ｂは、ベースバンド信号５３０７Ｂを入力とし、規則的に変更する位相の度合いを変えながら、ベースバンド信号５３０７Ｂに対し位相変更処理を施し、位相変更後のベースバンド信号５３０９Ｂを出力する（送信局＃１のアンテナ＄２用の信号）。
同様に、位相変更部５３０８Ｄは、ベースバンド信号５３０７Ｄを入力とし、規則的に変更する位相の度合いを変えながら、ベースバンド信号５３０７Ｄに対し位相変更処理を施し、位相変更後のベースバンド信号５３０９Ｄを出力する（送信局＃２のアンテナ＄２用の信号）。
【０６１２】
なお、ＭＩＳＯ処理部５３０６は、時空間ブロック符号化を施す時空間処理部または周波数空間ブロック符号化を施す周波数空間処理部であってもよい。
図５４は、送信部５２０２の図５３とは異なる構成例である。図５４において、誤り訂正符号化部５４０２以降の構成は、上記実施の形態１の信号処理部４０４に相当する。
図５４に示す送信部５２０２の構成例では、図５３とは位相変更部の挿入位置が異なる。図５４に示すように、送信部５２０２は、ＭＩＳＯ処理部５４０８の前段に位相変更部５４０６Ｂ、５４０６Ｄを備えている。
【０６１３】
マッピング部５４０４は、誤り訂正符号化後のデータ５４０３を入力とし、所定の変調方式に従がって変調を行い、送信局＃１のアンテナ＄１用のベースバンド信号５４０５Ａ、送信局＃１のアンテナ＄２用のベースバンド信号５４０５Ｂ、送信局＃２のアンテナ＄１用のベースバンド信号５４０５Ｃ、送信局＃２のアンテナ＄２用のベースバンド信号５４０５Ｄを出力する。
【０６１４】
位相変更部５４０６Ｂは、ベースバンド信号５４０５Ｂを入力とし、規則的に変更する位相の度合いを変えながら、ベースバンド信号５４０５Ｂに対し位相変更処理を施し、位相変更後のベースバンド信号５４０７Ｂを出力する。
同様に、位相変更部５４０６Ｄは、ベースバンド信号５４０５Ｄを入力とし、規則的に変更する位相の度合いを変えながら、ベースバンド信号５４０５Ｄに対し位相変更処理を施し、位相変更後のベースバンド信号５４０７Ｄを出力する。
【０６１５】
ＭＩＳＯ処理部５４０８は、送信局＃１のアンテナ＄１用のベースバンド信号５４０５Ａ、（送信局＃１のアンテナ＄２用の）ベースバンド信号５４０７Ｂ、送信局＃２のアンテナ＄１用のベースバンド信号５４０５Ｃ、（送信局＃２のアンテナ＄２用の）ベースバンド信号５４０７Ｄを入力とし、時空間ブロック符号化を施し、送信局＃１のアンテナ＄１用の時空間ブロック符号化後のベースバンド信号５４０９Ａ、送信局＃１のアンテナ＄２用の時空間ブロック符号化後のベースバンド信号５４０９Ｂ、送信局＃２のアンテナ＄１用の時空間ブロック符号化後のベースバンド信号５４０９Ｃ、送信局＃２のアンテナ＄２用の時空間ブロック符号化後のベースバンド信号５４０９Ｄを出力する。
【０６１６】
なお、送信局＃１のアンテナ＄１用の時空間ブロック符号化後のベースバンド信号５４０９Ａと送信局＃２のアンテナ＄１用の時空間ブロック符号化後のベースバンド信号５４０９Ｃが、時空間ブロック符号が施されている信号のペアとなる。そして、送信局＃１のアンテナ＄２用の時空間ブロック符号化後のベースバンド信号５４０９Ｂと送信局＃２のアンテナ＄２用の時空間ブロック符号化後のベースバンド信号５４０９Ｄも、時空間ブロック符号が施されている信号のペアとなる。
【０６１７】
本実施の形態２に示すように、複数の送信局（基地局）から送信する信号は、実施の形態１で示したようにそれぞれの送信局（基地局）で生成するのではなく、別の装置で生成したものを、各基地局が上記実施の形態１と同様に送信することとしてもよい。
なお、本実施の形態で説明した図５３、図５４において、制御信号が存在していないが、図５３において、誤り訂正符号化部５３０２、マッピング部５３０４、ＭＩＳＯ処理部５３０６、位相変更部５３０８Ｂ、５３０８Ｄに、図示していない送信方法指示部からの制御信号が、入力として存在していてもよいし、さらに図示されていない制御情報シンボル生成部が生成した制御情報シンボルが伝送フレームに格納されるようになっていてもよいことは言うまでもない。同様に、図５４において、誤り訂正符号化部５４０２、マッピング部５４０４、位相変更部５４０６Ｂ、５４０６Ｄ、ＭＩＳＯ処理部５４０８に、図示していない送信方法指示部からの制御信号が、入力として存在していてもよいし、さらに図示されていない制御情報シンボル生成部が生成した制御情報シンボルが伝送フレームに格納されるようになっていてもよいことは言うまでもない。これにより、送信方法指示部からの制御信号に応じて例えば送信方法、誤り訂正符号化方法、変調方法、信号処理方法を、適宜、変更することができる。
≪実施の形態３≫
実施の形態１では、２つの送信局が、実施の形態１で説明した生成方法１から生成方法３２のいずれかの生成方法を用いて各スロットの信号を生成し、それぞれの送信局に２つずつ備えられたアンテナ、よって、計４つのアンテナから生成された信号を送信する例を示した。
【０６１８】
また、実施の形態２では、複数の送信局（基地局）から送信する信号を、別の装置が生成方法１から生成方法３２のいずれかの生成方法を用いてスロット毎に生成する場合について、説明した。
本実施の形態では、実施の形態１、実施の形態２における、生成方法１から生成方法３２の変形例について説明する。以下で説明する変形例は、実施の形態１、実施の形態２において、生成方法１から生成方法３２にかわる方法として、各スロットの信号の生成に用いることができる。
【０６１９】
本実施の形態における送信方法を実施するための送信装置（送信局）の構成の一例は図４のとおりである。実施の形態１において、図４の動作の概要については説明しているので、ここでは、説明を省略する。
図５５は、図４の信号処理部４０４の構成の一例を示しており、図６と同様に動作するものについては、同一符号を付した。
【０６２０】
図５５のマッピング部６０２は、誤り訂正符号化後のデータ６０１（図４の信号４０３）、および、マッピングのための変調方式等を示す制御信号６０６（図４の制御信号４１１−４１４）を入力とし、制御信号６０６に基づく変調方式、例えば、変調方式として１６ＱＡＭが選択されている場合、図７の規則に従って、マッピングを行い、マッピング後のベースバンド信号６０３を出力する。なお、変調方式は１６ＱＡＭに限ったものではなく、他の変調方式（不均一ＱＡＭ、ＰＳＫ（Phase Shift Keying）、ＡＰＳＫ（Amplitude Phase Shift Keying）など、いかなるマッピングを施してもよい。）（例えば、図８に示すように６４ＱＡＭ）の場合も同様に実施することができる。
【０６２１】
このとき、マッピング部６０２は、マッピング後のベースバンド信号６０３として、ｕ０（０）、ｕ１（０）、ｕ２（０）、ｕ３（０）、ｕ０（１）、ｕ１（１）、ｕ２（１）、ｕ３（１）、・・・、ｕ０（ｋ）、ｕ１（ｋ）、ｕ２（ｋ）、ｕ３（ｋ）、・・・を出力するものとする。（なお、ｋは例えば０（ゼロ）以上の整数とする。）
重み付け合成部５５０１は、マッピング後のベースバンド信号６０３、マッピングのための変調方式等を示す制御信号６０６（図４の制御信号４１１−４１４）を入力とし、制御信号６０６に基づき重み付け合成（プリコーディング）を行い、重み付け合成後の信号５５０２を出力する。
【０６２２】
重み付け合成として、例えば、以下のような演算を行う。
【０６２３】
【数２】
2015201829.tif 000004
【０６２４】
【数３】
2015201829.tif 000005
【０６２５】
【数４】
2015201829.tif 000006
【０６２６】
【数５】
2015201829.tif 000007
・・・
【０６２７】
【数６】
2015201829.tif 000008
【０６２８】
【数７】
2015201829.tif 000009
・・・
（ただし、ｋは例えば０（ゼロ）以上の整数とする。）また、ａは複素数であり（実数でもよい）、ｂは複素数であり（実数でもよい）、ｃは複素数であり（実数でもよい）、ｅは複素数であり（実数でもよい）、ｆは複素数であり（実数でもよい）、ｇは複素数であり（実数でもよい）、ｈは複素数である（実数でもよい）。
【０６２９】
そして、ａ，ｂの両者が０（ゼロ）となることはなく、ｃ、ｄの両者が０（ゼロ）となることはなく、ａ，ｃの両者が０（ゼロ）となることはなく、ｂ，ｄの両者が０（ゼロ）となることはない。そして、ｅ，ｆの両者が０（ゼロ）となることはなき、ｇ，ｈの両者が０（ゼロ）となることはなく、ｅ，ｇの両者が０（ゼロ）となることはなく、ｆ，ｈの両者が０となることはない。
【０６３０】
また、｛ａ＝ｅ、および、ｂ＝ｆ、および、ｃ＝ｇ、および、ｄ＝ｈ｝が成立してもよい（成立しなくてもよい。）。そして、ａ，ｂ，ｃ，ｄ，ｅ，ｆ，ｇ，ｈはｉの関数（つまり、時間の関数、周波数の関数、時間および周波数の関数）であってもよいし、ｉの関数でなくてもよい。
したがって、重み付け合成部５５０１は、重み付け合成後の信号５５０２として、ｓ０（０）、ｓ１（０）、ｓ２（０）、ｓ３（０）、ｓ０（１）、ｓ１（１）、ｓ２（１）、ｓ３（１）、・・・、ｓ０（ｋ）、ｓ１（ｋ）、ｓ２（ｋ）、ｓ３（ｋ）、・・・を出力するものとする。（なお、ｋは例えば０（ゼロ）以上の整数とする。）
演算部６０４は、重み付け合成後の信号５５０２、マッピングのための変調方式等を示す制御信号６０６（図４の制御信号４１１−４１４）を入力とし、制御信号６０６に含まれる送信方法に関する情報にしたがって、無線部４０６Ａ、４０６Ｂ（図４のベースバンド信号４０５Ａ、４０５Ｂに相当）を生成して、出力する。このとき、演算部６０４による信号生成の方法としては、実施の形態１で説明した生成方法１から生成方法３２のいずれかの方法が選択されることになる。
【０６３１】
ここで、補足の説明を行う。実施の形態１で説明した生成方法１から生成方法３２では、ｓ０（ｋ）、ｓ１（ｋ）、ｓ２（ｋ）、ｓ３（ｋ）は、マッピング後の信号であり、マッピング後の信号ｓ０（ｋ）、ｓ１（ｋ）、ｓ２（ｋ）、ｓ３（ｋ）に対し、生成方法１から生成方法３２のいずれかの信号処理を行う。
一方で、本実施の形態の生成方法１から生成方法３２の変形例では、上述した、重み付け後の信号ｓ０（ｋ）、ｓ１（ｋ）、ｓ２（ｋ）、ｓ３（ｋ）に対し、実施の形態１で説明した生成方法１から生成方法３２で「マッピング後の信号ｓ０（ｋ）、ｓ１（ｋ）、ｓ２（ｋ）、ｓ３（ｋ）に対して施された信号処理」のうちのいずれかの信号処理を行う。
【０６３２】
つまり、「実施の形態１の生成方法１」では、マッピング後の信号ｓ０（ｋ）、ｓ１（ｋ）、ｓ２（ｋ）、ｓ３（ｋ）に対して、所定の処理を行ったが、「本実施の形態の生成方法１の変形例」では、「実施の形態１のマッピング後の信号ｓ０（ｋ）、ｓ１（ｋ）、ｓ２（ｋ）、ｓ３（ｋ）」の代わりに、上述した「重み付け後の信号ｓ０（ｋ）、ｓ１（ｋ）、ｓ２（ｋ）、ｓ３（ｋ）」を入力とし、その後、実施の形態１の生成方法１で説明した所定の処理を行う。（つまり、「実施の形態１の生成方法１」についての説明における「マッピング後の信号ｓ０（ｋ）、ｓ１（ｋ）、ｓ２（ｋ）、ｓ３（ｋ）」を、上述した「重み付け合成後の信号ｓ０（ｋ）、ｓ１（ｋ）、ｓ２（ｋ）、ｓ３（ｋ）」に置き換えたものが、「本実施の形態の生成方法１の変形例」の説明となる。）
同様に、「実施の形態１の生成方法２」では、マッピング後の信号ｓ０（ｋ）、ｓ１（ｋ）、ｓ２（ｋ）、ｓ３（ｋ）に対して、所定の処理を行ったが、「本実施の形態の生成方法２の変形例」では、「実施の形態１のマッピング後の信号ｓ０（ｋ）、ｓ１（ｋ）、ｓ２（ｋ）、ｓ３（ｋ）」の代わりに、上述した「重み付け後の信号ｓ０（ｋ）、ｓ１（ｋ）、ｓ２（ｋ）、ｓ３（ｋ）」を入力とし、その後、実施の形態１の生成方法２で説明した所定の処理を行う。（つまり、「実施の形態１の生成方法２」についての説明における「マッピング後の信号ｓ０（ｋ）、ｓ１（ｋ）、ｓ２（ｋ）、ｓ３（ｋ）」を、上述した「重み付け合成後の信号ｓ０（ｋ）、ｓ１（ｋ）、ｓ２（ｋ）、ｓ３（ｋ）」に置き換えたものが、「本実施の形態の生成方法２の変形例」の説明となる。）
生成方法３から生成方法３２の変形例についても同様に実施する。よって、以下のようになる。
【０６３３】
「実施の形態１の生成方法Ｎ」では、マッピング後の信号ｓ０（ｋ）、ｓ１（ｋ）、ｓ２（ｋ）、ｓ３（ｋ）に対して、所定の処理を行ったが、「本実施の形態の生成方法Ｎの変形例」では、「実施の形態１のマッピング後の信号ｓ０（ｋ）、ｓ１（ｋ）、ｓ２（ｋ）、ｓ３（ｋ）」の代わりに、上述した「重み付け後の信号ｓ０（ｋ）、ｓ１（ｋ）、ｓ２（ｋ）、ｓ３（ｋ）」を入力とし、その後、実施の形態１の生成方法Ｎで説明した所定の処理を行う。（つまり、「実施の形態１の生成方法Ｎ」についての説明における「マッピング後の信号ｓ０（ｋ）、ｓ１（ｋ）、ｓ２（ｋ）、ｓ３（ｋ）」を、上述した「重み付け合成後の信号ｓ０（ｋ）、ｓ１（ｋ）、ｓ２（ｋ）、ｓ３（ｋ）」に置き換えたものが、「本実施の形態の生成方法Ｎの変形例」の説明となる。）（なお、Ｎは１以上３２以下の整数となる。）
以上のように実施することで、実施の形態１で説明した効果と同様の効果を得ることができ、これにより、データの受信品質が向上する。
【０６３４】
次に、実施の形態２における、生成方法１から生成方法３２の変形例（送信局以外で送信信号を生成する）について説明する。
図５２は、実施の形態２に係る通信システムの構成例である。
図５２に示すように通信システムでは、送信部５２０２により、基地局５２５０Ａおよび基地局５２５０Ｂが送信すべき信号が生成され、ネットワークを経由して各基地局に伝達され、それぞれの基地局で実施の形態１、実施の形態２と同様に送信される。
【０６３５】
送信部５２０２は、送信対象のデータを受け付ける。例えば、送信部５２０２は、本実施の形態の生成方法１から生成方法３２の変形例のいずれかの手法を用いて、基地局５２５０Ａ（実施の形態１の送信局＃１に相当するものとする）の第１アンテナ５２１０Ａ、第２アンテナ５２１０Ｂ用のベースバンド信号および基地局５２５０Ｂ（実施の形態１の送信局＃２に相当するものとする）の第１アンテナ５２１３Ａ、第２アンテナ５２１３Ｂ用のベースバンド信号を生成する。
【０６３６】
送信部５２０２により本実施の形態の生成方法１から生成方法３２の変形例のいずれかの手法を用いて生成された各ベースバンド信号を含む信号５２０３は、無線・有線などのネットワークを経由して、基地局５２５０Ａおよび基地局５２５０Ｂに送信される。
受信部５２０５Ａは、信号５２０４（５２０３）を受信し、第１アンテナ５２１０Ａおよび第２アンテナ５２１０Ｂ用のベースバンド信号に相当する信号を信号処理部５２０７Ａに伝達する。
【０６３７】
受信部５２０５Ｂは、信号５２０４（５２０３）を受信し、第１アンテナ５２１３Ａおよび第２アンテナ５２１３Ｂ用のベースバンド信号に相当する信号を信号処理部５２０７Ｂに伝達する。
信号処理部５２０７Ａは、第１アンテナ５２１０Ａおよび第２アンテナ５２１０Ｂ用のベースバンド信号に相当する信号に対して、信号送信のための処理（例えば、マルチキャリアのための処理、帯域制限、パワー変更など）を施し、送信部５２０９に、第１アンテナ５２１０Ａ用の変調信号５２０８Ａ、第２アンテナ５２１０Ｂ用の変調信号５２０８Ｂを出力する。
【０６３８】
信号処理部５２０７Ｂは、第１アンテナ５２１３Ａおよび第２アンテナ５２１３Ｂ用のベースバンド信号に相当する信号に対して、信号送信のための処理（例えば、マルチキャリアのための処理、帯域制限、パワー変更など）を施し、送信部５２１２に、第１アンテナ５２１３Ａ用の変調信号５２１１Ａ、第２アンテナ５２１３Ｂ用の変調信号５２１１Ｂを出力する。
【０６３９】
送信部５２０９は、第１アンテナ５２１０Ａ用の変調信号５２０８Ａ、第２アンテナ５２１０Ｂ用の変調信号５２０８Ｂをそれぞれ、アンテナ５２１０Ａ、５２１０Ｂから同一時間、同一周波数で送信する。
送信部５２１２は、第１アンテナ５２１３Ａ用の変調信号５２１１Ａ、第２アンテナ５２１３Ｂ用の変調信号５２１１Ｂをそれぞれ、アンテナ５２１３Ａ、５２１３Ｂから同一時間、同一周波数で送信する。
【０６４０】
基地局５２５０Ａ、５２５０Ｂそれぞれから送信される信号には、当然、実施の形態１に示した場合と同様に、それぞれの基地局が送信する信号が送信方法１および送信方法２のいずれの方法を用いて生成されたかを示す情報を送信している。
なお、上述の説明では、送信部５２０２が、第１アンテナ５２１０Ａ、第２アンテナ５２１０Ｂ用のベースバンド信号および基地局５２５０Ｂ（実施の形態１の送信局＃２に相当するものとする）の第１アンテナ５２１３Ａ、第２アンテナ５２１３Ｂ用のベースバンド信号を生成する場合について説明したが、これは、あくまでも一例であり、送信部５２０２が、第１アンテナ５２１０Ａ、第２アンテナ５２１０Ｂ用のデータと第１アンテナ５２１３Ａ、第２アンテナ５２１３Ｂ用のデータを生成し、無線・有線などのネットワークを経由して、基地局５２５０Ａおよび基地局５２５０Ｂに送信してもよいし、送信部５２０２が、第１アンテナ５２１０Ａ、第２アンテナ５２１０Ｂ用の変調信号と第１アンテナ５２１３Ａ、第２アンテナ５２１３Ｂ用の変調信号を生成し、無線・有線などのネットワークを経由して、基地局５２５０Ａおよび基地局５２５０Ｂに送信してもよい。また、その他の信号の形式で、送信部５２０２が信号を送信してもよい。
【０６４１】
本実施の形態の生成方法１から生成方法３２の変形例について説明したが、生成方法１から生成方法３２の変形例を実現する際、送信部５２０２の構成は、図５６または図５７の構成により実現することができる。以下では、この点について説明する。
図５６は、送信部５２０２の構成例であり、図５３と同様に動作するものについては、同一の符号を付している。図５６において、誤り訂正符号化部５３０２以降の構成は、図４の信号処理部４０４に相当する。
【０６４２】
誤り訂正符号化部５３０２は、制御信号５６０３、送信対象のデータ５３０１を入力とし、制御信号５６０３にしたがい所定の誤り訂正符号化方式にて、誤り訂正符号化を実行し、誤り訂正符号化後のデータ５３０３を出力する。
マッピング部５３０４は、制御信号５６０３、誤り訂正符号化後のデータ５３０３を入力とし、制御信号５６０３にしたがい所定の変調方式にて変調して生成される変調信号５３０５（つまり、上述した、ｕ０（０）、ｕ１（０）、ｕ２（０）、ｕ３（０）、ｕ０（１）、ｕ１（１）、ｕ２（１）、ｕ３（１）、・・・、ｕ０（ｋ）、ｕ１（ｋ）、ｕ２（ｋ）、ｕ３（ｋ）、・・・）を出力する。
【０６４３】
重み付け合成部５６０１は、制御信号５６０３、所定の変調方式に従がって変調して生成される変調信号５３０５（つまり、上述した、ｕ０（０）、ｕ１（０）、ｕ２（０）、ｕ３（０）、ｕ０（１）、ｕ１（１）、ｕ２（１）、ｕ３（１）、・・・、ｕ０（ｋ）、ｕ１（ｋ）、ｕ２（ｋ）、ｕ３（ｋ）、・・・）を入力とし、制御信号５６０３に基づき重み付け合成（プリコーディング）を行い、重み付け合成後の信号５６０２を出力する。
【０６４４】
なお、重み付け方法については、本実施の形態において、上述したとおりである。（式（２）から式（７）を参照。）
その後の処理は、図５３のときと同様であり、これにより、上述した生成方法１から生成方法３２の変形例（「実施の形態１の生成方法Ｎ」では、マッピング後の信号ｓ０（ｋ）、ｓ１（ｋ）、ｓ２（ｋ）、ｓ３（ｋ）に対して、所定の処理を行ったが、「本実施の形態の生成方法Ｎの変形例」では、「実施の形態１のマッピング後の信号ｓ０（ｋ）、ｓ１（ｋ）、ｓ２（ｋ）、ｓ３（ｋ）」の代わりに、上述した「重み付け後の信号ｓ０（ｋ）、ｓ１（ｋ）、ｓ２（ｋ）、ｓ３（ｋ）」を入力とし、その後、実施の形態１の生成方法Ｎで説明した所定の処理を行う。（つまり、「実施の形態１の生成方法Ｎ」についての説明における「マッピング後の信号ｓ０（ｋ）、ｓ１（ｋ）、ｓ２（ｋ）、ｓ３（ｋ）」を、上述した「重み付け合成後の信号ｓ０（ｋ）、ｓ１（ｋ）、ｓ２（ｋ）、ｓ３（ｋ）」に置き換えたものが、「本実施の形態の生成方法Ｎの変形例」の説明となる。）（なお、Ｎは１以上３２以下の整数となる。））を実施することができる。
【０６４５】
図５７は、送信部５２０２の図５６とは異なる構成例である。図５７において、誤り訂正符号化部５４０２以降の構成は、図４の信号処理部４０４に相当する。なお、図５７において、図５４と同様に動作するものについては同一符号を付している。
誤り訂正符号化部５４０２は、制御信号５７０４、送信対象のデータ５４０１を入力とし、制御信号５７０４にしたがい所定の誤り訂正符号化方式にて、誤り訂正符号化を実行し、誤り訂正符号化後のデータ５４０３を出力する。
【０６４６】
マッピング部５４０４は、制御信号５７０４、誤り訂正符号化後のデータ５４０３を入力とし、制御信号５７０４にしたがい所定の変調方式にて変調して生成される変調信号５７０１（つまり、上述した、ｕ０（０）、ｕ１（０）、ｕ２（０）、ｕ３（０）、ｕ０（１）、ｕ１（１）、ｕ２（１）、ｕ３（１）、・・・、ｕ０（ｋ）、ｕ１（ｋ）、ｕ２（ｋ）、ｕ３（ｋ）、・・・）を出力する。
【０６４７】
重み付け合成部５７０２は、制御信号５７０４、所定の変調方式に従がって変調して生成される変調信号５７０１（つまり、上述した、ｕ０（０）、ｕ１（０）、ｕ２（０）、ｕ３（０）、ｕ０（１）、ｕ１（１）、ｕ２（１）、ｕ３（１）、・・・、ｕ０（ｋ）、ｕ１（ｋ）、ｕ２（ｋ）、ｕ３（ｋ）、・・・）を入力とし、制御信号５７０４に基づき重み付け合成（プリコーディング）を行い、
送信局＃１のアンテナ＄１用のベースバンド信号５７０３Ａ、送信局＃１のアンテナ＄２用のベースバンド信号５７０３Ｂ、送信局＃２のアンテナ＄１用のベースバンド信号５７０３Ｃ、送信局＃２のアンテナ＄２用のベースバンド信号５７０３Ｄを出力する。
【０６４８】
なお、重み付け方法については、本実施の形態において、上述したとおりである。（式（２）から式（７）を参照。）
位相変更部５４０６Ｂは、ベースバンド信号５４０５Ｂを入力とし、規則的に変更する位相の度合いを変えながら、ベースバンド信号５４０５Ｂに対し位相変更処理を施し、位相変更後のベースバンド信号５４０７Ｂを出力する。
【０６４９】
同様に、位相変更部５４０６Ｄは、ベースバンド信号５４０５Ｄを入力とし、規則的に変更する位相の度合いを変えながら、ベースバンド信号５４０５Ｄに対し位相変更処理を施し、位相変更後のベースバンド信号５４０７Ｄを出力する。
ＭＩＳＯ処理部５４０８は、送信局＃１のアンテナ＄１用のベースバンド信号５４０５Ａ、（送信局＃１のアンテナ＄２用の）ベースバンド信号５４０７Ｂ、送信局＃２のアンテナ＄１用のベースバンド信号５４０５Ｃ、（送信局＃２のアンテナ＄２用の）ベースバンド信号５４０７Ｄを入力とし、時空間ブロック符号化を施し、送信局＃１のアンテナ＄１用の時空間ブロック符号化後のベースバンド信号５４０９Ａ、送信局＃１のアンテナ＄２用の時空間ブロック符号化後のベースバンド信号５４０９Ｂ、送信局＃２のアンテナ＄１用の時空間ブロック符号化後のベースバンド信号５４０９Ｃ、送信局＃２のアンテナ＄２用の時空間ブロック符号化後のベースバンド信号５４０９Ｄを出力する。
【０６５０】
なお、送信局＃１のアンテナ＄１用の時空間ブロック符号化後のベースバンド信号５４０９Ａと送信局＃２のアンテナ＄１用の時空間ブロック符号化後のベースバンド信号５４０９Ｃが、時空間ブロック符号が施されている信号のペアとなる。そして、送信局＃１のアンテナ＄２用の時空間ブロック符号化後のベースバンド信号５４０９Ｂと送信局＃２のアンテナ＄２用の時空間ブロック符号化後のベースバンド信号５４０９Ｄも、時空間ブロック符号が施されている信号のペアとなる。
【０６５１】
これにより、上述した生成方法１から生成方法３２の変形例（「実施の形態１の生成方法Ｎ」では、マッピング後の信号ｓ０（ｋ）、ｓ１（ｋ）、ｓ２（ｋ）、ｓ３（ｋ）に対して、所定の処理を行ったが、「本実施の形態の生成方法Ｎの変形例」では、「実施の形態１のマッピング後の信号ｓ０（ｋ）、ｓ１（ｋ）、ｓ２（ｋ）、ｓ３（ｋ）」の代わりに、上述した「重み付け後の信号ｓ０（ｋ）、ｓ１（ｋ）、ｓ２（ｋ）、ｓ３（ｋ）」を入力とし、その後、実施の形態１の生成方法Ｎで説明した所定の処理を行う。（つまり、「実施の形態１の生成方法Ｎ」についての説明における「マッピング後の信号ｓ０（ｋ）、ｓ１（ｋ）、ｓ２（ｋ）、ｓ３（ｋ）」を、上述した「重み付け合成後の信号ｓ０（ｋ）、ｓ１（ｋ）、ｓ２（ｋ）、ｓ３（ｋ）」に置き換えたものが、「本実施の形態の生成方法Ｎの変形例」の説明となる。）（なお、Ｎは１以上３２以下の整数となる。））を実施することができる。
上述に示すように、複数の送信局（基地局）から送信する信号は、別の装置で生成したものを、各基地局が送信することとしてもよい。
【０６５２】
以上のように実施することで、実施の形態２で説明した効果と同様の効果を得ることができ、これにより、データの受信品質が向上する。
＜補足＞
上記実施の形態に従って、本発明に係る通信システムについて説明してきたが、本発明はこれに限られるものではない。
【０６５３】
当然であるが、本明細書において説明した実施の形態、その他の内容を複数組み合わせて、実施してもよい。
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６５４】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい（いかなるマッピングを施してもよい。）。
【０６５５】
また、Ｉ−Ｑ平面における１６個、６４個等の信号点の配置方法（１６個、６４個等の信号点をもつ変調方式）は、本明細書で示した変調方式の信号点配置方法に限ったものではない。したがって、複数のビットに基づき同相成分と直交成分を出力するという機能がマッピング部での機能となる。
また、本明細書において、複素平面がある場合、例えば、偏角のような、位相の単位は、「ラジアン（radian）」としている。
【０６５６】
複素平面を利用すると、複素数の極座標による表示として極形式で表示できる。複素数z = a + ｊb （ａ、ｂはともに実数であり、ｊは虚数単位である）に、複素平面上の点(ａ, ｂ) を対応させたとき、この点が極座標で[r, θ] とあらわされるなら、ａ＝ｒ×ｃｏｓθ、ｂ＝ｒ×ｓｉｎθ
【０６５７】
【数８】
2015201829.tif 000010
が成り立ち、r は z の絶対値 (r = |z|) であり、θ が偏角 (argument)となる。そして、z = a + ｊbは、ｒ×ｅjθとあらわされる。
本明細書で説明した発明は、ＯＦＤＭ方式などのマルチキャリア伝送方法に対して適用することができ、また、シングルキャリアの伝送方式に適用することもできる。（例えば、マルチキャリア方式の場合、シンボルを周波数軸にも配置するが、シングルキャリアの場合は、シンボルを時間方向にのみ配置することになる。）また、ベースバンド信号に対し、拡散符号を用いてスペクトル拡散通信方式を適用することもできる。
【０６５８】
上記実施の形態におけるデータｓ０、ｓ１、ｓ２、ｓ３それぞれの変調方式は互いに異なるものを用いてもよい。
また、上記実施の形態１に示した「生成方法１」〜「生成方法３２」において、スロットを入れ替える処理は、それぞれの信号の生成過程において、いつ実行されてもよい。負をとる処理、複素共役の処理等についても同様である。
【０６５９】
本明細書において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行うことになる。また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＵＳＢ  ２、ＵＳＢ  ３、ＨＤＭＩ（High-Definition Multimedia Interface）、ＨＤＭＩ ２、デジタル用端子等から出力されてもよい。また、受信装置が得たデータ・情報は、無線通信方式（Ｗｉ−Ｆｉ（登録商標）（IEEE 802.11a、IEEE 802.11b、IEEE 802.11g、IEEE 802.11n、IEEE 802.11ac、IEEE 802.11adなど）、ＷｉＧｉＧ、Ｂｌｕｅｔｏｏｔｈ（登録商標）など）、有線の通信方式（光通信、電力線通信など）を用いて、変調され、これらの情報を他の機器に伝送してもよい。このとき、端末は、情報を伝送するための送信装置を具備していることになる。（このとき、端末は、受信装置が得たデータ・情報を含むデータを送信してもよいし、受信装置が得たデータ・情報から、変形したデータを生成し、送信してもよい。）
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０６６０】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０６６１】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０６６２】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６６３】
送信局、基地局の送信アンテナ、端末の受信アンテナ、共に、図面で記載されている１つのアンテナは、複数のアンテナにより構成されていても良い。
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０６６４】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０６６５】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
本発明は、複数のアンテナからそれぞれ異なる変調信号を送信する無線システムに広く適用できる。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）において、ＭＩＭＯ伝送を行う場合についても適用することができる。
【産業上の利用可能性】
【０６６６】
本発明に係る通信システムは、複数のアンテナからそれぞれ異なる変調信号を送信する無線システムとして活用することができる。
【符号の説明】
【０６６７】
４０２  誤り訂正符号化部
４０４  信号処理部
４０６Ａ、４０６Ｂ  無線部
４０８Ａ、４０８Ｂ  アンテナ
４１０  送信方法指示部
４１６  制御情報シンボル生成部
６０２  マッピング部
６０４  演算部
５００１＿Ｘ、５００１＿Ｙ  アンテナ
５００３＿Ｘ、５００３＿Ｙ  無線部
５００５＿１、５００５＿２、５００５＿３、５００５＿４、５００７＿１、５００７＿２、５００７＿３、５００７＿４  チャネル推定部
５００９  制御情報復号部
５０１１  信号処理部
５２０２  送信部
【図１】
2015201829.tif 000011
【図２】
2015201829.tif 000012
【図３】
2015201829.tif 000013
【図４】
2015201829.tif 000014
【図５】
2015201829.tif 000015
【図６】
2015201829.tif 000016
【図７】
2015201829.tif 000017
【図８】
2015201829.tif 000018
【図９】
2015201829.tif 000019
【図１０】
2015201829.tif 000020
【図１１】
2015201829.tif 000021
【図１２】
2015201829.tif 000022
【図１３】
2015201829.tif 000023
【図１４】
2015201829.tif 000024
【図１５】
2015201829.tif 000025
【図１６】
2015201829.tif 000026
【図１７】
2015201829.tif 000027
【図１８】
2015201829.tif 000028
【図１９】
2015201829.tif 000029
【図２０】
2015201829.tif 000030
【図２１】
2015201829.tif 000031
【図２２】
2015201829.tif 000032
【図２３】
2015201829.tif 000033
【図２４】
2015201829.tif 000034
【図２５】
2015201829.tif 000035
【図２６】
2015201829.tif 000036
【図２７】
2015201829.tif 000037
【図２８】
2015201829.tif 000038
【図２９】
2015201829.tif 000039
【図３０】
2015201829.tif 000040
【図３１】
2015201829.tif 000041
【図３２】
2015201829.tif 000042
【図３３】
2015201829.tif 000043
【図３４】
2015201829.tif 000044
【図３５】
2015201829.tif 000045
【図３６】
2015201829.tif 000046
【図３７】
2015201829.tif 000047
【図３８】
2015201829.tif 000048
【図３９】
2015201829.tif 000049
【図４０】
2015201829.tif 000050
【図４１】
2015201829.tif 000051
【図４２】
2015201829.tif 000052
【図４３】
2015201829.tif 000053
【図４４】
2015201829.tif 000054
【図４５】
2015201829.tif 000055
【図４６】
2015201829.tif 000056
【図４７】
2015201829.tif 000057
【図４８】
2015201829.tif 000058
【図４９】
2015201829.tif 000059
【図５０】
2015201829.tif 000060
【図５１】
2015201829.tif 000061
【図５２】
2015201829.tif 000062
【図５３】
2015201829.tif 000063
【図５４】
2015201829.tif 000064
【図５５】
2015201829.tif 000065
【図５６】
2015201829.tif 000066
【図５７】
2015201829.tif 000067